(57)【特許請求の範囲】
【請求項１】
無線通信システムにおける低い遅延（ｌｏｗ  ｌａｔｅｎｃｙ）を要求するアップリンクデータ（ＵＬ  ｄａｔａ）の送信方法において、端末により行われる前記方法は、
特定端末及び／またはデータを区別するために使用されるＣＰＲＢ（Ｃｏｎｔｅｎｔｉｏｎ  ＰＵＳＣＨ  Ｒｅｓｏｕｒｃｅ  Ｂｌｏｃｋ）指示情報を基地局に送信するステップと、
ＣＰゾーン（Ｃｏｎｔｅｎｔｉｏｎ  ｂａｓｅｄ  ＰＵＳＣＨ  Ｚｏｎｅ）のＣＰＲＢ資源を介してＵＬ（Ｕｐｌｉｎｋ）データを前記基地局に送信するステップと、 前記基地局から前記ＵＬデータに対するＨＡＲＱ（Ｈｙｂｒｉｄ  Ａｕｔｏｍａｔｉｃ  Ｒｅｔｒａｎｓｍｉｔ  ｒｅＱｕｅｓｔ）応答をＰＨＩＣＨ（Ｐｈｙｓｉｃａｌ  Ｈｙｂｒｉｄ  ＡＲＱ  Ｉｎｄｉｃａｔｏｒ  Ｃｈａｎｎｅｌ）を介して受信するステップとを含むものの、
前記ＣＰゾーンは、アップリンクグラント（ＵＬ  ｇｒａｎｔ）割り当て無しでＵＬデータを送信できる資源領域であり、
前記ＣＰＲＢ資源及び前記ＰＨＩＣＨは、前記ＣＰＲＢ指示情報に基づいて設定される循環シフト（Ｃｙｃｌｉｃ  Ｓｈｉｆｔ：ＣＳ）値がマッピングされることを特徴とする方法。
【請求項２】
前記ＣＰＲＢ指示情報は、
ＰＵＳＣＨ（Ｐｈｙｓｉｃａｌ  Ｕｐｌｉｎｋ  Ｓｈａｒｅｄ  Ｃｈａｎｎｅｌ）またはＰＵＣＣＨ（Ｐｈｙｓｉｃａｌ  Ｕｐｌｉｎｋ  Ｃｏｎｔｒｏｌ  Ｃｈａｎｎｅｌ）を介して送信される信号またはシーケンスであることを特徴とする請求項１に記載の方法。
【請求項３】
前記循環シフト値（ＣＳ  ｖａｌｕｅ）は、以下の式にて設定されることを特徴とする請求項２に記載の方法。
【数７４】
0006328843.tif 000116
【請求項４】
前記ＣＰＲＢインデックス（ｉｎｄｅｘ）は、ＣＰＲＢ指示情報値をＮで割り算した余りに設定されることを特徴とする 請求項３に記載の方法。
【請求項５】
前記循環シフト値は、同じＣＰＲＢに対して０から＜（ＣＰＲＢ指示情報値の最大値＋１）／Ｎ＞-１まで設定されることを特徴とする請求項３に記載の方法。
【請求項６】
前記循環シフト値は、以下の式にて設定されることを特徴とする請求項２に記載の方法。
ＣＳ  ｖａｌｕｅ＝ＣＰＲＢ指示情報％ＣＳ値の数
【請求項７】
前記ＰＨＩＣＨは、前記循環シフト値に応じて端末別に区分されることを特徴とする請求項１に記載の方法。
【請求項８】
前記ＣＰＲＢ指示情報及び前記ＵＬデータは、同一のサブフレームで送信されるか、または連続したサブフレームを介して送信されることを特徴とする請求項１に記載の方法。
【請求項９】
無線通信システムにおける低い遅延（ｌｏｗ  ｌａｔｅｎｃｙ）を要求するアップリンクデータ（ＵＬ  ｄａｔａ）の受信方法において、基地局により行われる前記方法は、
特定端末及び／またはデータを区別するために使用されるＣＰＲＢ（Ｃｏｎｔｅｎｔｉｏｎ  ＰＵＳＣＨ  Ｒｅｓｏｕｒｃｅ  Ｂｌｏｃｋ）指示情報を少なくとも二つ以上の端末らから受信するステップと、
ＣＰゾーン（Ｃｏｎｔｅｎｔｉｏｎ  ｂａｓｅｄ  ＰＵＳＣＨ  Ｚｏｎｅ）のＣＰＲＢ資源を介してＵＬ（Ｕｐｌｉｎｋ）データを前記少なくとも二つ以上の端末から受信するステップと、
前記少なくとも二つ以上の端末に前記ＵＬデータに対するＨＡＲＱ（Ｈｙｂｒｉｄ  Ａｕｔｏｍａｔｉｃ  Ｒｅｔｒａｎｓｍｉｔ  ｒｅＱｕｅｓｔ）応答をＰＨＩＣＨ（Ｐｈｙｓｉｃａｌ  Ｈｙｂｒｉｄ  ＡＲＱ  Ｉｎｄｉｃａｔｏｒ  Ｃｈａｎｎｅｌ）を介して送信するステップとを含むものの、
前記ＣＰゾーンは、アップリンクグラント（ＵＬ  ｇｒａｎｔ）割り当て無しでＵＬデータを送信できる資源領域であり、
前記ＣＰＲＢ資源及び前記ＰＨＩＣＨは、前記ＣＰＲＢ指示情報に基づいて設定される循環シフト（Ｃｙｃｌｉｃ  Ｓｈｉｆｔ：ＣＳ）値がマッピングされることを特徴とする方法。
【請求項１０】
無線通信システムにおいてＵＬ（Ｕｐｌｉｎｋ）データを送信するための端末であって、
無線信号を送受信するためのＲＦ（Ｒａｄｉｏ  Ｆｒｅｑｕｅｎｃｙ）ユニットと、
プロセッサを含み、前記プロセッサは、
特定端末及び／またはデータを区別するために使用されるＣＰＲＢ（Ｃｏｎｔｅｎｔｉｏｎ  ＰＵＳＣＨ  Ｒｅｓｏｕｒｃｅ  Ｂｌｏｃｋ）指示情報を基地局に送信し；
ＣＰゾーン（Ｃｏｎｔｅｎｔｉｏｎ  ｂａｓｅｄ  ＰＵＳＣＨ  Ｚｏｎｅ）のＣＰＲＢ資源を介してＵＬ（Ｕｐｌｉｎｋ）データを前記基地局に送信し、
前記基地局から前記ＵＬデータに対するＨＡＲＱ（Ｈｙｂｒｉｄ  Ａｕｔｏｍａｔｉｃ  Ｒｅｔｒａｎｓｍｉｔ  ｒｅＱｕｅｓｔ）応答をＰＨＩＣＨ（Ｐｈｙｓｉｃａｌ  Ｈｙｂｒｉｄ  ＡＲＱ  Ｉｎｄｉｃａｔｏｒ  Ｃｈａｎｎｅｌ）を介して受信するように制御するものの、
前記ＣＰゾーンは、アップリンクグラント（ＵＬ  ｇｒａｎｔ）割り当て無しでＵＬデータを送信できる資源領域であり、
前記ＣＰＲＢ資源及び前記ＰＨＩＣＨは、前記ＣＰＲＢ指示情報に基づいて設定される循環シフト（Ｃｙｃｌｉｃ  Ｓｈｉｆｔ：ＣＳ）値がマッピングされることを特徴とする端末。
【発明の詳細な説明】
【技術分野】
【０００１】
本明細書は、無線通信システムに関し、さらに詳細に端末がアップリンクデータを基地局に送信するための方法及びこれを支援する装置に関する。
【背景技術】
【０００２】
移動通信システムは、ユーザの活動性を保障しながら音声サービスを提供するために開発された。しかしながら、移動通信システムは、音声だけでなくデータサービスまで領域を拡張し、現在には、爆発的なトラフィックの増加によって資源の不足現象が引き起こされ、ユーザがより高速のサービスに対して要求するので、より発展した移動通信システムが要求されている。
【０００３】
次世代移動通信システムの要求条件は、大きく爆発的なデータトラフィックの収容、ユーザ当たりの送信率の画期的な増加、大幅増加された接続デバイス数の収容、非常に低いエンド・ツー・エンド遅延（Ｅｎｄ‐ｔｏ‐Ｅｎｄ  Ｌａｔｅｎｃｙ）、高エネルギー効率を支援できなければならない。このために、二重接続性（Ｄｕａｌ  Ｃｏｎｎｅｃｔｉｖｉｔｙ）、大規模多重入出力（Ｍａｓｓｉｖｅ  ＭＩＭＯ：Ｍａｓｓｉｖｅ  Ｍｕｌｔｉｐｌｅ  Ｉｎｐｕｔ  Ｍｕｌｔｉｐｌｅ  Ｏｕｔｐｕｔ）、全二重（Ｉｎ‐ｂａｎｄ  Ｆｕｌｌ  Ｄｕｐｌｅｘ）、非直交多元接続（ＮＯＭＡ：Ｎｏｎ‐Ｏｒｔｈｏｇｏｎａｌ  Ｍｕｌｔｉｐｌｅ  Ａｃｃｅｓｓ）、超広帯域（Ｓｕｐｅｒ  ｗｉｄｅｂａｎｄ）支援、端末ネットワーキング（Ｄｅｖｉｃｅ  Ｎｅｔｗｏｒｋｉｎｇ）等、多様な技術が研究されている。
【発明の概要】
【発明が解決しようとする課題】
【０００４】
本明細書は、ＣＰＲＢに対した循環シフト（Ｃｙｃｌｉｃ  Ｓｈｉｆｔ）値をＣＰＲＢ指示情報に基づいて割り当てることによって、端末の同一ＣＰＲＢ選択により発生できるＵＬデータチャネル推定不可及びこれにマッピングされるエラー訂正応答（ＨＡＲＱ  ＡＣＫ／ＮＡＣＫ）送受信の衝突を防止するための方法を提供するのに目的がある。
【０００５】
本発明において達成しようとする技術的課題は、以上言及した技術的課題に制限されず、言及しないさらに他の技術的課題は、以下の記載から本発明が属する技術分野における通常の知識を有した者にとって明確に理解されることができるはずである。
【課題を解決するための手段】
【０００６】
本明細書は、無線通信システムにおける低い遅延（ｌｏｗ  ｌａｔｅｎｃｙ）を要求するアップリンクデータ（ＵＬ  ｄａｔａ）の送信方法において、端末により行われる前記方法は、特定端末及び／またはデータを区別するために使用されるＣＰＲＢ（Ｃｏｎｔｅｎｔｉｏｎ  ＰＵＳＣＨ  Ｒｅｓｏｕｒｃｅ  Ｂｌｏｃｋ）指示情報を基地局に送信するステップと、ＣＰゾーン（Ｃｏｎｔｅｎｔｉｏｎ  ｂａｓｅｄ  ＰＵＳＣＨ  Ｚｏｎｅ）のＣＰＲＢ資源を介してＵＬ（Ｕｐｌｉｎｋ）データを前記基地局に送信するステップと、 前記基地局から前記ＵＬデータに対するＨＡＲＱ（Ｈｙｂｒｉｄ  Ａｕｔｏｍａｔｉｃ  Ｒｅｔｒａｎｓｍｉｔ  ｒｅＱｕｅｓｔ）応答をＰＨＩＣＨ（Ｐｈｙｓｉｃａｌ  Ｈｙｂｒｉｄ  ＡＲＱ  Ｉｎｄｉｃａｔｏｒ  Ｃｈａｎｎｅｌ）を介して受信するステップとを含むものの、前記ＣＰゾーンは、アップリンクグラント（ＵＬ  ｇｒａｎｔ）割り当て無しでＵＬデータを送信できる資源領域であり、前記ＣＰＲＢ資源及び前記ＰＨＩＣＨは、前記ＣＰＲＢ指示情報に基づいて設定される循環シフト（Ｃｙｃｌｉｃ  Ｓｈｉｆｔ：ＣＳ）値がマッピングされることを特徴とする。
【０００７】
また、本明細書において、前記ＣＰＲＢ指示情報は、ＰＵＳＣＨ（Ｐｈｙｓｉｃａｌ  Ｕｐｌｉｎｋ  Ｓｈａｒｅｄ  Ｃｈａｎｎｅｌ）またはＰＵＣＣＨ（Ｐｈｙｓｉｃａｌ  Ｕｐｌｉｎｋ  Ｃｏｎｔｒｏｌ  Ｃｈａｎｎｅｌ）を介して送信される信号またはシーケンスであることを特徴とする。
【０００８】
また、本明細書において、前記循環シフト値は、同じＣＰＲＢに対して０から＜（ＣＰＲＢ指示情報値の最大値＋１）／Ｎ＞-１まで設定されることを特徴とする。
【０００９】
また、本明細書において、前記ＰＨＩＣＨは、前記循環シフト値に応じて端末別に区分されることを特徴とする。
【００１０】
また、本明細書において、前記ＣＰＲＢ指示情報及び前記ＵＬデータは、同一のサブフレームで送信されるか、または連続したサブフレームを介して送信されることを特徴とする。
【００１１】
また、本明細書は、無線通信システムにおける低い遅延（ｌｏｗ  ｌａｔｅｎｃｙ）を要求するアップリンクデータ（ＵＬ  ｄａｔａ）の受信方法において、基地局により行われる前記方法は、特定端末及び／またはデータを区別するために使用されるＣＰＲＢ（Ｃｏｎｔｅｎｔｉｏｎ  ＰＵＳＣＨ  Ｒｅｓｏｕｒｃｅ  Ｂｌｏｃｋ）指示情報を少なくとも二つ以上の端末らから受信するステップと、ＣＰゾーン（Ｃｏｎｔｅｎｔｉｏｎ  ｂａｓｅｄ  ＰＵＳＣＨ  Ｚｏｎｅ）のＣＰＲＢ資源を介してＵＬ（Ｕｐｌｉｎｋ）データを前記少なくとも二つ以上の端末から受信するステップと、前記少なくとも二つ以上の端末に前記ＵＬデータに対するＨＡＲＱ（Ｈｙｂｒｉｄ  Ａｕｔｏｍａｔｉｃ  Ｒｅｔｒａｎｓｍｉｔ  ｒｅＱｕｅｓｔ）応答をＰＨＩＣＨ（Ｐｈｙｓｉｃａｌ  Ｈｙｂｒｉｄ  ＡＲＱ  Ｉｎｄｉｃａｔｏｒ  Ｃｈａｎｎｅｌ）を介して送信するステップとを含むものの、前記ＣＰゾーンは、アップリンクグラント（ＵＬ  ｇｒａｎｔ）割り当て無しでＵＬデータを送信できる資源領域であり、前記ＣＰＲＢ資源及び前記ＰＨＩＣＨは、前記ＣＰＲＢ指示情報に基づいて設定される循環シフト（Ｃｙｃｌｉｃ  Ｓｈｉｆｔ：ＣＳ）値がマッピングされることを特徴とする。
【００１２】
また、本明細書は、無線通信システムにおいてＵＬ（Ｕｐｌｉｎｋ）データを送信するための端末であって、無線信号を送受信するためのＲＦ（Ｒａｄｉｏ  Ｆｒｅｑｕｅｎｃｙ）ユニットと、プロセッサを含み、前記プロセッサは、特定端末及び／またはデータを区別するために使用されるＣＰＲＢ（Ｃｏｎｔｅｎｔｉｏｎ  ＰＵＳＣＨ  Ｒｅｓｏｕｒｃｅ  Ｂｌｏｃｋ）指示情報を基地局に送信し、ＣＰゾーン（Ｃｏｎｔｅｎｔｉｏｎ  ｂａｓｅｄ  ＰＵＳＣＨ  Ｚｏｎｅ）のＣＰＲＢ資源を介してＵＬ（Ｕｐｌｉｎｋ）データを前記基地局に送信し、前記基地局から前記ＵＬデータに対するＨＡＲＱ（Ｈｙｂｒｉｄ  Ａｕｔｏｍａｔｉｃ  Ｒｅｔｒａｎｓｍｉｔ  ｒｅＱｕｅｓｔ）応答をＰＨＩＣＨ（Ｐｈｙｓｉｃａｌ  Ｈｙｂｒｉｄ  ＡＲＱ  Ｉｎｄｉｃａｔｏｒ  Ｃｈａｎｎｅｌ）を介して受信するように制御するものの、前記ＣＰゾーンは、アップリンクグラント（ＵＬ  ｇｒａｎｔ）割り当て無しでＵＬデータを送信できる資源領域であり、前記ＣＰＲＢ資源及び前記ＰＨＩＣＨは、前記ＣＰＲＢ指示情報に基づいて設定される循環シフト（Ｃｙｃｌｉｃ  Ｓｈｉｆｔ：ＣＳ）値がマッピングされることを特徴とする。
【発明の効果】
【００１３】
本明細書は、ＣＰＲＢに対した循環シフト（Ｃｙｃｌｉｃ  Ｓｈｉｆｔ）値をＣＰＲＢ指示情報に基づいて割り当てることによって、端末の同一ＣＰＲＢ選択により発生できるＵＬデータ資源（いわゆる、ＤＭＲＳ：Ｄｅｍｏｄｕｌａｔｉｏｎ-Ｒｅｆｅｒｅｎｃｅ  Ｓｉｇｎａｌ）の衝突問題を解決することによって、成功的なＵＬデータ送受信確率を高めることができるという効果がある。
【００１４】
また、本明細書は、ＣＰＲＢ指示情報に基づいて循環シフト（Ｃｙｃｌｉｃ  Ｓｈｉｆｔ）値を割り当てることによって、同一のＣＰＲＢを介して送信されるＵＬデータに対するエラー訂正応答（ＨＡＱＲ  ＡＣＫ／ＮＡＣＫ）送受信の衝突問題を解決できるという効果がある。
【００１５】
本発明において得ることができる効果は、以上言及した効果に制限されず、言及しないさらに他の効果は、以下の記載から本発明が属する技術分野における通常の知識を有した者にとって明確に理解されることができるはずである。
【図面の簡単な説明】
【００１６】
本発明に関する理解に役立つために、詳細な説明の一部として含まれる、添付図面は、本発明に対する実施の形態を提供し、詳細な説明と共に本発明の技術的特徴を説明する。
【００１７】
【図１】本発明が適用されることができるＥ‐ＵＴＲＡＮ（ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ）のネットワーク構造の一例を示す。
【図２】本発明が適用されることができる無線通信システムにおける端末とＥ‐ＵＴＲＡＮとの間の無線インタフェースプロトコル（ｒａｄｉｏ  ｉｎｔｅｒｆａｃｅ  ｐｒｏｔｏｃｏｌ）構造を示す。
【図３】本発明が適用されることができる３ＧＰＰ  ＬＴＥ／ＬＴＥ‐Ａシステムに利用される物理チャネル及びこれらを利用した一般的な信号送信方法を説明するための図である。
【図４】本発明が適用されることができる３ＧＰＰ  ＬＴＥ／ＬＴＥ‐Ａにおいて無線フレームの構造を示す。
【図５】本発明が適用されることができる無線通信システムにおける一つのダウンリンクスロットに対する資源グリッド（ｒｅｓｏｕｒｃｅ  ｇｒｉｄ）を示した図である。
【図６】本発明が適用されることができる無線通信システムにおけるダウンリンクサブフレームの構造を示す。
【図７】本発明が適用されることができる無線通信システムにおけるアップリンクサブフレームの構造を示す。
【図８】本発明が適用されることができる無線通信システムにおける一般ＣＰの場合にＡＣＫ／ＮＡＣＫチャネルの構造を示す。
【図９】本発明が適用されることができる無線通信システムにおけるＡＣＫ／ＮＡＣＫとＳＲを多重化する方法を例示する。
【図１０】本発明が適用されることができる無線通信システムにおけるＭＡＣエンティティ（ｅｎｔｉｔｙ）で使用するＭＡＣ  ＰＤＵを例示する図である。
【図１１】本発明が適用されることができる無線通信システムにおけるＭＡＣ  ＰＤＵのサブヘッダを例示する。
【図１２】本発明が適用されることができる無線通信システムにおけるＭＡＣ  ＰＤＵのサブヘッダを例示する。
【図１３】本発明が適用されることができる無線通信システムにおけるバッファ状態報告のためのＭＡＣ制御要素のフォーマットを例示する図である。
【図１４】本発明が適用されることができる無線通信システムにおけるコンポーネントキャリヤ及びキャリヤ併合の一例を示す。
【図１５】本発明が適用されることができる無線通信システムにおける競争基盤ランダムアクセス手順を説明するための図である。
【図１６】本発明が適用されることができる無線通信システムにおける非競争基盤ランダムアクセス手順を説明するための図である。
【図１７】本発明が適用されることができる無線通信システムにおける端末のアップリンク資源割り当て過程を例示する図である。
【図１８】本発明が適用されることができる３ＧＰＰ  ＬＴＥ‐Ａシステムにおいて要求する競争基盤ランダムアクセス手順の各過程別かかる遅延時間を説明するための図である。
【図１９】本発明が適用されることができる３ＧＰＰ  ＬＴＥ‐Ａで要求する制御平面（Ｃ‐Ｐｌａｎｅ）での遅延時間（ｌａｔｅｎｃｙ）を説明するための図である。
【図２０】本発明が適用されることができる３ＧＰＰ  ＬＴＥ‐Ａで要求する同期化された端末のドーマント状態（ｄｏｒｍａｎｔ  ｓｔａｔｅ）からアクティブ状態（ａｃｔｉｖｅ  ｓｔａｔｅ）への遷移時間を説明するための図である。
【図２１】ランダム接続過程（Ｒａｎｄｏｍ  Ａｃｃｅｓｓ  Ｐｒｏｃｅｄｕｒｅ）の一例を示した図である。
【図２２】アップリンクサブフレームの構造を示す他の図である。
【図２３】アップリンクに参照信号を送信するための信号処理過程を説明するための図である。
【図２４】復調用参照信号を送信するためのサブフレームの構造を示す図である。
【図２５】ＣＰゾーン設定及び競争ＰＵＳＣＨ資源ブロックの一例を示した図である。
【図２６】競争ＰＵＳＣＨ資源ブロックのさらに他の一例を示した図である。
【図２７】ＣＰゾーンと関連した情報送信方法の一例を示した図である。
【図２８】バッファ状態報告（ＢＳＲ）でＣＰゾーンを使用する方法の一例を示した図である。
【図２９】バッファ状態報告（ＢＳＲ）でＣＰゾーンを利用する場合、多様な方式のＣＰゾーン設定の一例を示した図である。
【図３０】バッファ状態報告（ＢＳＲ）でＣＰＲＢマッピング方法の一例を示した図である。
【図３１】同じＣＰＲＢ占有によってＢＳＲ送信時に発生する衝突現象の一例を示した図である。
【図３２】本明細書で提案するＣＰＲＢのＤＭＲＳ循環シフトを設定するための方法の一例を示した図である。
【図３３】本明細書で提案するＤＭＲＳ循環シフト値を設定する方法の一例を示した図である。
【図３４】本明細書で提案するＤＭＲＳ循環シフト値を設定する方法のさらに他の一例を示した図である。
【図３５】本明細書で提案する方法が適用されることができる無線通信装置のブロック構成図を例示する。
【発明を実施するための形態】
【００１８】
以下、本発明に係る好ましい実施形態を添付された図面を参照して詳細に説明する。添付された図面とともに以下に開示される詳細な説明は、本発明の例示的な実施形態を説明しようとするものであり、本発明が実施され得る唯一の実施形態を表そうとするものではない。以下の詳細な説明は、本発明の完全な理解を提供するために具体的な細部事項を含む。しかし、当業者は、本発明がこのような具体的な細部事項無しでも実施され得ることが分かる。
【００１９】
いくつの場合、本発明の概念が曖昧になることを避けるために、公知の構造及び装置は省略されたり、各構造及び装置の核心機能を中心としたブロック図形式で図示され得る。
【００２０】
本明細書において基地局は、端末と直接通信を行うネットワークの終端ノード（ｔｅｒｍｉｎａｌ  ｎｏｄｅ）としての意味を有する。本文書において基地局により行われることと説明された特定動作は、場合によっては基地局の上位ノード（ｕｐｐｅｒ  ｎｏｄｅ）により行われることもできる。すなわち、基地局を含む複数のネットワークノード（ｎｅｔｗｏｒｋ  ｎｏｄｅｓ）からなるネットワークで端末との通信のために行われる様々な動作は、基地局または基地局以外の他のネットワークノードにより行われ得ることは自明である。「基地局（ＢＳ：Ｂａｓｅ  Ｓｔａｔｉｏｎ）」は、固定局（ｆｉｘｅｄ  ｓｔａｔｉｏｎ）、ＮｏｄｅＢ、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ＡＰ：Ａｃｃｅｓｓ  Ｐｏｉｎｔ）などの用語により代替され得る。また、「端末（Ｔｅｒｍｉｎａｌ）」は、固定されるか、移動性を有することができ、ＵＥ（Ｕｓｅｒ  Ｅｑｕｉｐｍｅｎｔ）、ＭＳ（Ｍｏｂｉｌｅ  Ｓｔａｔｉｏｎ）、ＵＴ（ｕｓｅｒ  ｔｅｒｍｉｎａｌ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ）、ＭＴＣ（Ｍａｃｈｉｎｅ−Ｔｙｐｅ  Ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ（Ｄｅｖｉｃｅ−ｔｏ−Ｄｅｖｉｃｅ）装置などの用語に代替され得る。
【００２１】
以下において、下向きリンク（ＤＬ：ｄｏｗｎｌｉｎｋ）は、基地局から端末への通信を意味し、上向きリンク（ＵＬ：ｕｐｌｉｎｋ）は、端末から基地局への通信を意味する。下向きリンクにおいて送信機は、基地局の一部であり、受信機は、端末の一部でありうる。上向きリンクにおいて送信機は、端末の一部であり、受信機は、基地局の一部でありうる。
【００２２】
以下の説明において使用される特定用語は、本発明の理解を助けるために提供されたものであり、このような特定用語の使用は、本発明の技術的思想を逸脱しない範囲で他の形態に変更されることができる。
【００２３】
以下の技術は、ＣＤＭＡ（ｃｏｄｅ  ｄｉｖｉｓｉｏｎ  ｍｕｌｔｉｐｌｅａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）、ＮＯＭＡ（ｎｏｎ−ｏｒｔｈｏｇｏｎａｌ  ｍｕｌｔｉｐｌｅ  ａｃｃｅｓｓ）などのような様々な無線接続システムに利用され得る。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）で実現されることができる。ＴＤＭＡは、ＧＳＭ（登録商標）（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ（登録商標）  ｅｖｏｌｕｔｉｏｎ）のような無線技術で実現されることができる。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ  ＵＴＲＡ）などのような無線技術で実現されることができる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）  ＬＴＥ（ｌｏｎｇ  ｔｅｒｍ  ｅｖｏｌｕｔｉｏｎ）は、Ｅ−ＵＴＲＡを使用するＥ−ＵＭＴＳ（ｅｖｏｌｖｅｄ  ＵＭＴＳ）の一部であって、下向きリンクでＯＦＤＭＡを採用し、上向きリンクでＳＣ−ＦＤＭＡを採用する。ＬＴＥ−Ａ（ａｄｖａｎｃｅｄ）は、３ＧＰＰ  ＬＴＥの進化である。
【００２４】
本発明の実施形態は、無線接続システムであるＩＥＥＥ８０２、３ＧＰＰ、及び３ＧＰＰ２のうち、少なくとも１つに開示された標準文書により裏付けられることができる。すなわち、本発明の実施形態のうち、本発明の技術的思想を明確に表すために、説明していないステップまたは部分は、前記文書により裏付けられることができる。また、本文書で開示しているあらゆる用語は、前記標準文書により説明されることができる。
【００２５】
説明を明確にするために、３ＧＰＰ  ＬＴＥ−Ａを中心として記述するが、本発明の技術的特徴がこれに制限されるものではない。
【００２６】
システム一般
【００２７】
図１は、Ｅ−ＵＴＲＡＮ（ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ）のネットワーク構造の一例を示す。
【００２８】
Ｅ−ＵＴＲＡＮシステムは、既存のＵＴＲＡＮシステムから進化したシステムであって、例えば、３ＧＰＰ  ＬＴＥ−Ａシステムでありうる。Ｅ−ＵＴＲＡＮは、端末に制御平面（ｃｏｎｔｒｏｌ  ｐｌａｎｅ）とユーザ平面（ｕｓｅｒ  ｐｌａｎｅ）プロトコルを提供する基地局（ｅＮＢ）等で構成され、基地局は、Ｘ２インターフェースを介して連結される。Ｘ２ユーザ平面インターフェース（Ｘ２−Ｕ）は、基地局間に定義される。Ｘ２−Ｕインターフェースは、ユーザ平面ＰＤＵ（ｐａｃｋｅｔ  ｄａｔａ  ｕｎｉｔ）の保障されない伝達（ｎｏｎ  ｇｕａｒａｎｔｅｅｄ  ｄｅｌｉｖｅｒｙ）を提供する。Ｘ２制御平面インターフェース（Ｘ２−ＣＰ）は、２つの隣接基地局間に定義される。Ｘ２−ＣＰは、基地局間のコンテキスト（ｃｏｎｔｅｘｔ）伝達、ソース基地局とターゲット基地局との間のユーザ平面トンネルの制御、ハンドオーバ関連メッセージの伝達、上向きリンク負荷管理などの機能を果たす。基地局は、無線インターフェースを介して端末と連結され、Ｓ１インターフェースを介してＥＰＣ（ｅｖｏｌｖｅｄ  ｐａｃｋｅｔ  ｃｏｒｅ）に連結される。Ｓ１ユーザ平面インターフェース（Ｓ１−Ｕ）は、基地局とサービングゲートウェイ（Ｓ−ＧＷ：ｓｅｒｖｉｎｇ  ｇａｔｅｗａｙ）間に定義される。Ｓ１制御平面インターフェース（Ｓ１−ＭＭＥ）は、基地局と移動性管理個体（ＭＭＥ：ｍｏｂｉｌｉｔｙ  ｍａｎａｇｅｍｅｎｔ  ｅｎｔｉｔｙ）間に定義される。Ｓ１インターフェースは、ＥＰＳ（ｅｖｏｌｖｅｄ  ｐａｃｋｅｔ  ｓｙｓｔｅｍ）ベアラーサービス管理機能、ＮＡＳ（ｎｏｎ−ａｃｃｅｓｓ  ｓｔｒａｔｕｍ）シグナリングトランスポート機能、ネットワークシェアリング、ＭＭＥ負荷バランシング機能などを行う。Ｓ１インターフェースは、基地局とＭＭＥ／Ｓ−ＧＷ間に複数−対−複数関係（ｍａｎｙ−ｔｏ−ｍａｎｙ−ｒｅｌａｔｉｏｎ）を支援する。
【００２９】
図２は、端末とＥ−ＵＴＲＡＮ間の無線インターフェースプロトコル（ｒａｄｉｏ  ｉｎｔｅｒｆａｃｅ  ｐｒｏｔｏｃｏｌ）構造を示す。図２Ａは、制御平面（ｃｏｎｔｒｏｌ  ｐｌａｎｅ）に対する無線プロトコル構造を示し、図２Ｂは、ユーザ平面（ｕｓｅｒ  ｐｌａｎｅ）に対する無線プロトコル構造を示す。
【００３０】
図２に示すように、端末とＥ−ＵＴＲＡＮとの間の無線インターフェースプロトコルの階層は、通信システムの技術分野に公知となった、広く知られた開放型システム間相互接続（ＯＳＩ：ｏｐｅｎ  ｓｙｓｔｅｍ  ｉｎｔｅｒｃｏｎｎｅｃｔｉｏｎ）標準モデルの下位３階層に基づいて、第１の階層Ｌ１、第２の階層Ｌ２、及び第３の階層Ｌ３に分割されることができる。端末とＥ−ＵＴＲＡＮとの間の無線インターフェースプロトコルは、水平的に物理階層（ｐｈｙｓｉｃａｌ  ｌａｙｅｒ）、データリンク階層（ｄａｔａ  ｌｉｎｋ  ｌａｙｅｒ）、及びネットワーク階層（ｎｅｔｗｏｒｋ  ｌａｙｅｒ）からなり、垂直的には、データ情報送信のためのプロトコルスタック（ｐｒｏｔｏｃｏｌ  ｓｔａｃｋ）ユーザ平面（ｕｓｅｒ  ｐｌａｎｅ）と制御信号（ｓｉｇｎａｌｉｎｇ）伝達のためのプロトコルスタックである制御平面（ｃｏｎｔｒｏｌ  ｐｌａｎｅ）とに区分される。
【００３１】
制御平面は、端末とネットワークが呼を管理するために用いる制御メッセージが送信される通路を意味する。ユーザ平面は、アプリケーション階層で生成されたデータ、例えば、音声データまたはインターネットパケットデータなどが送信される通路を意味する。以下、無線プロトコルの制御平面とユーザ平面の各階層を説明する。第１の階層Ｌ１である物理階層（ＰＨＹ：ｐｈｙｓｉｃａｌ  ｌａｙｅｒ）は、物理チャネル（ｐｈｙｓｉｃａｌ  ｃｈａｎｎｅｌ）を使用することにより、上位階層への情報送信サービス（ｉｎｆｏｒｍａｔｉｏｎ  ｔｒａｎｓｆｅｒ  ｓｅｒｖｉｃｅ）を提供する。物理階層は、上位レベルに位置した媒体接続制御（ＭＡＣ：ｍｅｄｉｕｍ  ａｃｃｅｓｓ  ｃｏｎｔｒｏｌ）階層に送信チャネル（ｔｒａｎｓｐｏｒｔ  ｃｈａｎｎｅｌ）を介して連結され、送信チャネルを介してＭＡＣ階層と物理階層との間でデータが送信される。送信チャネルは、無線インターフェースを介してデータがどのように、どの特徴で送信されるかによって分類される。そして、互いに異なる物理階層間、送信端の物理階層と受信端の物理階層との間には、物理チャネル（ｐｈｙｓｉｃａｌ  ｃｈａｎｎｅｌ）を介してデータが送信される。物理階層は、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）方式で変調され、時間と周波数を無線資源として活用する。
【００３２】
物理階層で使用されるいくつかの物理制御チャネルがある。物理下向きリンク制御チャネル（ＰＤＣＣＨ：ｐｈｙｓｉｃａｌ  ｄｏｗｎｌｉｎｋ  ｃｏｎｔｒｏｌ  ｃｈａｎｎｅｌ）は、端末にページングチャネル（ＰＣＨ：ｐａｇｉｎｇ  ｃｈａｎｎｅｌ）と下向きリンク共有チャネル（ＤＬ−ＳＣＨ：ｄｏｗｎｌｉｎｋ  ｓｈａｒｅｄ  ｃｈａｎｎｅｌ）の資源割当及び上向きリンク共有チャネル（ＵＬ−ＳＣＨ：ｕｐｌｉｎｋ  ｓｈａｒｅｄ  ｃｈａｎｎｅｌ）と関連したＨＡＲＱ（ｈｙｂｒｉｄ  ａｕｔｏｍａｔｉｃ  ｒｅｐｅａｔ  ｒｅｑｕｅｓｔ）情報を知らせる。また、ＰＤＣＣＨは、端末に上向きリンク送信の資源割当を知らせる上向きリンク承認（ＵＬ  Ｇｒａｎｔ）を運ぶことができる。物理制御フォーマット指示子チャネル（ＰＤＦＩＣＨ：ｐｈｙｓｉｃａｌ  ｃｏｎｔｒｏｌ  ｆｏｒｍａｔ  ｉｎｄｉｃａｔｏｒ  ｃｈａｎｎｅｌ）は、端末にＰＤＣＣＨ等に使用されるＯＦＤＭシンボルの数を知らせ、サブフレーム毎に送信される。物理ＨＡＲＱ指示子チャネル（ＰＨＩＣＨ：ｐｈｙｓｉｃａｌ  ＨＡＲＱ  ｉｎｄｉｃａｔｏｒ  ｃｈａｎｎｅｌ）は、上向きリンク送信の応答としてＨＡＲＱ  ＡＣＫ（ａｃｋｎｏｗｌｅｄｇｅ）／ＮＡＣＫ（ｎｏｎ−ａｃｋｎｏｗｌｅｄｇｅ）信号を運ぶ。物理上向きリンク制御チャネル（ＰＵＣＣＨ：ｐｈｙｓｉｃａｌ  ｕｐｌｉｎｋ  ｃｏｎｔｒｏｌ  ｃｈａｎｎｅｌ）は、下向きリンク送信に対するＨＡＲＱ  ＡＣＫ／ＮＡＣＫ、スケジューリング要請、及びチャネル品質指示子（ＣＱＩ：ｃｈａｎｎｅｌ  ｑｕａｌｉｔｙ  ｉｎｄｉｃａｔｏｒ）などのような上向きリンク制御情報を運ぶ。物理上向きリンク共有チャネル（ＰＵＳＣＨ：ｐｈｙｓｉｃａｌ  ｕｐｌｉｎｋ  ｓｈａｒｅｄ  ｃｈａｎｎｅｌ）は、ＵＬ−ＳＣＨを運ぶ。
【００３３】
第２の階層Ｌ２のＭＡＣ階層は、論理チャネル（ｌｏｇｉｃａｌ  ｃｈａｎｎｅｌ）を介して上位階層である無線リンク制御（ＲＬＣ：ｒａｄｉｏ  ｌｉｎｋ  ｃｏｎｔｒｏｌ）階層にサービスを提供する。また、ＭＡＣ階層は、論理チャネルと送信チャネルとの間のマッピング及び論理チャネルに属するＭＡＣサービスデータユニット（ＳＤＵ：ｓｅｒｖｉｃｅ  ｄａｔａ  ｕｎｉｔ）の送信チャネル上に物理チャネルに提供される送信ブロック（ｔｒａｎｓｐｏｒｔ  ｂｌｏｃｋ）への多重化／逆多重化機能を含む。
【００３４】
第２の階層Ｌ２のＲＬＣ階層は、信頼性のあるデータ送信を支援する。ＲＬＣ階層の機能は、ＲＬＣ  ＳＤＵの連結（ｃｏｎｃａｔｅｎａｔｉｏｎ）、分割（ｓｅｇｍｅｎｔａｔｉｏｎ）、及び再結合（ｒｅａｓｓｅｍｂｌｙ）を含む。無線ベアラー（ＲＢ：ｒａｄｉｏ  ｂｅａｒｅｒ）が要求する様々なＱｏＳ（ｑｕａｌｉｔｙ  ｏｆ  ｓｅｒｖｉｃｅ）を保障するために、ＲＬＣ階層は、透明モード（ＴＭ：ｔｒａｎｓｐａｒｅｎｔ  ｍｏｄｅ）、非確認モード（ＵＭ：ｕｎａｃｋｎｏｗｌｅｄｇｅｄ  ｍｏｄｅ）、及び確認モード（ＡＭ：ａｃｋｎｏｗｌｅｄｇｅ  ｍｏｄｅ）の３つの動作モードを提供する。ＡＭ  ＲＬＣは、ＡＲＱ（ａｕｔｏｍａｔｉｃ  ｒｅｐｅａｔ  ｒｅｑｕｅｓｔ）を介してエラー訂正を提供する。一方、ＭＡＣ階層がＲＬＣ機能を果たす場合、ＲＬＣ階層は、ＭＡＣ階層の機能ブロックとして含まれることができる。
【００３５】
第２の階層Ｌ２のパケットデータコンバージェンスプロトコル（ＰＤＣＰ：ｐａｃｋｅｔ  ｄａｔａ  ｃｏｎｖｅｒｇｅｎｃｅ  ｐｒｏｔｏｃｏｌ）階層は、ユーザ平面でユーザデータの伝達、ヘッダ圧縮（ｈｅａｄｅｒ  ｃｏｍｐｒｅｓｓｉｏｎ）、及び暗号化（ｃｉｐｈｅｒｉｎｇ）機能を果たす。ヘッダ圧縮機能は、小さい帯域幅を有する無線インターフェースを介してＩＰｖ４（ｉｎｔｅｒｎｅｔ  ｐｒｏｔｏｃｏｌ  ｖｅｒｓｉｏｎ  ４）またはＩＰｖ６（ｉｎｔｅｒｎｅｔ  ｐｒｏｔｏｃｏｌ  ｖｅｒｓｉｏｎ  ６）のようなインターネットプロトコル（ＩＰ：ｉｎｔｅｒｎｅｔ  ｐｒｏｔｏｃｏｌ）パケットを効率的に送信させるために、相対的に大きさが大きく、不要な制御情報を含んでいるＩＰパケットヘッダサイズを減らす機能を意味する。制御平面でのＰＤＣＰ階層の機能は、制御平面データの伝達及び暗号化／完全性保護（ｉｎｔｅｇｒｉｔｙ  ｐｒｏｔｅｃｔｉｏｎ）を含む。
【００３６】
第３の階層Ｌ３の最下位部分に位置した無線資源制御（ＲＲＣ：ｒａｄｉｏｒｅｓｏｕｒｃｅ  ｃｏｎｔｒｏｌ）階層は、制御平面にのみ定義される。ＲＲＣ階層は、端末とネットワークとの間の無線資源を制御する役割を果たす。このために、端末とネットワークは、ＲＲＣ階層を介してＲＲＣメッセージを互いに交換する。ＲＲＣ階層は、無線ベアラー等の設定（ｃｏｎｆｉｇｕｒａｔｉｏｎ）、再設定（ｒｅ−ｃｏｎｆｉｇｕｒａｔｉｏｎ）、及び解除（ｒｅｌｅａｓｅ）と関連して論理チャネル、送信チャネル、及び物理チャネルを制御する。無線ベアラーは、端末とネットワークとの間のデータ送信のために、第２の階層Ｌ２によって提供される論理的な経路を意味する。無線ベアラーが設定されるとは、特定サービスを提供するために、無線プロトコル階層及びチャネルの特性を規定し、それぞれの具体的なパラメータ及び動作方法を設定することを意味する。無線ベアラーは、さらにシグナリング無線ベアラー（ＳＲＢ：ｓｉｇｎａｌｉｎｇ  ＲＢ）とデータ無線ベアラー（ＤＲＢ：ｄａｔａ  ＲＢ）の２つに分けられることができる。ＳＲＢは、制御平面においてＲＲＣメッセージを送信する通路として使用され、ＤＲＢは、ユーザ平面においてユーザデータを送信する通路として使用される。
【００３７】
ＲＲＣ階層上位に位置するＮＡＳ（ｎｏｎ−ａｃｃｅｓｓ  ｓｔｒａｔｕｍ）階層は、セッション管理（ｓｅｓｓｉｏｎ  ｍａｎａｇｅｍｅｎｔ）と移動性管理（ｍｏｂｉｌｉｔｙ  ｍａｎａｇｅｍｅｎｔ）などの機能を果たす。
【００３８】
ｅＮＢを構成する１つのセルは、１．２５、２．５、５、１０、２０Ｍｈｚなどの帯域幅のうちの１つとして設定されて、種々の端末に下向きまたは上向き送信サービスを提供する。互いに異なるセルは、互いに異なる帯域幅を提供するように設定されることができる。
【００３９】
ネットワークから端末にデータを送信する下向き送信チャネル（ｄｏｗｎｌｉｎｋ  ｔｒａｎｓｐｏｒｔ  ｃｈａｎｎｅｌ）は、システム情報を送信する放送チャネル（ＢＣＨ：ｂｒｏａｄｃａｓｔ  ｃｈａｎｎｅｌ）、ページングメッセージを送信するＰＣＨ、ユーザトラフィックや制御メッセージを送信するＤＬ−ＳＣＨなどがある。下向きマルチキャストまたは放送サービスのトラフィック若しくは制御メッセージの場合、ＤＬ−ＳＣＨを介して送信されることができ、或いは別の下向きマルチキャストチャネル（ＭＣＨ：ｍｕｌｔｉｃａｓｔ  ｃｈａｎｎｅｌ）を介して送信されることもできる。一方、端末からネットワークにデータを送信する上向き送信チャネル（ｕｐｌｉｎｋ  ｔｒａｎｓｐｏｒｔ  ｃｈａｎｎｅｌ）としては、初期制御メッセージを送信するランダムアクセスチャネル（ＲＡＣＨ：ｒａｎｄｏｍ  ａｃｃｅｓｓ  ｃｈａｎｎｅｌ）、ユーザトラフィックや制御メッセージを送信するＵＬ−ＳＣＨ（ｕｐｌｉｎｋ  ｓｈａｒｅｄ  ｃｈａｎｎｅｌ）がある。
【００４０】
論理チャネル（ｌｏｇｉｃａｌ  ｃｈａｎｎｅｌ）は、送信チャネルの上位にあり、送信チャネルにマッピングされる。論理チャネルは、制御領域情報の伝達のための制御チャネルとユーザ領域情報の伝達のためのトラフィックチャネルとに区分されることができる。論理チャネルとしては、放送制御チャネル（ＢＣＣＨ：ｂｒｏａｄｃａｓｔ  ｃｏｎｔｒｏｌ  ｃｈａｎｎｅｌ）、ページング制御チャネル（ＰＣＣＨ：ｐａｇｉｎｇ  ｃｏｎｔｒｏｌ  ｃｈａｎｎｅｌ）、共通制御チャネル（ＣＣＣＨ：ｃｏｍｍｏｎ  ｃｏｎｔｒｏｌ  ｃｈａｎｎｅｌ）、専用制御チャネル（ＤＣＣＨ：ｄｅｄｉｃａｔｅｄ  ｃｏｎｔｒｏｌ  ｃｈａｎｎｅｌ）、マルチキャスト制御チャネル（ＭＣＣＨ：ｍｕｌｔｉｃａｓｔ  ｃｏｎｔｒｏｌ  ｃｈａｎｎｅｌ）、専用トラフィックチャネル（ＤＴＣＨ：ｄｅｄｉｃａｔｅｄ  ｔｒａｆｆｉｃ  ｃｈａｎｎｅｌ）、マルチキャストトラフィックチャネル（ＭＴＣＨ：ｍｕｌｔｉｃａｓｔ  ｔｒａｆｆｉｃ  ｃｈａｎｎｅｌ）などがある。
【００４１】
端末とＭＭＥの制御平面に位置したＮＡＳ階層で端末の移動性を管理するために、ＥＭＭ（ＥＰＳ  ｍｏｂｉｌｉｔｙ  ｍａｎａｇｅｍｅｎｔ）登録状態（ＥＭＭ−ＲＥＧＩＳＴＥＲＥＤ）及びＥＭＭ登録解除状態（ＥＭＭ−ＤＥＲＥＧＩＳＴＥＲＥＤ）が定義され得る。ＥＭＭ登録状態及びＥＭＭ登録解除状態は、端末とＭＭＥに適用されることができる。端末の電源を最初につけた場合のように、初期端末はＥＭＭ登録解除状態にあり、この端末がネットワークに接続するために、初期接続（ｉｎｉｔｉａｌ  ａｔｔａｃｈ）手順を介して当該ネットワークに登録する過程を行う。接続手順が成功的に行われれば、端末及びＭＭＥは、ＥＭＭ登録状態に遷移（ｔｒａｎｓｉｔｉｏｎ）される。
【００４２】
また、端末とネットワークとの間のシグナリング連結（ｓｉｇｎａｌｉｎｇ  ｃｏｎｎｅｃｔｉｏｎ）を管理するために、ＥＣＭ（ＥＰＳ  ｃｏｎｎｅｃｔｉｏｎ  ｍａｎａｇｅｍｅｎｔ）連結状態（ＥＣＭ−ＣＯＮＮＥＣＴＥＤ）及びＥＣＭアイドル状態（ＥＣＭ−ＩＤＬＥ）が定義され得る。ＥＣＭ連結状態及びＥＣＭアイドル状態も端末とＭＭＥに適用され得る。ＥＣＭ連結は、端末と基地局との間に設定されるＲＲＣ連結と、基地局とＭＭＥとの間に設定されるＳ１シグナリング連結とで構成される。ＲＲＣ状態は、端末のＲＲＣ階層と基地局のＲＲＣ階層とが論理的に連結（ｃｏｎｎｅｃｔｉｏｎ）されているか否かを表す。すなわち、端末のＲＲＣ階層と基地局のＲＲＣ階層とが連結されている場合、端末は、ＲＲＣ連結状態（ＲＲＣ＿ＣＯＮＮＥＣＴＥＤ）にあるようになる。端末のＲＲＣ階層と基地局のＲＲＣ階層とが連結されていない場合、端末は、ＲＲＣアイドル状態（ＲＲＣ＿ＩＤＬＥ）にあるようになる。
【００４３】
ネットワークは、ＥＣＭ連結状態にある端末の存在をセル単位で把握することができ、端末を効果的に制御することができる。それに対し、ネットワークは、ＥＣＭアイドル状態にある端末の存在を把握することができず、コアネットワーク（ＣＮ：ｃｏｒｅ  ｎｅｔｗｏｒｋ）がセルよりさらに大きい地域単位であるトラッキング領域（ｔｒａｃｋｉｎｇ  ａｒｅａ）単位で管理する。端末がＥＣＭアイドル状態にあるときには、端末は、トラッキング領域で唯一に割り当てられたＩＤを用いてＮＡＳにより設定された不連続受信（ＤＲＸ：Ｄｉｓｃｏｎｔｉｎｕｏｕｓ  Ｒｅｃｅｐｔｉｏｎ）を行う。すなわち、端末は、端末−特定ページングＤＲＸサイクル毎に、特定ページング機会にページング信号をモニタリングすることにより、システム情報及びページング情報のブロードキャストを受信することができる。また、端末がＥＣＭアイドル状態にあるときには、ネットワークは、端末のコンテキスト（ｃｏｎｔｅｘｔ）情報を有していない。したがって、ＥＣＭアイドル状態の端末は、ネットワークの命令を受ける必要無しでセル選択（ｃｅｌｌ  ｓｅｌｅｃｔｉｏｎ）またはセル再選択（ｃｅｌｌ  ｒｅｓｅｌｅｃｔｉｏｎ）のような端末基盤の移動性関連手順を行うことができる。ＥＣＭアイドル状態で端末の位置がネットワークが知っている位置と異なるようになる場合、端末は、トラッキング領域アップデート（ＴＡＵ：ｔｒａｃｋｉｎｇ  ａｒｅａ  ｕｐｄａｔｅ）手順を介してネットワークに当該端末の位置を知らせることができる。それに対し、端末がＥＣＭ連結状態にあるときには、端末の移動性は、ネットワークの命令によって管理される。ＥＣＭ連結状態でネットワークは、端末が属したセルを知る。したがって、ネットワークは、端末にまたは端末からデータを送信及び／又は受信し、端末のハンドオーバのような移動性を制御し、周辺セルに対するセル測定を行うことができる。
【００４４】
上記のように、端末が音声やデータのような通常の移動通信サービスを受けるためには、ＥＣＭ連結状態に遷移しなければならない。端末の電源を最初につけた場合のように、初期端末は、ＥＭＭ状態と同様にＥＣＭアイドル状態にあり、端末が初期接続（ｉｎｉｔｉａｌ  ａｔｔａｃｈ）手順を介して当該ネットワークに成功的に登録するようになると、端末及びＭＭＥは、ＥＣＭ連結状態に遷移（ｔｒａｎｓｉｔｉｏｎ）される。また、端末がネットワークに登録されているが、トラフィックが非活性化されて無線資源が割り当てられていない場合、端末は、ＥＣＭアイドル状態にあり、当該端末に上向きリンク或いは下向きリンクの新しいトラフィックが発生されれば、サービス要請（ｓｅｒｖｉｃｅ  ｒｅｑｕｅｓｔ）手順を介して端末及びＭＭＥは、ＥＣＭ連結状態に遷移（ｔｒａｎｓｉｔｉｏｎ）される。
【００４５】
図３は、３ＧＰＰ  ＬＴＥ−Ａシステムに利用される物理チャネル及びこれらを利用した一般的な信号送信方法を説明するための図である。
【００４６】
電源が消えた状態で再度電源がつけられるか、新しくセルに進入した端末は、Ｓ３０１ステップで基地局と同期を合わせる等の初期セル探索（ｉｎｉｔｉａｌ  ｃｅｌｌ  ｓｅａｒｃｈ）作業を行う。このために、端末は、基地局から主同期チャネル（Ｐ−ＳＣＨ：ｐｒｉｍａｒｙ  ｓｙｎｃｈｒｏｎｉｚａｔｉｏｎ  ｃｈａｎｎｅｌ）及び副同期チャネル（Ｓ−ＳＣＨ：ｓｅｃｏｎｄａｒｙ  ｓｙｎｃｈｒｏｎｉｚａｔｉｏｎ  ｃｈａｎｎｅｌ）を受信して基地局と同期を合わせ、セルＩＤ（ｉｄｅｎｔｉｆｉｅｒ）などの情報を取得する。
【００４７】
その後、端末は、基地局から物理放送チャネル（ＰＢＣＨ：ｐｈｙｓｉｃａｌ  ｂｒｏａｄｃａｓｔ  ｃｈａｎｎｅｌ）信号を受信してセル内の放送情報を取得できる。一方、端末は、初期セル探索ステップで下向きリンク参照信号（ＤＬ  ＲＳ：ｄｏｗｎｌｉｎｋ  ｒｅｆｅｒｅｎｃｅ  ｓｉｇｎａｌ）を受信して下向きリンクチャネル状態を確認できる。
【００４８】
初期セル探索を終えた端末は、Ｓ３０２ステップでＰＤＣＣＨ及びＰＤＣＣＨ情報に応じるＰＤＳＣＨを受信して、さらに具体的なシステム情報を取得できる。
【００４９】
その後、端末は、基地局に接続を完了するために、ステップＳ３０３ないしステップＳ３０６のようなランダムアクセス手順（ｒａｎｄｏｍ  ａｃｃｅｓｓ  ｐｒｏｃｅｄｕｒｅ）を行うことができる。このために、端末は、物理ランダムアクセスチャネル（ＰＲＡＣＨ：ｐｈｙｓｉｃａｌ  ｒａｎｄｏｍ  ａｃｃｅｓｓ  ｃｈａｎｎｅｌ）を介してプリアンブル（ｐｒｅａｍｂｌｅ）を送信し（Ｓ３０３）、ＰＤＣＣＨ及びこれに対応するＰＤＳＣＨを介してプリアンブルに対する応答メッセージを受信できる（Ｓ３０４）。競争基盤ランダムアクセスの場合、端末は、追加的なＰＲＡＣＨ信号の送信（Ｓ３０５）及びＰＤＣＣＨ信号、並びにこれに対応するＰＤＳＣＨ信号の受信（Ｓ３０６）のような衝突解決手順（ｃｏｎｔｅｎｔｉｏｎ  ｒｅｓｏｌｕｔｉｏｎ  ｐｒｏｃｅｄｕｒｅ）を行うことができる。
【００５０】
上述したような手順を行った端末は、その後、一般的な上／下向きリンク信号送信手順としてＰＤＣＣＨ信号及び／又はＰＤＳＣＨ信号の受信（Ｓ３０７）及び物理上向きリンク共有チャネル（ＰＵＳＣＨ）信号及び／又は物理上向きリンク制御チャネル（ＰＵＣＣＨ）信号の送信（Ｓ３０８）を行うことができる。
【００５１】
端末が基地局に送信する制御情報を通称して上向きリンク制御情報（ＵＣＩ：ｕｐｌｉｎｋ  ｃｏｎｔｒｏｌ  ｉｎｆｏｒｍａｔｉｏｎ）と称する。ＵＣＩは、ＨＡＲＱ−ＡＣＫ／ＮＡＣＫ、スケジューリング要請（ＳＲ：ｓｃｈｅｄｕｌｉｎｇ  ｒｅｑｕｅｓｔ）、チャネル品質指示子（ＣＱＩ）、プリコーディング行列指示子（ＰＭＩ：ｐｒｅｃｏｄｉｎｇ  ｍａｔｒｉｘ  ｉｎｄｉｃａｔｏｒ）、ランク指示子（ＲＩ：ｒａｎｋ  ｉｎｄｉｃａｔｉｏｎ）情報などを含む。
【００５２】
ＬＴＥ−ＡシステムにおいてＵＣＩは、一般的にＰＵＣＣＨを介して周期的に送信されるが、制御情報とトラフィックデータが同時に送信されるべき場合、ＰＵＳＣＨを介して送信されることができる。また、ネットワークの要請／指示によりＰＵＳＣＨを介してＵＣＩを非周期的に送信することができる。
【００５３】
図４は、３ＧＰＰ  ＬＴＥ−Ａで無線フレームの構造を示す。
【００５４】
セルラーＯＦＤＭ無線パケット通信システムにおいて、上向きリンク／下向きリンクデータパケット送信は、サブフレーム（ｓｕｂ  ｆｒａｍｅ）単位でなされ、１つのサブフレームは、複数のＯＦＤＭシンボルを含む一定時間区間として定義される。３ＧＰＰ  ＬＴＥ−Ａ標準では、ＦＤＤ（Ｆｒｅｑｕｅｎｃｙ  Ｄｉｖｉｓｉｏｎ  Ｄｕｐｌｅｘ）に適用可能なタイプ１の無線フレーム（ｒａｄｉｏ  ｆｒａｍｅ）構造とＴＤＤ（Ｔｉｍｅ  Ｄｉｖｉｓｉｏｎ  Ｄｕｐｌｅｘ）に適用可能なタイプ２の無線フレーム構造を支援する。ＦＤＤ方式によれば、上向きリンク送信と下向きリンク送信とが互いに異なる周波数帯域を占めながらなされる。ＴＤＤ方式によれば、上向きリンク送信と下向きリンク送信とが同じ周波数帯域を占めながら互いに異なる時間になされる。ＴＤＤ方式のチャネル応答は、実質的に相互的（ｒｅｃｉｐｒｏｃａｌ）である。これは、与えられた周波数領域で下向きリンクチャネル応答と上向きリンクチャネル応答とがほとんど同様であるということを意味する。したがって、ＴＤＤに基づいた無線通信システムにおいて下向きリンクチャネル応答は、上向きリンクチャネル応答から得られるという長所がある。ＴＤＤ方式は、全体周波数帯域を上向きリンク送信と下向きリンク送信とが時分割されるので、基地局による下向きリンク送信と端末による上向きリンク送信とが同時に行われることができない。上向きリンク送信と下向きリンク送信とがサブフレーム単位で区分されるＴＤＤシステムにおいて、上向きリンク送信と下向きリンク送信とは、互いに異なるサブフレームで行われる。
【００５５】
図４Ａは、タイプ１の無線フレームの構造を例示する。下向きリンク無線フレーム（ｒａｄｉｏ  ｆｒａｍｅ）は、１０個のサブフレーム（ｓｕｂ  ｆｒａｍｅ）で構成され、１つのサブフレームは、時間領域（ｔｉｍｅ  ｄｏｍａｉｎ）において２個のスロット（ｓｌｏｔ）で構成される。１つのサブフレームが送信されるのにかかる時間をＴＴＩ（ｔｒａｎｓｍｉｓｓｉｏｎ  ｔｉｍｅ  ｉｎｔｅｒｖａｌ）という。例えば、１つのサブフレームの長さは１ｍｓであり、１つのスロットの長さは０．５ｍｓでありうる。１つのスロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域で複数の資源ブロック（ＲＢ：Ｒｅｓｏｕｒｃｅ  Ｂｌｏｃｋ）を含む。３ＧＰＰ  ＬＴＥ−Ａは、下向きリンクでＯＦＤＭＡを使用するので、ＯＦＤＭシンボルは、１つのシンボル区間（ｓｙｍｂｏｌ  ｐｅｒｉｏｄ）を表現するためのものである。ＯＦＤＭシンボルは、１つのＳＣ−ＦＤＭＡシンボルまたはシンボル区間といえる。資源割当単位としての資源ブロックは、１つのスロットで複数の連続的な副搬送波（ｓｕｂｃａｒｒｉｅｒ）を含む。
【００５６】
１つのスロットに含まれるＯＦＤＭシンボルの数は、循環前置（ＣＰ：Ｃｙｃｌｉｃ  Ｐｒｅｆｉｘ）の構成（ｃｏｎｆｉｇｕｒａｔｉｏｎ）によって変わることができる。ＣＰには、拡張循環前置（ｅｘｔｅｎｄｅｄ  ＣＰ）と一般循環前置（ｎｏｒｍａｌ  ＣＰ）とがある。例えば、ＯＦＤＭシンボルが一般循環前置により構成された場合、１つのスロットに含まれるＯＦＤＭシンボルの数は７個でありうる。ＯＦＤＭシンボルが拡張循環前置により構成された場合、１つのＯＦＤＭシンボルの長さが増えるので、１つのスロットに含まれるＯＦＤＭシンボルの数は、一般循環前置の場合より少ない。拡張循環前置の場合に、例えば、１つのスロットに含まれるＯＦＤＭシンボルの数は６個でありうる。端末が速い速度で移動するなどの場合のように、チャネル状態が不安定な場合、シンボル間干渉をより一層減らすために拡張循環前置が使用され得る。
【００５７】
一般循環前置が使用される場合、１つのスロットは、７個のＯＦＤＭシンボルを含むので、１つのサブフレームは、１４個のＯＦＤＭシンボルを含む。このとき、各サブフレームの１番目の最大３個のＯＦＤＭシンボルは、ＰＤＣＣＨ（ｐｈｙｓｉｃａｌ  ｄｏｗｎｌｉｎｋ  ｃｏｎｔｒｏｌ  ｃｈａｎｎｅｌ）に割り当てられ、残りのＯＦＤＭシンボルは、ＰＤＳＣＨ（ｐｈｙｓｉｃａｌ  ｄｏｗｎｌｉｎｋ  ｓｈａｒｅｄ  ｃｈａｎｎｅｌ）に割り当てられることができる。
【００５８】
図４Ｂは、タイプ２のフレーム構造（ｆｒａｍｅ  ｓｔｒｕｃｔｕｒｅ  ｔｙｐｅ  ２）を示す。タイプ２の無線フレームは、２個のハーフフレーム（ｈａｌｆ  ｆｒａｍｅ）で構成され、各ハーフフレームは、５個のサブフレームで構成され、１個のサブフレームは、２個のスロットで構成される。５個のサブフレームのうち、特に、スペシャルサブフレーム（ｓｐｅｃｉａｌ  ｓｕｂ  ｆｒａｍｅ）は、ＤｗＰＴＳ（Ｄｏｗｎｌｉｎｋ  Ｐｉｌｏｔ  Ｔｉｍｅ  Ｓｌｏｔ）、保護区間（ＧＰ：Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）で構成される。ＤｗＰＴＳは、端末での初期セル探索、同期化、またはチャネル推定に使用される。ＵｐＰＴＳは、基地局でのチャネル推定と端末の上向きリンク送信同期を合わせるのに使用される。保護区間は、上向きリンクと下向きリンクとの間に下向きリンク信号の多重経路遅延のため、上向きリンクで生じる干渉を除去するための区間である。
【００５９】
上述した無線フレームの構造は、１つの例示に過ぎず、無線フレームに含まれるサブフレームの数またはサブフレームに含まれるスロットの数、スロットに含まれるシンボルの数は様々に変更されることができる。
【００６０】
図５は、１つの下向きリンクスロットに対する資源グリッド（ｒｅｓｏｕｒｃｅ  ｇｒｉｄ）を例示した図である。
【００６１】
図５に示すように、１つの下向きリンクスロットは、時間領域で複数のＯＦＤＭシンボルを含む。ここで、１つの下向きリンクスロットは、７個のＯＦＤＭシンボルを含み、１つの資源ブロックは、周波数領域で１２個の副搬送波を含むことを例示的に記述するが、これに限定されるものではない。
【００６２】
資源グリッド上で各要素（ｅｌｅｍｅｎｔ）を資源要素（ＲＥ：ｒｅｓｏｕｒｃｅ  ｅｌｅｍｅｎｔ）とし、１つの資源ブロックは、１２×７個の資源要素を含む。資源グリッド上の資源要素は、スロット内のインデックスペア（ｐａｉｒ）（ｋ、ｌ）により識別されることができる。ここで、ｋ（ｋ＝０、…、ＮＲＢ×１２−１）は、周波数領域内の副搬送波インデックスであり、ｌ（ｌ＝０、．．．、６）は、時間領域内のＯＦＤＭシンボルインデックスである。下向きリンクスロットに含まれる資源ブロックの数（ＮＲＢ）は、下向きリンク送信帯域幅（ｂａｎｄｗｉｄｔｈ）に従属する。上向きリンクスロットの構造は、下向きリンクスロットの構造と同様でありうる。
【００６３】
図６は、下向きリンクサブフレームの構造を示す。
【００６４】
図６に示すように、サブフレーム内の１番目のスロットで先の最大３個のＯＦＤＭシンボルが制御チャネルが割り当てられる制御領域（ｃｏｎｔｒｏｌ  ｒｅｇｉｏｎ）であり、残りのＯＦＤＭシンボルは、ＰＤＳＣＨが割り当てられるデータ領域（ｄａｔａ  ｒｅｇｉｏｎ）である。３ＧＰＰ  ＬＴＥ−Ａで使用される下向きリンク制御チャネルの一例として、ＰＣＦＩＣＨ、ＰＤＣＣＨ、ＰＨＩＣＨなどがある。
【００６５】
ＰＣＦＩＣＨは、サブフレームの１番目のＯＦＤＭシンボルで送信され、サブフレーム内に制御チャネルの送信のために使用されるＯＦＤＭシンボルの数（すなわち、制御領域の大きさ）に関する情報を運ぶ。ＰＨＩＣＨは、上向きリンクに対する応答チャネルであり、ＨＡＲＱに対するＡＣＫ／ＮＡＣＫ信号を運ぶ。ＰＤＣＣＨを介して送信される制御情報を下向きリンク制御情報（ＤＣＩ：ｄｏｗｎｌｉｎｋ  ｃｏｎｔｒｏｌ  ｉｎｆｏｒｍａｔｉｏｎ）という。下向きリンク制御情報は、上向きリンク資源割当情報、下向きリンク資源割当情報、または任意の端末グループに対する上向きリンク送信（Ｔｘ）パワー制御命令を含む。
【００６６】
基地局は、端末に送ろうとするＤＣＩによってＰＤＣＣＨフォーマットを決定し、制御情報にＣＲＣ（ｃｙｃｌｉｃ  ｒｅｄｕｎｄａｎｃｙ  ｃｈｅｃｋ）を付ける。ＣＲＣには、ＰＤＣＣＨの所有者（ｏｗｎｅｒ）や用途によって固有な識別子（ＲＮＴＩ：ｒａｄｉｏ  ｎｅｔｗｏｒｋ  ｔｅｍｐｏｒａｒｙ  ｉｄｅｎｔｉｆｉｅｒ）がマスキング（ｍａｓｋｉｎｇ）される。特定端末のためのＰＤＣＣＨであれば、端末の固有識別子（例えば、Ｃ−ＲＮＴＩ（ｃｅｌｌ−ＲＮＴＩ））がＣＲＣにマスキングされ得る。または、ページングメッセージのためのＰＤＣＣＨであれば、ページング指示識別子（例えば、Ｐ−ＲＮＴＩ（ｐａｇｉｎｇ−ＲＮＴＩ））がＣＲＣにマスキングされ得る。システム情報ブロック（ＳＩＢ：ｓｙｓｔｅｍ  ｉｎｆｏｒｍａｔｉｏｎ  ｂｌｏｃｋ）のためのＰＤＣＣＨであれば、システム情報識別子（ＳＩ−ＲＮＴＩ（ｓｙｓｔｅｍ  ｉｎｆｏｒｍａｔｉｏｎ−ＲＮＴＩ））がＣＲＣにマスキングされ得る。また、端末のランダムアクセスプリアンブルの送信に対する応答であるランダムアクセス応答を指示するために、ＲＡ−ＲＮＴＩ（ｒａｎｄｏｍ  ａｃｃｅｓｓ−ＲＮＴＩ）がＣＲＣにマスキングされ得る。
【００６７】
図７は、上向きリンクサブフレームの構造を示す。
【００６８】
図７に示すように、上向きリンクサブフレームは、周波数領域で制御領域とデータ領域とに分けることができる。制御領域には、上向きリンク制御情報を運ぶＰＵＣＣＨが割り当てられる。データ領域は、ユーザデータを運ぶＰＵＳＣＨが割り当てられる。上位階層で指示される場合、端末は、ＰＵＳＣＨとＰＵＣＣＨの同時送信を支援できる。１つの端末に対するＰＵＣＣＨには、サブフレーム内に資源ブロックペア（ｐａｉｒ）が割り当てられる。ＰＵＣＣＨに割り当てられる資源ブロックペアに属する資源ブロックは、スロット境界（ｓｌｏｔ  ｂｏｕｎｄａｒｙ）を基準として２個のスロットの各々で互いに異なる副搬送波を占める。これを、ＰＵＣＣＨに割り当てられた資源ブロックペアは、スロット境界で周波数跳躍（ｆｒｅｑｕｅｎｃｙ  ｈｏｐｐｉｎｇ）されるという。
【００６９】
ＰＤＣＣＨ（Ｐｈｙｓｉｃａｌ  Ｄｏｗｎｌｉｎｋ  Ｃｏｎｔｒｏｌ  Ｃｈａｎｎｅｌ）
【００７０】
ＰＤＣＣＨを介して送信される制御情報をダウンリンク制御情報（ＤＣＩ：Ｄｏｗｎｌｉｎｋ  Ｃｏｎｔｒｏｌ  Ｉｎｄｉｃａｔｏｒ）という。ＰＤＣＣＨは、ＤＣＩフォーマットに従って制御情報の大きさ及び用途が異なり、また符号化率に応じて大きさが変わることができる。
【００７１】
表１は、ＤＣＩフォーマットに応じるＤＣＩを示す。
【００７２】
【表１】
0006328843.tif 000002
【００７３】
表１を参照すると、ＤＣＩフォーマットには、ＰＵＳＣＨスケジューリングのためのフォーマット０、一つのＰＤＳＣＨコードワードのスケジューリングのためのフォーマット１、一つのＰＤＳＣＨコードワードの簡単な（ｃｏｍｐａｃｔ）スケジューリングのためのフォーマット１Ａ、ＤＬ‐ＳＣＨの非常に簡単なスケジューリングのためのフォーマット１Ｃ、閉ループ（Ｃｌｏｓｅｄ‐ｌｏｏｐ）空間多重化（ｓｐａｔｉａｌ  ｍｕｌｔｉｐｌｅｘｉｎｇ）モードでＰＤＳＣＨスケジューリングのためのフォーマット２、開ループ（Ｏｐｅｎｌｏｏｐ）空間多重化モードでＰＤＳＣＨスケジューリングのためのフォーマット２Ａ、アップリンクチャネルのためのＴＰＣ（Ｔｒａｎｓｍｉｓｓｉｏｎ  Ｐｏｗｅｒ  Ｃｏｎｔｒｏｌ）命令の送信のためのフォーマット３及び３Ａ、多重アンテナポート送信モード（ｔｒａｎｓｍｉｓｓｉｏｎ  ｍｏｄｅ）で一つのアップリンクセル内のＰＵＳＣＨスケジューリングのためのフォーマット４がある。
【００７４】
ＤＣＩフォーマット１Ａは、端末に如何なる送信モードが設定されても、ＰＤＳＣＨスケジューリングのために使用されることができる。
【００７５】
このような、ＤＣＩフォーマットは、端末別に独立的に適用されることができ、一つのサブフレーム中に複数の端末のＰＤＣＣＨが同時に多重化（ｍｕｌｔｉｐｌｅｘｉｎｇ）されることができる。ＰＤＣＣＨは、一つまたはいくつかの連続的なＣＣＥ（ｃｏｎｔｒｏｌ  ｃｈａｎｎｅｌ  ｅｌｅｍｅｎｔｓ）の集合（ａｇｇｒｅｇａｔｉｏｎ）から構成される。ＣＣＥは、無線チャネルの状態に応じる符号化率をＰＤＣＣＨに提供するために使用される論理的割り当て単位である。ＣＣＥは、４個の資源要素から構成されたＲＥＧの９個のセットに対応する単位のことを意味する。基地局は、一つのＰＤＣＣＨ信号を構成するために、｛１、２、４、８｝個のＣＣＥを使用することができ、このときの｛１、２、４、８｝は、ＣＣＥ集合レベル（ａｇｇｒｅｇａｔｉｏｎ  ｌｅｖｅｌ）と呼ぶ。特定ＰＤＣＣＨの送信のために使用されるＣＣＥの数は、チャネル状態に応じて基地局によって決定される。各端末によって構成されたＰＤＣＣＨは、ＣＣＥに対したＲＥマッピング規則（ＣＣＥ‐ｔｏ‐ＲＥ  ｍａｐｐｉｎｇ  ｒｕｌｅ）によって各サブフレームの制御チャネル領域にインターリビング（ｉｎｔｅｒｌｅａｖｉｎｇ）されてマッピングされる。ＰＤＣＣＨの位置は、各サブフレームの制御チャネルのためのＯＦＤＭシンボル数、ＰＨＩＣＨグループ数、及び送信アンテナ及び周波数遷移などによって変わることができる。
【００７６】
上述のように、多重化された各端末のＰＤＣＣＨに独立的にチャネルコーディングが行われ、ＣＲＣ（Ｃｙｃｌｉｃ  Ｒｅｄｕｎｄａｎｃｙ  Ｃｈｅｃｋ）が適用される。各端末の固有の識別子（ＵＥ  ＩＤ）をＣＲＣにマスキング（ｍａｓｋｉｎｇ）して、端末が自身のＰＤＣＣＨを受信することができるようにする。しかしながら、サブフレーム内で割り当てられた制御領域において地局は、端末に該当するＰＤＣＣＨがどこにあるかに関する情報を提供しない。端末は、基地局から送信された制御チャネルを受信するために、自身のＰＤＣＣＨがどの位置でどんなＣＣＥ集合レベルまたはＤＣＩフォーマットで送信されるかが分からないので、端末は、サブフレーム内でＰＤＣＣＨ候補（ｃａｎｄｉｄａｔｅ）の集合をモニタリングして、自身のＰＤＣＣＨを探す。これをブラインドデコード（ＢＤ：Ｂｌｉｎｄ  Ｄｅｃｏｄｉｎｇ）という。ブラインドデコードは、ブラインド探索（Ｂｌｉｎｄ  Ｄｅｔｅｃｔｉｏｎ）またはブラインドサーチ（Ｂｌｉｎｄ  Ｓｅａｒｃｈ）と呼ばれることができる。ブラインドデコードは、端末がＣＲＣ部分に自身の端末識別子（ＵＥ  ＩＤ）をデマスキング（Ｄｅ‐Ｍａｓｋｉｎｇ）させた後、ＣＲＣエラーを検討して該当ＰＤＣＣＨが自身の制御チャネルであるかどうかを確認する方法をいう。
【００７７】
以下、ＤＣＩフォーマット０を介して送信される情報を説明する。
【００７８】
図８は、本発明が適用されることができる無線通信システムにおけるＤＣＩフォーマット０の構造を例示する図である。
【００７９】
ＤＣＩフォーマット０は、一つのアップリンクセルでのＰＵＳＣＨをスケジューリングするために使用される。
【００８０】
表２は、ＤＣＩフォーマット０で送信される情報を示す。
【００８１】
【表２】
0006328843.tif 000003
【００８２】
図８及び表２を参照すると、ＤＣＩフォーマット０を介して送信される情報は、次の通りである。
【００８３】
１）キャリヤ指示子（Ｃａｒｒｉｅｒ  ｉｎｄｉｃａｔｏｒ）‐０または３ビットから構成される。
【００８４】
２）ＤＣＩフォーマット０とフォーマット１Ａを区分するためのフラグ‐１ビットから構成され、０値は、ＤＣＩフォーマット０を指示し、１値は、ＤＣＩフォーマット１Ａを指示する。
【００８５】
３）周波数跳躍（ｈｏｐｐｉｎｇ）フラグ‐１ビットから構成される。このフィールドは、必要な場合、該当資源割り当ての最上位ビット（ＭＳＢ：Ｍｏｓｔ  Ｓｉｇｎｉｆｉｃａｎｔ  ｂｉｔ）を多重クラスタ（ｍｕｌｔｉ‐ｃｌｕｓｔｅｒ）割り当てのために使用されることができる。
【００８６】
資源ブロック割り当て（Ｒｅｓｏｕｒｃｅ  ｂｌｏｃｋ  ａｓｓｉｇｎｍｅｎｔ）と跳躍（ｈｏｐｐｉｎｇ）資源割り当て‐
【数１】
0006328843.tif 000004
ビットから構成される。
【００８７】
ここで、単一クラスタ（ｓｉｎｇｌｅ‐ｃｌｕｓｔｅｒ  ａｌｌｏｃａｔｉｏｎ）割り当てにおいてＰＵＳＣＨ跳躍の場合、
【数２】
0006328843.tif 000005
の値を獲得するために、ＮＵＬ＿ｈｏｐ個の最上位ビット（ＭＳＢ）が使用される。
【数３】
0006328843.tif 000006
ビットは、アップリンクサブフレーム内に第１番目のスロットの資源割り当てを提供する。また、単一クラスタ割り当てにおいてＰＵＳＣＨ跳躍がない場合、
【数４】
0006328843.tif 000007
ビットがアップリンクサブフレーム内に資源割り当てを提供する。また、多重クラスタ割り当て（ｍｕｌｔｉ‐ｃｌｕｓｔｅｒ  ａｌｌｏｃａｔｉｏｎ）においてＰＵＳＣＨ跳躍がない場合、周波数跳躍フラグフィールド及び資源ブロック割り当てと跳躍資源割り当てフィールドの接続（ｃｏｎｃａｔｅｎａｔｉｏｎ）から資源割り当て情報が得られ、
【数５】
0006328843.tif 000008
ビットがアップリンクサブフレーム内に資源割り当てを提供する。このとき、Ｐ値は、ダウンリンク資源ブロックの数により決まる。
【００８８】
５）変調及びコーディング技法（ＭＣＳ：Ｍｏｄｕｌａｔｉｏｎ  ａｎｄ  ｃｏｄｉｎｇ  ｓｃｈｅｍｅ) ‐５ビットから構成される。
【００８９】
６）新しいデータ指示子（Ｎｅｗ  ｄａｔａ  ｉｎｄｉｃａｔｏｒ） ‐１ビットから構成される。
【００９０】
７）ＰＵＳＣＨのためのＴＰＣ（Ｔｒａｎｓｍｉｔ  Ｐｏｗｅｒ  Ｃｏｎｔｒｏｌ）コマンド‐２ビットから構成される。
【００９１】
８）ＤＭＲＳ（ｄｅｍｏｄｕｌａｔｉｏｎ  ｒｅｆｅｒｅｎｃｅ  ｓｉｇｎａｌ）のための循環シフト（ＣＳ：ｃｙｃｌｉｃ  ｓｈｉｆｔ）と直交カバーコード（ＯＣ／ＯＣＣ：ｏｒｔｈｏｇｏｎａｌ  ｃｏｖｅｒ／ｏｒｔｈｏｇｏｎａｌ  ｃｏｖｅｒ  ｃｏｄｅ）のインデックス‐３ビットから構成される。
【００９２】
９）アップリンクインデックス‐２ビットから構成される。このフィールドは、アップリンク‐ダウンリンク構成０に応じるＴＤＤ動作のみに存在する。
【００９３】
１０）ダウンリンク割り当てインデックス（ＤＡＩ：Ｄｏｗｎｌｉｎｋ  Ａｓｓｉｇｎｍｅｎｔ  Ｉｎｄｅｘ） ‐２ビットから構成される。このフィールドは、アップリンク‐ダウンリンク構成（ｕｐｌｉｎｋ‐ｄｏｗｎｌｉｎｋ  ｃｏｎｆｉｇｕｒａｔｉｏｎ）１‐６に応じるＴＤＤ動作のみに存在する。
【００９４】
１１）チャネル状態情報（ＣＳＩ：Ｃｈａｎｎｅｌ  Ｓｔａｔｅ  Ｉｎｆｏｒｍａｔｉｏｎ）要請‐１または２ビットから構成される。ここで、２ビットフィールドは、一つ以上のダウンリンクセルが設定された端末に端末特定（ＵＥ  ｓｐｅｃｉｆｉｃ）に該当ＤＣＩがＣ‐ＲＮＴＩ（Ｃｅｌｌ‐ＲＮＴＩ）によりマッピングされた場合のみに適用される。
【００９５】
１２）サウンディング参照信号（ＳＲＳ：Ｓｏｕｎｄｉｎｇ  Ｒｅｆｅｒｅｎｃｅ  Ｓｉｇｎａｌ）要請‐０または１ビットから構成される。ここで、このフィールドは、スケジューリングするＰＵＳＣＨが端末特定（ＵＥ  ｓｐｅｃｉｆｉｃ）にＣ‐ＲＮＴＩによりマッピングされた場合のみに存在する。
【００９６】
１３）資源割り当てタイプ（Ｒｅｓｏｕｒｃｅ  ａｌｌｏｃａｔｉｏｎ  ｔｙｐｅ）‐１ビットから構成される。
【００９７】
ＤＣＩフォーマット０内に情報ビットの数がＤＣＩフォーマット１Ａのペイロード大きさ（追加されたパディングビットを含む）より小さな場合、ＤＣＩフォーマット０にＤＣＩフォーマット１Ａのペイロード大きさが同じになるように０が追加される。
【００９８】
ＰＵＣＣＨ（Ｐｈｙｓｉｃａｌ  Ｕｐｌｉｎｋ  Ｃｏｎｔｒｏｌ  Ｃｈａｎｎｅｌ）
【００９９】
ＰＵＣＣＨは、フォーマット（ｆｏｒｍａｔ）に従って次のような多様な種類のアップリンク制御情報（ＵＣＩ：ｕｐｌｉｎｋ  ｃｏｎｔｒｏｌ  ｉｎｆｏｒｍａｔｉｏｎ）を運ぶ。
【０１００】
‐ＳＲ（Ｓｃｈｅｄｕｌｉｎｇ  Ｒｅｑｕｅｓｔ）：アップリンクＵＬ‐ＳＣＨ資源を要請するのに使用される情報である。ＯＯＫ（Ｏｎ‐ｏｆｆ  Ｋｅｙｉｎｇ）方式を利用して送信される。
【０１０１】
‐ＨＡＲＱ  ＡＣＫ／ＮＡＣＫ：ＰＤＳＣＨ上のダウンリンクデータパケットに対する応答信号である。ダウンリンクデータパケットが成功的に受信されたかどうかを表す。単一ダウンリンクコードワード（ｃｏｄｅｗｏｒｄ）に対する応答としてＡＣＫ／ＮＡＣＫ１ビットが送信され、２個のダウンリンクコードワードに対する応答としてＡＣＫ／ＮＡＣＫ２ビットが送信される。
【０１０２】
‐ＣＳＩ（Ｃｈａｎｎｅｌ  Ｓｔａｔｅ  Ｉｎｆｏｒｍａｔｉｏｎ）：ダウンリンクチャネルに対するフィードバック情報である。ＣＳＩは、ＣＱＩ（Ｃｈａｎｎｅｌ  Ｑｕａｌｏｔｙ  Ｉｎｄｉｃａｔｏｒ）、ＲＩ（ｒａｎｋ  ｉｎｄｉｃａｔｏｒ）、ＰＭＩ（Ｐｒｅｃｏｄｉｎｇ  Ｍａｔｒｉｘ  Ｉｎｄｉｃａｔｏｒ）及びＰＴＩ（Ｐｒｅｃｏｄｉｎｇ  Ｔｙｐｅ  Ｉｎｄｉｃａｔｏｒ）のうち、少なくともいずれか一つを含むことができる。以下、説明の便宜のために「ＣＱＩ」と通称して説明する。
【０１０３】
ＰＵＣＣＨは、ＢＰＳＫ（Ｂｉｎａｒｙ  Ｐｈａｓｅ  Ｓｈｉｆｔ  Ｋｅｙｉｎｇ）とＱＰＳＫ（Ｑｕａｄｒａｔｕｒｅ  Ｐｈａｓｅ  Ｓｈｉｆｔ  Ｋｅｙｉｎｇ）技法を使用して変調されることができる。ＰＵＣＣＨを介して複数の端末の制御情報が送信されることができ、各端末の信号を区別するために、コード分割多重化（ＣＤＭ：Ｃｏｄｅ  Ｄｉｖｉｓｉｏｎ  Ｍｕｌｔｉｐｌｅｘｉｎｇ）を行う場合に、長さ１２のＣＡＺＡＣ（Ｃｏｎｓｔａｎｔ  Ａｍｐｌｉｔｕｄｅ  Ｚｅｒｏ  Ａｕｔｏｃｏｒｒｅｌａｔｉｏｎ）シーケンスを主に使用する。ＣＡＺＡＣシーケンスは、時間領域（ｔｉｍｅ  ｄｏｍａｉｎ）及び周波数領域（ｆｒｅｑｕｅｎｃｙ  ｄｏｍａｉｎ）で一定の大きさ（ａｍｐｌｉｔｕｄｅ）を維持する特性を有するので、端末のＰＡＰＲ（Ｐｅａｋ‐ｔｏ‐Ａｖｅｒａｇｅ  Ｐｏｗｅｒ  Ｒａｔｉｏ）またはＣＭ（Ｃｕｂｉｃ  Ｍｅｔｒｉｃ）を低くして、カバレッジを増加させるのに適した性質を有する。また、ＰＵＣＣＨを介して送信されるダウンリンクデータ送信に対するＡＣＫ／ＮＡＣＫ情報は、直交シーケンス（ｏｒｔｈｇｏｎａｌ  ｓｅｑｕｅｎｃｅ）または直交カバー（ＯＣ：ｏｒｔｈｏｇｏｎａｌ  ｃｏｖｅｒ）を利用してカバーリングされる。
【０１０４】
また、ＰＵＣＣＨ上に送信される制御情報は、互いに異なる循環シフト（ＣＳ：ｃｙｃｌｉｃ  ｓｈｉｆｔ）値を有する循環シフトされたシーケンス（ｃｙｃｌｉｃａｌｌｙ  ｓｈｉｆｔｅｄ  ｓｅｑｕｅｎｃｅ）を利用して区別されることができる。循環シフトされたシーケンスは、基本シーケンス（ｂａｓｅ  ｓｅｑｕｅｎｃｅ）を特定ＣＳ量（ｃｙｃｌｉｃ  ｓｈｉｆｔ  ａｍｏｕｎｔ）だけ循環シフトさせて生成できる。特定ＣＳ量は、循環シフトインデックス（ＣＳ  ｉｎｄｅｘ）により指示される。チャネルの遅延拡散（ｄｅｌａｙ  ｓｐｒｅａｄ）によって使用可能な循環シフトの数は変わることができる。多様な種類のシーケンスが基本シーケンスとして使用されることができ、上述のＣＡＺＡＣシーケンスは、その一例である。
【０１０５】
また、端末が一つのサブフレームで送信できる制御情報の量は、制御情報の送信に利用可能なＳＣ‐ＦＤＭＡシンボルの数（すなわち、ＰＵＣＣＨのコーヒレント（ｃｏｈｅｒｅｎｔ）検出のための参照信号（ＲＳ）の送信に利用されるＳＣ‐ＦＤＭＡシンボルを除いたＳＣ‐ＦＤＭＡシンボルを意味するが、ＳＲＳ（Ｓｏｕｎｄｉｎｇ  Ｒｅｆｅｒｅｎｃｅ  Ｓｉｇｎａｌ）が設定されたサブフレームの場合、サブフレームの最後のＳＣ‐ＦＤＭＡシンボルも除く）に応じて決定されることができる。
【０１０６】
ＰＵＣＣＨは、送信される制御情報、変調技法、制御情報の量などに応じて、総７通りの異なるフォーマットとして定義され、各々のＰＵＣＣＨフォーマットに従って送信されるアップリンク制御情報（ＵＣＩ：ｕｐｌｉｎｋ  ｃｏｎｔｒｏｌ  ｉｎｆｏｒｍａｔｉｏｎ）の属性は、次の表３のように要約できる。
【０１０７】
【表３】
0006328843.tif 000009
【０１０８】
表３を参照すると、ＰＵＣＣＨフォーマット１は、スケジューリング要請（ＳＲ：Ｓｃｈｅｄｕｌｉｎｇ  Ｒｅｑｕｅｓｔ）の単独送信に使用される。ＳＲ単独送信の場合には、変調されない波形が適用される。
【０１０９】
ＰＵＣＣＨフォーマット１ａまたは１ｂは、ＨＡＲＱ  ＡＣＫ／ＮＡＣＫ（Ａｃｋｎｏｗｌｅｄｇｅｍｅｎｔ／Ｎｏｎ‐Ａｃｋｎｏｗｌｅｄｇｅｍｅｎｔ）の送信に使用される。任意のサブフレームにおいてＨＡＲＱ  ＡＣＫ／ＮＡＣＫが単独に送信される場合には、ＰＵＣＣＨフォーマット１ａまたは１ｂを使用することができる。または、ＰＵＣＣＨフォーマット１ａまたは１ｂを使用してＨＡＲＱ  ＡＣＫ／ＮＡＣＫ及びＳＲが同一サブフレームで送信されることもできる。
【０１１０】
ＰＵＣＣＨフォーマット２は、ＣＱＩの送信に使用され、ＰＵＣＣＨフォーマット２ａまたは２ｂは、ＣＱＩ及びＨＡＲＱ  ＡＣＫ／ＮＡＣＫの送信に使用される。拡張ＣＰの場合には、ＰＵＣＣＨフォーマット２がＣＱＩ及びＨＡＲＱ  ＡＣＫ／ＮＡＣＫの送信に使用されることもできる。
【０１１１】
ＰＵＣＣＨフォーマット３は、４８ビットのエンコードされたＵＣＩを運ぶのに使用される。ＰＵＣＣＨフォーマット３は、複数のサービングセルに対するＨＡＲＱ  ＡＣＫ／ＮＡＣＫ、ＳＲ（存在する場合）及び一つのサービングセルに対するＣＳＩ報告を運ぶことができる。
【０１１２】
図９は、本発明が適用されることができる無線通信システムにおけるＰＵＣＣＨフォーマットがアップリンク物理資源ブロックのＰＵＣＣＨ領域にマッピングされる形態の一例を示す。
【０１１３】
一つの端末に対するＰＵＣＣＨは、サブフレームにおいて資源ブロック対（ＲＢ  ｐａｉｒ）に割り当てられる。資源ブロック対に属する資源ブロックは、第１スロットと第２スロットの各々で互いに異なる副搬送波を占める。ＰＵＣＣＨに割り当てられる資源ブロック対に属する資源ブロックが占める周波数は、スロット境界（ｓｌｏｔ  ｂｏｕｎｄａｒｙ）に基づいて変更される。これをＰＵＣＣＨに割り当てられるＲＢ対がスロット境界で周波数がホッピング（ｆｒｅｑｕｅｎｃｙ‐ｈｏｐｐｅｄ）されたという。端末がアップリンク制御情報を時間に応じて互いに異なる副搬送波を介して送信することによって、周波数ダイバーシチ利得を得ることができる。
【０１１４】
図９において
【数６】
0006328843.tif 000010
は、アップリンクでの資源ブロックの数を示し、０、１，．．．，
【数７】
0006328843.tif 000011
は、物理資源ブロックの番号を意味する。基本的に、ＰＵＣＣＨは、アップリンク周波数ブロックの両側エッジ（ｅｄｇｅ）にマッピングされる。図９に示すように、ｍ＝０，１に表示されるＰＵＣＣＨ領域にＰＵＣＣＨフォーマット２／２ａ／２ｂがマッピングされ、これは、ＰＵＣＣＨフォーマット２／２ａ／２ｂが帯域‐エッジ（ｂａｎｄｅｄｇｅ）に位置した資源ブロックにマッピングされると表現できる。また、ｍ＝２に表示されるＰＵＣＣＨ領域にＰＵＣＣＨフォーマット２／２ａ／２ｂ及びＰＵＣＣＨフォーマット１／１ａ／１ｂが共に（ｍｉｘｅｄ）マッピングされることができる。次に、ｍ＝３，４，５に表示されるＰＵＣＣＨ領域にＰＵＣＣＨフォーマット１／１ａ／１ｂがマッピングされることができる。ＰＵＣＣＨフォーマット２／２ａ／２ｂにより使用可能なＰＵＣＣＨ  ＲＢの数（
【数８】
0006328843.tif 000012
）は、ブロードキャストシグナリングによってセル内の端末に指示されることができる。
【０１１５】
表４は、ＰＵＣＣＨフォーマットに応じる変調方式とサブフレーム当たりのビット数を表す。表４におけるＰＵＣＣＨフォーマット２ａと２ｂは、一般循環のケースに該当する。
【０１１６】
【表４】
0006328843.tif 000013
【０１１７】
表５は、ＰＵＣＣＨフォーマットに応じるスロット当たりのＰＵＣＣＨ復調参照信号（ｄｅｍｏｄｕｌａｔｉｏｎ  ｒｅｆｅｒｅｎｃｅ  ｓｉｇｎａｌ）のシンボルの数を示す。
【０１１８】
【表５】
0006328843.tif 000014
【０１１９】
表６は、ＰＵＣＣＨフォーマットに応じるＰＵＣＣＨ復調参照信号（ｄｅｍｏｄｕｌａｔｉｏｎ  ｒｅｆｅｒｅｎｃｅ  ｓｉｇｎａｌ）のＳＣ‐ＦＤＭＡシンボル位置を表した表である。表６中、
0006328843.tif 000015
は、シンボルインデックスを表す。
【０１２０】
【表６】
0006328843.tif 000016
【０１２１】
以下、ＰＵＣＣＨフォーマット２／２ａ／２ｂについて説明する。
【０１２２】
ＰＵＣＣＨフォーマット２／２ａ／２ｂは、ダウンリンク送信に対するＣＱＩフィードバック（または、ＣＱＩフィードバックと共にＡＣＫ／ＮＡＣＫ送信）するために利用される。ＣＱＩとＡＣＫ／ＮＡＣＫが共に送信されるために、ＡＣＫ／ＮＡＣＫ信号は、ＣＱＩ  ＲＳに埋め込まれて（ｅｍｂｅｄｄｅｄ）送信されるか（一般ＣＰの場合）、またはＣＱＩとＡＣＫ／ＮＡＣＫがジョイントコーディング（ｊｏｉｎｔ  ｃｏｄｉｎｇ）されて送信されることができる（拡張ＣＰの場合）。
【０１２３】
図１０は、本発明が適用されることができる無線通信システムにおける一般ＣＰの場合のＣＱＩチャネルの構造を示す。
【０１２４】
一つのスロットのＳＣ‐ＦＤＭＡシンボル０ないし６のうち、ＳＣ‐ＦＤＭＡシンボル１及び５（第２番目及び第６番目のシンボル）は、復調参照信号（ＤＭＲＳ：Ｄｅｍｏｄｕｌａｔｉｏｎ  Ｒｅｆｅｒｅｎｃｅ  Ｓｉｇｎａｌ）送信に使用され、残りのＳＣ‐ＦＤＭＡシンボルにおいてＣＱＩ情報が送信されることができる。一方、拡張されたＣＰの場合には、一つのＳＣ‐ＦＤＭＡシンボル（ＳＣ‐ＦＤＭＡシンボル３）がＤＭＲＳ送信に使用される。
【０１２５】
ＰＵＣＣＨフォーマット２／２ａ／２ｂでは、ＣＡＺＡＣシーケンスによる変調を支援し、ＱＰＳＫ変調されたシンボルが長さ１２のＣＡＺＡＣシーケンスで掛け算される。シーケンスの循環シフト（ＣＳ）は、シンボル及びスロット間に変更される。ＤＭＲＳに対して直交カバーリングが使用される。
【０１２６】
一つのスロットに含まれる７個のＳＣ‐ＦＤＭＡシンボルのうち、３個のＳＣ‐ＦＤＭＡシンボル間隔分だけ離れた２個のＳＣ‐ＦＤＭＡシンボルには、参照信号（ＤＭＲＳ）が載せられ、残りの５個のＳＣ‐ＦＤＭＡシンボルには、ＣＱＩ情報が載せられる。一つのスロット中に二つのＲＳが使用されたのは、高速の端末を支援するためである。また、各端末は、循環シフト（ＣＳ）シーケンスを使用して区分される。ＣＱＩ情報シンボルは、ＳＣ‐ＦＤＭＡシンボル全体に変調されて伝達され、ＳＣ‐ＦＤＭＡシンボルは、一つのシーケンスから構成されている。すなわち、端末は、各シーケンスにＣＱＩを変調して送信する。
【０１２７】
一つのＴＴＩに送信できるシンボル数は、１０個であり、ＣＱＩ情報の変調は、ＱＰＳＫまで決まっている。初めの５個シンボルは、第１番目のスロットから送信され、残りの５個シンボルは、第２番目のスロットから送信される。ＳＣ‐ＦＤＭＡシンボルに対してＱＰＳＫマッピングを使用する場合、２ビットのＣＱＩ値が載せられることができるので、一つのスロットに１０ビットのＣＱＩ値を載せることができる。したがって、一つのサブフレームに最大２０ビットのＣＱＩ値を載せることができる。ＣＱＩ情報を周波数領域で拡散させるために、周波数領域拡散符号を使用する。
【０１２８】
周波数領域拡散符号には、長さ‐１２のＣＡＺＡＣシーケンス（例えば、ＺＣシーケンス）を使用することができる。各制御チャネルは、互いに異なる循環シフト（ｃｙｃｌｉｃ  ｓｈｉｆｔ）値を有するＣＡＺＡＣシーケンスを適用して区分されることができる。周波数領域に広がったＣＱＩ情報にＩＦＦＴ（ｉｎｖｅｒｓｅ  ｆａｓｔ  ｆｏｕｒｉｅｒ  ｔｒａｍｓｆｏｒｍ）が行われる。
【０１２９】
１２個の同等な間隔を有した循環シフトによって、１２個の互いに異なる端末が同じＰＵＣＣＨ  ＲＢ上において直交多重化されることができる。一般ＣＰ場合に、ＳＣ‐ＦＤＭＡシンボル１及び５上の（拡張されたＣＰ場合に、ＳＣ‐ＦＤＭＡシンボル３上の）ＤＭＲＳシーケンスは、周波数領域上のＣＱＩ信号シーケンスと似ているが、ＣＱＩ情報のような変調が適用されない。
【０１３０】
端末は、ＰＵＣＣＨ資源インデックス（
【数９】
0006328843.tif 000017
）で指示されるＰＵＣＣＨ資源上において周期的に互いに異なるＣＱＩ、ＰＭＩ及びＲＩタイプを報告するよう 上位階層シグナリングによって、半‐静的に（ｓｅｍｉ‐ｓｔａｔｉｃａｌｌｙ）設定されることができる。ここで、ＰＵＣＣＨ資源インデックス（
【数１０】
0006328843.tif 000018
）は、ＰＵＣＣＨフォーマット２／２ａ／２ｂの送信に使用されるＰＵＣＣＨ領域及び使用される循環シフト（ＣＳ）値を指示する情報である。
【０１３１】
表７は、ＰＵＣＣＨフォーマット２／２ａ／２ｂ／３においてＲＳのための直交シーケンス（ＯＣ）
【数１１】
0006328843.tif 000019
を表す。
【０１３２】
【表７】
0006328843.tif 000020
【０１３３】
次に、ＰＵＣＣＨフォーマット１／１ａ／１ｂについて説明する。
【０１３４】
図１１は、本発明が適用されることができる無線通信システムにおける一般ＣＰの場合にＡＣＫ／ＮＡＣＫチャネルの構造を示す。
【０１３５】
図１１では、ＣＱＩなしでＨＡＲＱ  ＡＣＫ／ＮＡＣＫ送信のためのＰＵＣＣＨチャネル構造を例示的に示す。
【０１３６】
１ビット及び２ビットの確認応答情報（スクランブルされない状態）は、各々ＢＰＳＫ及びＱＰＳＫ変調技法を使用して一つのＨＡＲＱ  ＡＣＫ／ＮＡＣＫ変調シンボルで表現されることができる。肯定確認応答（ＡＣＫ）は、「１」でエンコードされることができ、不正確認応答（ＮＡＣＫ）は、「０」でエンコードされることができる。
【０１３７】
割り当てられる帯域内で制御信号を送信する時、多重化用量を高めるために、２次元拡散が適用される。すなわち、多重化できる端末数または制御チャネルの数を上げるために、周波数領域拡散と時間領域拡散を同時に適用する。
【０１３８】
ＡＣＫ／ＮＡＣＫ信号を周波数領域で拡散させるために、周波数領域シーケンスを基本シーケンスとして使用する。周波数領域シーケンスには、ＣＡＺＡＣシーケンスのうちの一つであるＺａｄｏｆｆ‐Ｃｈｕ（ＺＣ）シーケンスを使用することができる。
【０１３９】
すなわち、ＰＵＣＣＨフォーマット１ａ／１ｂにおいて、ＢＰＳＫまたはＱＰＳＫ変調方式を利用して変調されたシンボルは、長さ１２のＣＡＺＡＣシーケンス（例えば、ＺＣシーケンス）で掛け算（ｍｕｌｔｉｐｌｙ）される。例えば、変調シンボルｄ（０）に長さＮのＣＡＺＡＣシーケンスｒ（ｎ）（ｎ＝０，１，２，．．．，Ｎ‐１）が掛け算された結果は、ｙ（０），ｙ（１），ｙ（２），．．．，ｙ（Ｎ‐１）になる。ｙ（０），．．．，ｙ（Ｎ‐１）シンボルをシンボルブロック（ｂｌｏｃｋ  ｏｆ  ｓｙｍｂｏｌ）と称することができる。
【０１４０】
このように、基本シーケンスであるＺＣシーケンスに互いに異なる循環シフト（ＣＳ：Ｃｙｃｌｉｃ  Ｓｈｉｆｔ）が適用されることによって、互いに異なる端末または互いに異なる制御チャネルの多重化が適用されることができる。ＨＡＲＱ  ＡＣＫ／ＮＡＣＫ送信のためのＰＵＣＣＨ  ＲＢのためのＳＣ‐ＦＤＭＡシンボルで支援されるＣＳ資源の数は、セル‐特定上位‐階層シグナリングパラメータ（
0006328843.tif 000021
）により設定される。
【０１４１】
変調シンボルにＣＡＺＡＣシーケンスを掛け算した後に、直交シーケンス直交シーケンス（ｏｒｔｈｇｏｎａｌ  ｓｅｑｕｅｎｃｅ）を利用したブロック‐単位（ｂｌｏｃｋ‐ｗｉｓｅ）拡散が適用される。すなわち、周波数領域で拡散されたＡＣＫ／ＮＡＣＫ信号は、直交拡散（ｓｐｒｅａｄｉｎｇ）コードを使用して時間領域で拡散される。直交拡散コード（または、直交カバーシーケンス（ｏｒｔｈｏｇｏｎａｌ  ｃｏｖｅｒ  ｓｅｑｕｅｎｃｅ）または直交カバーコード（ＯＣＣ：ｏｒｔｈｏｇｏｎａｌ  ｃｏｖｅｒ  ｃｏｄｅ））では、ウォルシュ・アダマール（Ｗａｌｓｈ‐Ｈａｄａｍａｒｄ）シーケンスまたはＤＦＴ（Ｄｉｓｃｒｅｔｅ  Ｆｏｕｒｉｅｒ  Ｔｒａｎｓｆｏｒｍ）シーケンスが使用されることができる。例えば、ＡＣＫ／ＮＡＣＫ信号は、４シンボルに対して長さ４の直交シーケンス（ｗ０、ｗ１、ｗ２、ｗ３）を利用して拡散されることができる。また、ＲＳも長さ３または長さ２の直交シーケンスを介して拡散させる。これを直交カバーリング（ＯＣ：Ｏｒｔｈｏｇｏｎａｌ  Ｃｏｖｅｒｉｎｇ）という。
【０１４２】
ＡＣＫ／ＮＡＣＫ情報または復調参照信号のＣＤＭに対してウォルシュコード（Ｗａｌｓｈ  ｃｏｄｅ）、ＤＦＴ行列などの直交カバーリングが使用されることができる。
【０１４３】
ＤＦＴ行列は、正方行列からなり、ＤＦＴ行列は、Ｎ×Ｎ（Ｎは、自然水）の大きさで構成されることができる。
【０１４４】
ＤＦＴ行列は、式１のように定義できる。
【０１４５】
【数１２】
0006328843.tif 000022
【０１４６】
また、式１と同様に、下記の式２のような行列で表すこともできる。
【０１４７】
【数１３】
0006328843.tif 000023
【０１４８】
式２中、
【数１４】
0006328843.tif 000024
は、Ｎ自乗原始根（ｐｒｉｍｉｔｉｖｅ  Ｎｔｈ  ｒｏｏｔ  ｏｆ  ｕｎｉｔｙ）を意味する。
【０１４９】
２ポイント、４ポイント、８ポイントＤＦＴ行列は、それぞれ以下の式３、４、５のとおりである。
【０１５０】
【数１５】
0006328843.tif 000025
【０１５１】
【数１６】
0006328843.tif 000026
【０１５２】
【数１７】
0006328843.tif 000027
【０１５３】
一般ＣＰの場合、一つのスロットに含まれる７個のＳＣ‐ＦＤＭＡシンボルのうち、中間部分の３個の連続するＳＣ‐ＦＤＭＡシンボルには、参照信号（ＲＳ）が載せられ、残りの４個のＳＣ‐ＦＤＭＡシンボルには、ＡＣＫ／ＮＡＣＫ信号が載せられる。これに対し、拡張されたＣＰの場合には、中間の２個の連続するシンボルにＲＳが載せられることができる。ＲＳに使用されるシンボルの数及び位置は、制御チャネルに応じて変わることができ、これと関連したＡＣＫ／ＮＡＣＫ信号に使用されるシンボルの数及び位置も、それによって変更されることができる。
【０１５４】
一般ＡＣＫ／ＮＡＣＫ情報に対しては、長さ４のウォルシュ・アダマール（Ｗａｌｓｈ‐Ｈａｄａｍａｒｄ）シーケンスが使用され、短い（ｓｈｏｒｔｅｎｅｄ）ＡＣＫ／ＮＡＣＫ情報及び参照信号（Ｒｅｆｅｒｅｎｃｅ  Ｓｉｇｎａｌ）に対しては、長さ３のＤＦＴシーケンスが使用される。
【０１５５】
拡張されたＣＰの場合の参照信号に対しては、長さ２のアダマールシーケンスが使用される。
【０１５６】
表８は、ＰＵＣＣＨフォーマット１ａ／１ｂのための長さ４である直交シーケンス（ＯＣ）
【数１８】
0006328843.tif 000028
を表す。
【０１５７】
【表８】
0006328843.tif 000029
【０１５８】
表９は、ＰＵＣＣＨフォーマット１ａ／１ｂのための長さ３である直交シーケンス（ＯＣ）
【数１９】
0006328843.tif 000030
を表す。
【０１５９】
【表９】
0006328843.tif 000031
【０１６０】
表１０は、ＰＵＣＣＨフォーマット１／１ａ／１ｂにおいてＲＳのための直交シーケンス（ＯＣ）
0006328843.tif 000032
を表す。
【０１６１】
【表１０】
0006328843.tif 000033
【０１６２】
上述の周波数領域でのＣＳ資源及び時間領域でのＯＣ資源を利用して、多数の端末がコード分割多重化（ＣＤＭ：Ｃｏｄｅ  Ｄｉｖｉｓｉｏｎ  Ｍｕｌｔｉｐｌｅｘｉｎｇ）方式で多重化されることができる。すなわち、同じＰＵＣＣＨ  ＲＢ上において多くの数の端末のＡＣＫ／ＮＡＣＫ情報及びＲＳが多重化されることができる。
【０１６３】
このような時間領域拡散ＣＤＭに対して、ＡＣＫ／ＮＡＣＫ情報に対して支援される拡散コードの数は、ＲＳシンボルの数によって制限される。すなわち、ＲＳ送信ＳＣ‐ＦＤＭＡシンボルの数は、ＡＣＫ／ＮＡＣＫ情報送信ＳＣ‐ＦＤＭＡシンボルの数より少ないから、ＲＳの多重化用量（ｃａｐａｃｉｔｙ）がＡＣＫ／ＮＡＣＫ情報の多重化用量に比べて少なくなる。
【０１６４】
例えば、一般ＣＰの場合に、４個のシンボルにおいてＡＣＫ／ＮＡＣＫ情報が送信されることができ、拡張されたＣＰの場合、ＡＣＫ／ＮＡＣＫ情報のために４個でない３個の直交拡散コードが使用されることができ、これは、ＲＳ送信シンボルの数が３個に制限されて、ＲＳのために３個の直交拡散コードのみが使用されうるからである。
【０１６５】
一般ＣＰのサブフレームにおいて、一つのスロットで３個のシンボルがＲＳ送信のために使用され、４個のシンボルがＡＣＫ／ＮＡＣＫ情報送信のために使用される場合に、例えば、周波数領域で６個の循環シフト（ＣＳ）及び時間領域で３個の直交カバー（ＯＣ）資源を使用することができる場合、総１８個の互いに異なる端末からのＨＡＲＱ確認応答が一つのＰＵＣＣＨ  ＲＢ内で多重化されることができる。仮に、拡張されたＣＰのサブフレームにおいて一つのスロットで２個のシンボルがＲＳ送信のために使用され、４個のシンボルがＡＣＫ／ＮＡＣＫ情報送信のために使用される場合に、例えば、周波数領域で６個の循環シフト（ＣＳ）及び時間領域で２個の直交カバー（ＯＣ）資源を使用することができる場合、総１２個の互いに異なる端末からのＨＡＲＱ確認応答が一つのＰＵＣＣＨ  ＲＢ内で多重化されることができる。
【０１６６】
次に、ＰＵＣＣＨフォーマット１について説明する。スケジューリング要請（ＳＲ）は、端末がスケジューリングされることを要請するか、または要請しない方式で送信される。ＳＲチャネルは、ＰＵＣＣＨフォーマット１ａ／１ｂでのＡＣＫ／ＮＡＣＫチャネル構造を再使用し、ＡＣＫ／ＮＡＣＫチャネル設計に基づいてＯＯＫ（Ｏｎ‐Ｏｆｆ  Ｋｅｙｉｎｇ）方式で構成される。ＳＲチャネルでは、参照信号が送信されない。したがって、一般ＣＰの場合には、長さ７のシーケンスが利用され、拡張されたＣＰの場合には、長さ６のシーケンスが利用される。ＳＲ及びＡＣＫ／ＮＡＣＫに対して互いに異なる循環シフトまたは直交カバーが割り当てられることができる。
【０１６７】
図１２は、本発明が適用されることができる無線通信システムにおけるＡＣＫ／ＮＡＣＫとＳＲを多重化する方法を例示する。
【０１６８】
ＳＲ  ＰＵＣＣＨフォーマット１の構造は、図１２に示すＡＣＫ／ＮＡＣＫ  ＰＵＣＣＨフォーマット１ａ／１ｂの構造と同一である。
【０１６９】
ＳＲは、ＯＯＫ（Ｏｎ‐ｏｆｆ  Ｋｅｙｉｎｇ）方式を利用して送信される。具体的に、端末は、ＰＵＳＣＨ資源を要請（ｐｏｓｉｔｉｖｅ  ＳＲ）するために、変調シンボルｄ（０）＝１を有するＳＲを送信し、スケジューリングを要請しない場合（ｎｅｇａｔｉｖｅ  ＳＲ）、なんにも送信しない。ＡＣＫ／ＮＡＣＫのためのＰＵＣＣＨ構造がＳＲのために再使用されるので、同一ＰＵＣＣＨ領域内の互いに異なるＰＵＣＣＨ資源インデックス（すなわち、互いに異なる循環シフト（ＣＳ）と直交コードとの組み合わせ）がＳＲ（ＰＵＣＣＨフォーマット１）またはＨＡＲＱ  ＡＣＫ／ＮＡＣＫ（ＰＵＣＣＨフォーマット１ａ／１ｂ）に割り当てられることができる。ＳＲ送信のために、端末により使用されるＰＵＣＣＨ資源インデックスは、端末特定上位階層シグナリングにより設定される。
【０１７０】
端末は、ＣＱＩ送信がスケジューリングされたサブフレームでｐｏｓｉｔｉｖｅ  ＳＲを送信する必要がある場合、ＣＱＩをドロップ（ｄｒｏｐ）し、ただＳＲだけを送信できる。同様に、ＳＲ及びＳＲＳを同時に送信する状況が発生すると、端末は、ＣＱＩをドロップし、ただＳＲだけを送信できる。
【０１７１】
ＳＲとＡＣＫ／ＮＡＣＫが同じサブフレームで発生した場合、端末は、肯定ＳＲ（ｐｏｓｉｔｉｖｅ  ＳＲ）のために割り当てられたＳＲ  ＰＵＣＣＨ資源上においてＡＣＫ／ＮＡＣＫを送信する。これに対し、否定ＳＲ（ｎｅｇａｔｉｖｅ  ＳＲ）の場合、端末は、割り当てられたＡＣＫ／ＮＡＣＫ資源上においてＡＣＫ／ＮＡＣＫを送信する。
【０１７２】
図１２は、ＡＣＫ／ＮＡＣＫとＳＲ同時送信のための星状マッピングを例示する。具体的にＮＡＣＫ（または、二つのＭＩＭＯコードワードの場合、ＮＡＣＫ、ＮＡＣＫ）が＋１に変調マッピングされることを例示する。これによって、ＤＴＸ（Ｄｉｓｃｏｎｔｉｎｕｏｕｓ  Ｔｒａｎｓｍｉｓｓｉｏｎ）発生時にＮＡＣＫで処理する。
【０１７３】
ＳＲ、持続的スケジューリング（ｐｅｒｓｉｓｔｅｎｔ  ｓｃｈｅｄｕｌｉｎｇ）のために、ＣＳ、ＯＣ及びＰＲＢ（Ｐｈｙｓｉｃａｌ  Ｒｅｓｏｕｒｃｅ  Ｂｌｏｃｋ）から構成されるＡＣＫ／ＮＡＣＫ資源は、ＲＲＣ（Ｒａｄｉｏ  Ｒｅｓｏｕｒｃｅ  Ｃｏｎｔｒｏｌ）を介して端末に割り当てられることができる。これに対し、動的ＡＣＫ／ＮＡＣＫ送信、非持続的スケジューリング（ｎｏｎ‐ｐｅｒｓｉｓｔｅｎｔ  ｓｃｈｅｄｕｌｉｎｇ）のために、ＡＣＫ／ＮＡＣＫ資源は、ＰＤＳＣＨに対応するＰＤＣＣＨの最も小さな（ｌｏｗｅｓｔ）ＣＣＥインデックスにより暗黙的に（ｉｍｐｌｉｃｉｔｌｙ）端末に割り当てられることができる。
【０１７４】
端末は、アップリンクデータ送信のための資源が必要な場合に、ＳＲを送信できる。すなわち、ＳＲの送信は、イベントによって誘発される（ｅｖｅｎｔ‐ｔｒｉｇｇｅｒｅｄ）。
【０１７５】
ＳＲ  ＰＵＣＣＨ資源は、ＰＵＣＣＨフォーマット３を使用してＳＲがＨＡＲＱ  ＡＣＫ／ＮＡＣＫと共に送信される場合を除いて、上位階層シグナリングにより設定される。すなわち、ＲＲＣ（Ｒａｄｉｏ  Ｒｅｓｏｕｒｃｅ  Ｃｏｎｔｒｏｌ）メッセージ（例えば、ＲＲＣ接続再設定（ＲＲＣ  ｃｏｎｎｅｃｔｉｏｎ  ｒｅｃｏｎｆｉｇｕｒａｔｉｏｎ）メッセージ）を介して送信されるＳｃｈｅｄｕｌｉｎｇＲｅｑｕｅｓｔＣｏｎｆｉｇ情報要素（ｉｎｆｏｒｍａｔｉｏｎ  ｅｌｅｍｅｎｔ）により設定される。
【０１７６】
表１１は、ＳｃｈｅｄｕｌｉｎｇＲｅｑｕｅｓｔＣｏｎｆｉｇ情報要素（ｉｎｆｏｒｍａｔｉｏｎ  ｅｌｅｍｅｎｔ）を例示する。
【０１７７】
【表１１】
0006328843.tif 000034
【０１７８】
表１２は、ＳｃｈｅｄｕｌｉｎｇＲｅｑｕｅｓｔＣｏｎｆｉｇ情報要素（ｉｎｆｏｒｍａｔｉｏｎ  ｅｌｅｍｅｎｔ）に含まれたフィールドを表す。
【０１７９】
【表１２】
0006328843.tif 000035
【０１８０】
表１２を参照すると、端末は、ＳＲの送信のためにＲＲＣメッセージを介してｓｒ‐ＰＵＣＣＨ‐ＲｅｓｏｕｒｃｅＩｎｄｅｘパラメータとＳＲ構成インデックスを指示するｓｒ‐ＣｏｎｆｉｇＩｎｄｅｘパラメータ（
【数２０】
0006328843.tif 000036
）を受信する。ｓｒ‐ＣｏｎｆｉｇＩｎｄｅｘパラメータによってＳＲが送信される周期を指示する
【数２１】
0006328843.tif 000037
とＳＲが送信されるサブフレームを指示する
【数２２】
0006328843.tif 000038
が設定されることができる。すなわち、ＳＲは、上位階層により与えられる
【数２３】
0006328843.tif 000039
によって周期的に繰り返される特定サブフレームで送信される。また、ＳＲのための資源は、サブフレーム資源とＣＤＭ／ＦＤＭ（Ｆｒｅｑｕｅｎｃｙ  Ｄｉｖｉｓｉｏｎ  Ｍｕｌｔｉｐｌｅｘｉｎｇ）資源が割り当てられることができる。
【０１８１】
表１３は、ＳＲ構成インデックスに応じるＳＲ送信周期とＳＲサブフレームオフセットを表す。
【０１８２】
【表１３】
0006328843.tif 000040
【０１８３】
バッファ状態報告（ＢＳＲ：ｂｕｆｆｅｒ  ｓｔａｔｕｓ  ｒｅｐｏｒｔｉｎｇ）
【０１８４】
図１３は、本発明が適用されることができる無線通信システムにおけるＭＡＣエンティティ（ｅｎｔｉｔｙ）で使用するＭＡＣ  ＰＤＵを例示する図である。
【０１８５】
図１３を参照すると、ＭＡＣ  ＰＤＵは、ＭＡＣヘッダ（ｈｅａｄｅｒ）、少なくとも一つのＭＡＣ  ＳＤＵ（ｓｅｒｖｉｃｅ  ｄａｔａ  ｕｎｉｔ）及び少なくとも一つのＭＡＣ制御要素（ｃｏｎｔｒｏｌ  ｅｌｅｍｅｎｔ）を含み、付加的にパディング（ｐａｄｄｉｎｇ）をさらに含むことができる。場合によって、ＭＡＣ  ＳＤＵ及びＭＡＣ制御要素のうち、少なくとも一つは、ＭＡＣ  ＰＤＵに含まれなくても良い。
【０１８６】
図１３の例示のように、ＭＡＣ制御要素は、ＭＡＣ  ＳＤＵより先行して位置することが通常である。そして、ＭＡＣ制御要素の大きさは、固定されるか、または可変的でありうる。ＭＡＣ制御要素の大きさが可変的な場合、拡張されたビット（ｅｘｔｅｎｔｄｅｄ  ｂｉｔ）を介してＭＡＣ制御要素の大きさが拡張されたかどうかを判断できる。ＭＡＣ  ＳＤＵの大きさもやはり、可変的でありうる。
【０１８７】
ＭＡＣヘッダは、少なくとも一つ以上のサブヘッダ（ｓｕｂ‐ｈｅａｄｅｒ）を含むことができる。このとき、ＭＡＣヘッダに含まれる少なくとも一つ以上のサブヘッダは、各々のＭＡＣ  ＳＤＵ、ＭＡＣ制御要素及びパディングに対応するものであって、サブヘッダの順序は、対応する要素の配置順序と同一である。例えば、図１０の例示のように、ＭＡＣ  ＰＤＵにＭＡＣ制御要素１、ＭＡＣ制御要素２、複数のＭＡＣ  ＳＤＵ及びパディングが含まれている場合、ＭＡＣヘッダでは、ＭＡＣ制御要素１に対応するサブヘッダ、ＭＡＣ制御要素２に対応するサブヘッダ、複数のＭＡＣ  ＳＤＵ各々に対応する複数のサブヘッダ及びパディングに対応するサブヘッダが順に配置されることができる。
【０１８８】
ＭＡＣヘッダに含まれるサブヘッダは、図１０の例示のように、６個のヘッダフィールドを含むことができる。具体的に、サブヘッダは、Ｒ／Ｒ／Ｅ／ＬＣＩＤ／Ｆ／Ｌの６個のヘッダフィールドを含むことができる。
【０１８９】
固定された大きさのＭＡＣ制御要素に対応するサブヘッダ及びＭＡＣ  ＰＤＵに含まれたデータフィールドのうち、最後のものに対応するサブヘッダに対しては、図１０に示した例の通りに、４個のヘッダフィールドを含むサブヘッダが使用されることができる。このようにサブヘッダが４個のフィールドを含む場合、４個のフィールドは、Ｒ／Ｒ／Ｅ／ＬＣＩＤでありうる。
【０１９０】
図１４及び図１５は、本発明が適用されることができる無線通信システムにおけるＭＡＣ  ＰＤＵのサブヘッダを例示する。
【０１９１】
図１４及び図１５を参照して、各フィールドを説明すると、以下のとおりである。
【０１９２】
１）Ｒ：予約ビット（Ｒｅｓｅｒｖｅｄ  ｂｉｔ）であり、使用されないビットである。
【０１９３】
２）Ｅ：拡張フィールド（Ｅｘｔｅｎｄｅｄ  ｆｉｅｌｄ）であって、サブヘッダに対応する要素の拡張有無を表す。例えば、Ｅフィールドが「０」である場合、サブヘッダに対応する要素は、繰り返しなしで終了し、Ｅフィールドが「１」である場合、サブヘッダに対応する要素は、１回より繰り返されてその長さが２個拡張されることができる。
【０１９４】
３）ＬＣＩＤ：論理チャネル識別フィールド（Ｌｏｇｉｃａｌ  Ｃｈａｎｎｅｌ  Ｉｄｅｎｔｉｆｉｃａｔｉｏｎ  ｆｉｅｌｄ）は、該当ＭＡＣ  ＳＤＵと対応する論理チャネル（ｌｏｇｉｃａｌ  ｃｈａｎｎｅｌ）を識別するか、または該当ＭＡＣ制御要素及びパディングのタイプを識別する。仮に、サブヘッダと関連したものがＭＡＣ  ＳＤＵであると、どんな論理チャネルに該当するＭＡＣ  ＳＤＵであるかを表し、仮にサブヘッダと関連したものがＭＡＣ制御要素であると、どんなＭＡＣ制御要素であるかを表すことができる。
【０１９５】
表１４は、ＤＬ‐ＳＣＨのためのＬＣＩＤの値を示す。
【０１９６】
【表１４】
0006328843.tif 000041
【０１９７】
表１５は、ＵＬ‐ＳＣＨのためのＬＣＩＤの値を表す。
【０１９８】
【表１５】
0006328843.tif 000042
【０１９９】
ＬＴＥ／ＬＴＥ‐Ａシステムにおける端末は、ＬＣＩＤフィールドに短縮されたＢＳＲ（Ｔｒｕｎｃａｔｅｄ  ＢＳＲ）、短いＢＳＲ（Ｓｈｏｒｔ  ＢＳＲ）及び長いＢＳＲ（Ｌｏｎｇ  ＢＳＲ）のうちのいずれか一つのインデックス値を設定することによって、ネットワークに自身のバッファ状態を報告できる。
【０２００】
表１４及び表１５に例示されるインデックス及びＬＣＩＤ値のマッピング関係は、説明の便宜のために例示されたものであり、本発明がこれに限定されるものではない。
【０２０１】
４）Ｆ：フォーマットフィールド（Ｆｏｒｍａｔ  ｆｉｅｌｄ）であって、Ｌフィールドの大きさを表す。
【０２０２】
５）Ｌ：長さフィールド（Ｌｅｎｇｔｈ  ｆｉｅｌｄ）であって、サブヘッダと対応するＭＡＣ  ＳＤＵ及びＭＡＣ制御要素の大きさを表す。サブヘッダに対応するＭＡＣ  ＳＤＵまたはＭＡＣ制御要素の大きさが１２７ビットより同じであるか、または小さいと、７ビットのＬフィールドが使用され（図１４の（ａ））、その他の場合には、１５ビットのＬフィールドが使用されることができる（図１４の（ｂ））。ＭＡＣ制御要素が可変する大きさである場合、Ｌフィールドを介してＭＡＣ制御要素の大きさが定義されることができる。ＭＡＣ制御要素の大きさが固定される場合、ＬフィールドにＭＡＣ制御要素の大きさが定義されなくても、ＭＡＣ制御要素の大きさを決定できるから、図１５のようにＦ及びＬフィールドは省略できる。
【０２０３】
図１６は、本発明が適用されることができる無線通信システムにおけるバッファ状態報告のためのＭＡＣ制御要素のフォーマットを例示する図である。
【０２０４】
サブヘッダのＬＣＩＤフィールドに短縮されたＢＳＲ及び短いＢＳＲが定義される場合、サブヘッダに対応するＭＡＣ制御要素は、図１６の（ａ）の例示のように、一つの論理チャネルグループＩＤ（ＬＣＧ  ＩＤ：Ｌｏｇｉｃａｌ  Ｃｈａｎｎｅｌ  Ｇｒｏｕｐ  Ｉｄｅｎｔｉｆｉｃａｔｉｏｎ）フィールド及び論理チャネルグループのバッファ状態を示す一つのバッファサイズ（Ｂｕｆｆｅｒ  Ｓｉｚｅ）フィールドを含むように構成されることができる。ＬＣＧ  ＩＤフィールドは、バッファ状態を報告しなければならない論理チャネルグループを識別するためのものであって、ＬＣＧ  ＩＤフィールドは、２ビットの大きさを有することができる。
【０２０５】
バッファサイズフィールドは、ＭＡＣ  ＰＤＵが生成された以後、論理チャネルグループに属したすべての論理チャネルの使用可能な総データ量を識別するためである。使用可能なデータは、ＲＬＣ階層及びＰＤＣＰ階層で送信可能なすべてのデータを含み、データ量は、バイト（ｂｙｔｅ）数で表す。このとき、データ量を演算する時にＲＬＣヘッダ及びＭＡＣヘッダの大きさを排除できる。バッファサイズフィールドは、６ビットの大きさを有することができる。
【０２０６】
サブヘッダのＬＣＩＤフィールドに長いＢＳＲが定義される場合、サブヘッダに対応するＭＡＣ制御要素は、図１６の（ｂ）の例示のように、０ないし３のＬＣＧ  ＩＤを有する４個のグループのバッファ状態を示す４個のバッファサイズフィールドが含まれることができる。各バッファサイズフィールドは、互いに異なる論理チャネルグループ別に使用可能な総データ量を識別するのに利用されることができる。
【０２０７】
キャリヤ併合（Ｃａｒｒｉｅｒ  Ａｇｇｒｅｇａｔｉｏｎ）一般
【０２０８】
本発明の実施の形態において考慮する通信環境は、マルチキャリヤ（Ｍｕｌｔｉ‐ｃａｒｒｉｅｒ）支援環境を全部含む。すなわち、本発明で用いられるマルチキャリアシステムまたはキャリヤ併合（ＣＡ：Ｃａｒｒｉｅｒ  Ａｇｇｒｅｇａｔｉｏｎ）システムとは、広帯域を支援するために、目標とする広帯域を構成する時に目標帯域より小さな帯域幅（ｂａｎｄｗｉｄｔｈ）を有する１個以上のコンポーネントキャリヤ（ＣＣ：Ｃｏｍｐｏｎｅｎｔ  Ｃａｒｒｉｅｒ）を併合（ａｇｇｒｅｇａｔｉｏｎ）して使用するシステムのことを意味する。
【０２０９】
本発明でマルチキャリヤは、キャリヤの併合（または、搬送波集成）を意味し、このとき、キャリヤの併合は、隣接した（ｃｏｎｔｉｇｕｏｕｓ）キャリヤ間の併合だけでなく隣接していない（ｎｏｎ‐ｃｏｎｔｉｇｕｏｕｓ）キャリヤ間の併合を全部意味する。また、ダウンリンクとアップリンクとの間に集成されるコンポーネントキャリヤの数は、異なるように設定されることができる。ダウンリンクコンポーネントキャリヤ（以下、「ＤＬ  ＣＣ」という。）数とアップリンクコンポーネントキャリヤ（以下、「ＵＬ  ＣＣ」という。）数とが同じである場合を対称的（ｓｙｍｍｅｔｒｉｃ）集成といい、その数が異なる場合を非対称的（ａｓｙｍｍｅｔｒｉｃ）集成という。このようなキャリヤ併合は、搬送波集成、帯域幅集成（ｂａｎｄｗｉｄｔｈ  ａｇｇｒｅｇａｔｉｏｎ）、スペクトル集成（ｓｐｅｃｔｒｕｍ  ａｇｇｒｅｇａｔｉｏｎ）などのような用語と混用して使用されることができる。
【０２１０】
二つ以上のコンポーネントキャリヤが結合されて構成されるキャリヤ併合は、ＬＴＥ‐Ａシステムでは、１００ＭＨｚ帯域幅まで支援するのを目標とする。目標帯域より小さな帯域幅を有する１個以上のキャリヤを結合する時に、結合するキャリヤの帯域幅は、従来のＩＭＴシステムとの互換性（ｂａｃｋｗａｒｄ  ｃｏｍｐａｔｉｂｉｌｉｔｙ）維持のために、従来のシステムにおいて使用する帯域幅に制限できる。例えば、従来の３ＧＰＰ  ＬＴＥシステムでは、｛１．４，３，５，１０，１５，２０｝ＭＨｚ帯域幅を支援し、３ＧＰＰ  ＬＴＥ‐ａｄｖａｎｃｅｄシステム（すなわち、ＬＴＥ‐Ａ）では、従来のシステムとの互換のために、上記の帯域幅だけを利用して２０ＭＨｚより大きな帯域幅を支援するようにすることができる。また、本発明で用いられるキャリヤ併合システムは、従来のシステムで使用する帯域幅と関係なしで新しい帯域幅を定義して、キャリヤ併合を支援するようにすることもできる。
【０２１１】
ＬＴＥ‐Ａシステムは、無線資源を管理するために、セル（ｃｅｌｌ）の概念を使用する。
【０２１２】
上述のキャリヤ併合環境は、多重セル（ｍｕｌｔｉｐｌｅ  ｃｅｌｌｓ）環境と呼ぶことができる。セルは、ダウンリンク資源（ＤＬ  ＣＣ）とアップリンク資源（ＵＬ  ＣＣ）との一対の組み合わせと定義されるが、アップリンク資源は、必須要素ではない。したがって、セルは、ダウンリンク資源単独、またはダウンリンク資源とアップリンク資源とから構成されることができる。特定端末がただ一つの設定されたサービングセル（ｃｏｎｆｉｇｕｒｅｄ  ｓｅｒｖｉｎｇ  ｃｅｌｌ）を有する場合、１個のＤＬ  ＣＣと１個のＵＬ  ＣＣを有することができるが、特定端末が２個以上の設定されたサービングセルを有する場合には、セルの数だけのＤＬ  ＣＣを有し、ＵＬ  ＣＣの数は、それと同一であるか、またはそれより小さくありうる。
【０２１３】
または、それと反対に、ＤＬ  ＣＣとＵＬ  ＣＣが構成されることができる。すなわち、特定端末が多数の設定されたサービングセルを有する場合、ＤＬ  ＣＣの数よりＵＬ  ＣＣがより多いキャリヤ併合環境も支援されることができる。すなわち、キャリヤ併合（ｃａｒｒｉｅｒ  ａｇｇｒｅｇａｔｉｏｎ）は、各々キャリヤ周波数（セルの重心周波数）が互いに異なる二つ以上のセルの併合として理解されることができる。ここで言及する「セル（Ｃｅｌｌ）」は、一般に使用される基地局がカバーする領域としての「セル」とは区分されなければならない。
【０２１４】
ＬＴＥ‐Ａシステムで使用されるセルは、プライマリセル（ＰＣｅｌｌ：Ｐｒｉｍａｒｙ  Ｃｅｌｌ）及びセコンダリーセル（ＳＣｅｌｌ：Ｓｅｃｏｎｄａｒｙ  Ｃｅｌｌ）を含む。ＰセルとＳセルは、サービングセル（Ｓｅｒｖｉｎｇ  Ｃｅｌｌ）として使用されることができる。ＲＲＣ＿ＣＯＮＮＥＣＴＥＤ状態にあるが、キャリヤ併合が設定されないか、またはキャリヤ併合を支援しない端末の場合、Ｐセルから構成されたサービングセルがただ一つ存在する。これに対し、ＲＲＣ＿ＣＯＮＮＥＣＴＥＤ状態にあり、キャリヤ併合が設定された端末の場合、一つ以上のサービングセルが存在でき、全体サービングセルには、Ｐセルと一つ以上のＳセルが含まれる。
【０２１５】
サービングセル（ＰセルとＳセル）は、ＲＲＣパラメータを介して設定されることができる。ＰｈｙｓＣｅｌｌＩｄは、セルの物理階層識別子であって、０から５０３までの整数値を有する。ＳＣｅｌｌＩｎｄｅｘは、Ｓセルを識別するために使用される簡略な（ｓｈｏｒｔ）識別子であって、１から７までの整数値を有する。ＳｅｒｖＣｅｌｌＩｎｄｅｘは、サービングセル（ＰセルまたはＳセル）を識別するために使用される簡略な（ｓｈｏｒｔ）識別子であって、０から７までの整数値を有する。０値は、Ｐセルに適用され、ＳＣｅｌｌＩｎｄｅｘは、Ｓセルに適用するために予め付与される。すなわち、ＳｅｒｖＣｅｌｌＩｎｄｅｘにおいて最も小さなセルＩＤ（またはセルインデックス）を有するセルがＰセルになる。
【０２１６】
Ｐセルは、プライマリ周波数（または、ｐｒｉｍａｒｙ  ＣＣ）上において動作するセルを意味する。端末が初期接続設定（ｉｎｉｔｉａｌ  ｃｏｎｎｅｃｔｉｏｎ  ｅｓｔａｂｌｉｓｈｍｅｎｔ）過程を行うか、接続再‐設定過程を行うのに使用されることができ、ハンドオーバ過程で指示されたセルを指し示すこともできる。また、Ｐセルは、キャリヤ併合環境で設定されたサービングセルのうち、制御関連通信の重心になるセルを意味する。すなわち、端末は、自身のＰセルにおいてのみＰＵＣＣＨの割り当てを受けて送信でき、システム情報を獲得するか、またはモニタリング手順を変更するのにＰセルだけを利用できる。Ｅ‐ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）は、キャリヤ併合環境を支援する端末に移動性制御情報（ｍｏｂｉｌｉｔｙＣｏｎｔｒｏｌＩｎｆｏ）を含む上位階層のＲＲＣ接続再設定（ＲＲＣＣｏｎｎｅｃｔｉｏｎＲｅｃｏｎｆｉｇｕｔａｉｏｎ）メッセージを利用して、ハンドオーバ手順のためにＰセルだけを変更することもできる。
【０２１７】
Ｓセルは、セコンダリー周波数（または、Ｓｅｃｏｎｄａｒｙ ＣＣ）上において動作するセルを意味できる。特定端末にＰセルは一つだけが割り当てられ、Ｓセルは、一つ以上割り当てられることができる。Ｓセルは、ＲＲＣ接続が設定がなされた以後に構成可能であり、追加的な無線資源を提供するのに使用されることができる。キャリヤ併合環境で設定されたサービングセルのうち、Ｐセルを除いた残りのセル、すなわちＳセルには、ＰＵＣＣＨが存在しない。Ｅ‐ＵＴＲＡＮは、Ｓセルをキャリヤ併合環境を支援する端末に追加する時に、ＲＲＣ＿ＣＯＮＮＥＣＴＥＤ状態にある関連したセルの動作と関連したすべてのシステム情報を特定シグナル（ｄｅｄｉｃａｔｅｄ  ｓｉｇｎａｌ）を介して提供できる。システム情報の変更は、関連したＳセルの解除及び追加によって制御されることができ、このとき、上位階層のＲＲＣ接続再設定（ＲＲＣＣｏｎｎｅｃｔｉｏｎＲｅｃｏｎｆｉｇｕｔａｉｏｎ）メッセージを利用できる。Ｅ‐ＵＴＲＡＮは、関連したＳセル内でブロードキャストするよりは、端末別に異なるパラメータを有する特定シグナリング（ｄｅｄｉｃａｔｅｄ  ｓｉｇｎａｌｉｎｇ）を行うことができる。
【０２１８】
初期セキュリティー活性化過程が始まった以後に、Ｅ‐ＵＴＲＡＮは、接続設定過程で初期に構成されるＰセルに付加して、一つ以上のＳセルを含むネットワークを構成できる。キャリヤ併合環境でＰセル及びＳセルは、各々のコンポーネントキャリヤとして動作できる。以下の実施の形態では、プライマリコンポーネントキャリヤ（ＰＣＣ）は、Ｐセルと同じ意味として使用されることができ、セコンダリーコンポーネントキャリヤ（ＳＣＣ）は、Ｓセルと同じ意味として使用されることができる。
【０２１９】
図１７は、本発明が適用されることができる無線通信システムにおけるコンポーネントキャリヤ及びキャリヤ併合の一例を示す。
【０２２０】
図１７の（ａ）は、ＬＴＥシステムにおいて使用される単一キャリヤ構造を示す。コンポーネントキャリヤには、ＤＬ  ＣＣとＵＬ  ＣＣがある。一つのコンポーネントキャリヤは、２０ＭＨｚの周波数範囲を有することができる。
【０２２１】
図１７の（ｂ）は、ＬＴＥ＿Ａシステムにおいて使用されるキャリヤ併合構造を示す。図１７の（ｂ）の場合に、２０ＭＨｚの周波数大きさを有する３個のコンポーネントキャリヤが結合された場合を示す。ＤＬ  ＣＣとＵＬ  ＣＣが各々３個ずつあるが、ＤＬ  ＣＣとＵＬ  ＣＣの数に制限があるのてはない。キャリヤ併合の場合、端末は、３個のＣＣを同時にモニタリングでき、ダウンリンク信号／データを受信することができ、アップリンク信号／データを送信できる。
【０２２２】
仮に、特定セルにおいてＮ個のＤＬ  ＣＣが管理される場合には、ネットワークは、端末にＭ（Ｍ≦Ｎ）個のＤＬ  ＣＣを割り当てることができる。このとき、端末は、Ｍ個の制限されたＤＬ  ＣＣだけをモニタリングし、ＤＬ信号を受信することができる。また、ネットワークは、Ｌ（Ｌ≦Ｍ≦Ｎ）個のＤＬ  ＣＣに優先順位を与えて、主なＤＬ  ＣＣを端末に割り当てることができ、このような場合、端末は、Ｌ個のＤＬ  ＣＣは、必ずモニタリングしなければならない。このような方式は、アップリンク送信にも全く同じく適用されることができる。
【０２２３】
ダウンリンク資源の搬送波周波数（または、ＤＬ  ＣＣ）とアップリンク資源の搬送波周波数（または、ＵＬ  ＣＣ）との間のリンケージ（ｌｉｎｋａｇｅ）は、ＲＲＣメッセージのような上位階層メッセージまたはシステム情報により指示されることができる。例えば、ＳＩＢ２（Ｓｙｓｔｅｍ  Ｉｎｆｏｒｍａｔｉｏｎ  Ｂｌｏｃｋ  Ｔｙｐｅ２）によって定義されるリンケージによって、ＤＬ資源とＵＬ資源との組み合わせが構成されることができる。具体的に、リンケージは、ＵＬグラントを運ぶＰＤＣＣＨが送信されるＤＬ  ＣＣと前記ＵＬグラントを使用するＵＬ  ＣＣとの間のマッピング関係を意味でき、ＨＡＲＱのためのデータが送信されるＤＬ  ＣＣ（または、ＵＬ  ＣＣ）とＨＡＲＱ  ＡＣＫ／ＮＡＣＫ信号が送信されるＵＬ  ＣＣ（または、ＤＬ  ＣＣ）との間のマッピング関係を意味することもできる。
【０２２４】
アップリンク資源割り当て手順
【０２２５】
３ＧＰＰ  ＬＴＥ／ＬＴＥ‐Ａシステムの場合、資源の活用を最大化するために、基地局のスケジューリング基盤のデータ送受信方法を使用する。これは、端末が送信するデータがある場合、優先的に基地局にアップリンク資源割り当てを要請し、基地局から割り当てられたアップリンク資源だけを利用してデータを送信できることを意味する。
【０２２６】
図１８は、本発明が適用されることができる無線通信システムにおける端末のアップリンク資源割り当て過程を例示する図である。
【０２２７】
アップリンクの無線資源の効率的な使用のために、基地局は、各端末別にどんな種類のデータをどのくらいアップリンクに送信するのかを知っていなければならない。したがって、端末が直接自身が送信しようとするアップリンクデータに関する情報を基地局に伝達し、基地局は、これに基づいて該当端末にアップリンク資源を割り当てることができる。この場合、端末が基地局に伝達するアップリンクデータに関する情報は、自身のバッファに格納されているアップリンクデータの量であって、これをバッファ状態報告（ＢＳＲ：Ｂｕｆｆｅｒ  Ｓｔａｔｕｓ  Ｒｅｐｏｒｔ）と呼ぶ。ＢＳＲは、端末が現在ＴＴＩでＰＵＳＣＨ上の資源が割り当てられ、報告イベント（ｒｅｐｏｒｔｉｎｇ  ｅｖｅｎｔ）がトリガーリングされた場合、ＭＡＣ制御要素（ＭＡＣ  ｃｏｎｔｒｏｌ  ｅｌｅｍｅｎｔ）を使用して送信される。
【０２２８】
図１８の（ａ）は、端末がバッファ状態報告（ＢＳＲ：ｂｕｆｆｅｒ  ｓｔａｔｕｓ  ｒｅｐｏｒｔｉｎｇ）のためのアップリンク無線資源が端末に割り当てられない場合に、実際のデータ（ａｃｔｕａｌ  ｄａｔａ）のためのアップリンク資源割り当て過程を例示する。すなわち、ＤＲＸモードからアクティブモードの状態を転換する端末の場合、予め割り当てられたデータ資源がないから、ＰＵＣＣＨを介したＳＲ送信をはじめとして上向きデータに対する資源を要請しなければならなく、この場合、５ステップのアップリンク資源割り当て手順が使用される。
【０２２９】
図１８の（ａ）を参照すると、端末は、ＢＳＲを送信するためのＰＵＳＣＨ資源が割り当てられない場合、端末は、ＰＵＳＣＨ資源の割り当てを受けるために、まずスケジューリング要請（ＳＲ：ｓｃｈｅｄｕｌｉｎｇ  ｒｅｑｕｅｓｔ）を基地局に送信する（Ｓ１８０１）。
【０２３０】
スケジューリング要請は、報告イベント（ｒｅｐｏｒｔｉｎｇ  ｅｖｅｎｔ）が発生したが、端末が現在のＴＴＩでＰＵＳＣＨ上に無線資源がスケジューリングされない場合、端末がアップリンク送信のためのＰＵＳＣＨ資源の割り当てを受けるために、基地局に要請するために利用される。すなわち、端末は、正規的バッファ状態報告（ｒｅｇｕｌａｒ  ＢＳＲ）がトリガー（ｔｒｉｇｇｅｒ）されたが、ＢＳＲを基地局に送信するためのアップリンク無線資源を有しない場合にＰＵＣＣＨ上にＳＲを送信する。端末は、ＳＲのためのＰＵＣＣＨ資源が設定されたかどうかに応じて、端末は、ＰＵＣＣＨを介してＳＲを送信するか、またはランダムアクセス手順を開始する。具体的に、ＳＲが送信されることができるＰＵＣＣＨ資源は、端末特定的に上位階層（例えば、ＲＲＣ階層）によって設定され、ＳＲ設定（ＳＲ  ｃｏｎｆｉｇｕｒａｔｉｏｎ）は、ＳＲ送信周期（ＳＲ  ｐｅｒｉｏｄｉｃｉｔｙ）及びＳＲサブフレームオフセット情報を含む。
【０２３１】
端末は、基地局からＢＳＲ送信のためのＰＵＳＣＨ資源に対するＵＬ  ｇｒａｎｔを受信すると（Ｓ１８０３）、ＵＬ  ｇｒａｎｔにより割り当てられたＰＵＳＣＨ資源を介してトリガーリングされたＢＳＲを基地局に送信する（Ｓ１８０５）。
【０２３２】
基地局は、ＢＳＲを介して実際の端末がアップリンクに送信するデータの量を確認し、実際データ送信のためのＰＵＳＣＨ資源に対するＵＬ  ｇｒａｎｔを端末に送信する（Ｓ１８０７）。実際データ送信のためのＵＬ  ｇｒａｎｔを受信した端末は、割り当てられたＰＵＳＣＨ資源を介して実際アップリンクデータを基地局に送信する（Ｓ１８０９）。
【０２３３】
図１８の（ｂ）は、端末がＢＳＲのためのアップリンク無線資源が端末に割り当てられている場合に、実際データのためのアップリンク資源割り当て過程を例示する。
【０２３４】
図１８の（ｂ）を参照すると、端末がＢＳＲ送信のためのＰＵＳＣＨ資源が既に割り当てられた場合、端末は、割り当てられたＰＵＳＣＨ資源を介してＢＳＲを送信し、これと共にスケジューリング要請を基地局に送信する（Ｓ１８１１）。次に、基地局は、ＢＳＲを介して実際端末がアップリンクに送信するデータの量を確認し、実際データ送信のためのＰＵＳＣＨ資源に対するＵＬ  ｇｒａｎｔを端末に送信する（Ｓ１８１３）。実際データ送信のためのＵＬ  ｇｒａｎｔを受信した端末は、割り当てられたＰＵＳＣＨ資源を介して実際アップリンクデータを基地局に送信する（Ｓ１８１５）。
【０２３５】
図１９は、本発明が適用されることができる３ＧＰＰ  ＬＴＥ‐Ａで要求する制御平面（Ｃ‐Ｐｌａｎｅ）での遅延時間（ｌａｔｅｎｃｙ）を説明するための図である。
【０２３６】
図１９を参照すると、３ＧＰＰ  ＬＴＥ‐Ａは、アイドルモード（Ｉｄｌｅ  ｍｏｄｅ）（ＩＰアドレスが割り当てられた状態）から接続モード（Ｃｏｎｎｅｃｔｅｄ  ｍｏｄｅ）への遷移（ｔｒａｎｓｉｔｉｏｎ）時間が５０ｍｓ以下になるように要求する。このとき、遷移時間は、ユーザ平面（Ｕ‐Ｐｌａｎｅ）の設定時間（Ｓ１伝達遅延時間は除外）を含む。また、接続モード内でドーマント状態（ｄｏｒｍａｎｔ  ｓｔａｔｅ）からアクティブ状態（ａｃｔｉｖｅ  ｓｔａｔｅ）への転換時間は、１０ｍｓ以下に要求される。
【０２３７】
ドーマント状態（ｄｏｒｍａｎｔ ｓｔａｔｅ）からアクティブ状態（ａｃｔｉｖｅ  ｓｔａｔｅ）への遷移は、次の通りに４種類のシナリオで発生できる。
【０２３８】
‐同期化された端末の場合、アップリンク送信により開始された遷移（Ｕｐｌｉｎｋ  ｉｎｉｔｉａｔｅｄ  ｔｒａｎｓｉｔｉｏｎ、ｓｙｎｃｈｒｏｎｉｚｅｄ）
【０２３９】
‐非同期化された端末の場合、アップリンク送信により開始された遷移（Ｕｐｌｉｎｋ  ｉｎｉｔｉａｔｅｄ  ｔｒａｎｓｉｔｉｏｎ、ｕｎｓｙｎｃｈｒｏｎｉｚｅｄ）
【０２４０】
‐同期化された端末の場合、ダウンリンク送信により開始された遷移（Ｄｏｗｎｌｉｎｋ  ｉｎｉｔｉａｔｅｄ  ｔｒａｎｓｉｔｉｏｎ、ｓｙｎｃｈｒｏｎｉｚｅｄ）
【０２４１】
‐非同期化された端末の場合、ダウンリンク送信により開始された遷移（Ｄｏｗｎｌｉｎｋ  ｉｎｉｔｉａｔｅｄ  ｔｒａｎｓｉｔｉｏｎ、ｕｎｓｙｎｃｈｒｏｎｉｚｅｄ）
【０２４２】
図２０は、本発明が適用されることができる３ＧＰＰ  ＬＴＥ‐Ａで要求する同期化された端末のドーマント状態（ｄｏｒｍａｎｔ  ｓｔａｔｅ）からアクティブ状態（ａｃｔｉｖｅ  ｓｔａｔｅ）への遷移時間を説明するための図である。
【０２４３】
図２０では、先の図１８で説明した３ステップ（ＢＳＲのためのアップリンク無線資源が割り当てられた場合）アップリンク資源割り当て手順を例示する。ＬＴＥ‐Ａシステムでは、アップリンク資源割り当てのために、以下の表１６のような遅延時間が要求される。
【０２４４】
表１６は、ＬＴＥ‐Ａシステムで要求される、同期化された端末の場合、アップリンク送信により開始されたドーマント状態（ｄｏｒｍａｎｔ  ｓｔａｔｅ）からアクティブ状態（ａｃｔｉｖｅ  ｓｔａｔｅ）への遷移時間を表す。
【０２４５】
【表１６】
0006328843.tif 000043
【０２４６】
図２０及び表１６を参照すると、１ｍｓ／５ｍｓＰＵＣＣＨ循環（ｃｙｃｌｅ）を有するＰＵＣＣＨ区間によって平均的な遅延（ｄｅｌａｙ）が０．５ｍｓ／２．５ｍｓが要求され、端末がＳＲ送信するのに１ｍｓが要求される。そして、基地局がＳＲをデコードしスケジューリング承認（ｓｃｈｅｄｕｌｉｎｇ  ｇｒａｎｔ）を生成するまで３ｍｓが要求され、スケジューリング承認を送信するのに１ｍｓが要求される。そして、端末がスケジューリング承認をデコードし、Ｌ１階層でアップリンクデータをエンコードするまで３ｍｓが要求され、アップリンクデータを送信するのに１ｍｓが要求される。
【０２４７】
このように端末がアップリンクデータを送信する手順を完了するのに総９．５／１５．５ｍｓが要求される。
【０２４８】
ランダム接続過程（ＲＡＣＨプロシージャ）
【０２４９】
図２１Ａ及び図２１Ｂは、ＬＴＥシステムにおけるランダム接続過程（Ｒａｎｄｏｍ  Ａｃｃｅｓｓ  Ｐｒｏｃｅｄｕｒｅ）の一例を示す。
【０２５０】
ランダム接続過程は、ＲＲＣ＿ＩＤＬＥでの初期接続、無線リンク失敗後の初期接続、ランダム接続過程を要求するハンドオーバ、ＲＲＣ＿ＣＯＮＮＥＣＴＥＤ中にランダム接続過程が要求されるアップリンクまたはダウンリンクデータ発生時に行われる。ＲＲＣ接続要請メッセージ（ＲＲＣ  Ｃｏｎｎｅｃｔｉｏｎ  Ｒｅｑｕｅｓｔ  Ｍｅｓｓａｇｅ）とセル更新メッセージ（Ｃｅｌｌ  Ｕｐｄａｔｅ  Ｍｅｓｓａｇｅ）、ＵＲＡ（ＵＴＲＡＮ  Ｒｅｇｉｓｔｒａｔｉｏｎ  Ａｒｅａ）更新メッセージ（ＵＲＡ  Ｕｐｄａｔｅ  Ｍｅｓｓａｇｅ）などの一部ＲＲＣメッセージも、ランダム接続過程を利用して送信される。論理チャネルＣＣＣＨ（Ｃｏｍｍｏｎ  Ｃｏｎｔｒｏｌ  Ｃｈａｎｎｅｌ）、ＤＣＣＨ（Ｄｅｄｉｃａｔｅｄ  Ｃｏｎｔｒｏｌ  Ｃｈａｎｎｅｌ）、ＤＴＣＨ（Ｄｅｄｉｃａｔｅｄ  Ｔｒａｆｆｉｃ  Ｃｈａｎｎｅｌ）が送信チャネルＲＡＣＨにマッピングされることができる。送信チャネルＲＡＣＨは、物理チャネルＰＲＡＣＨ（Ｐｈｙｓｉｃａｌ  Ｒａｎｄｏｍ  Ａｃｃｅｓｓ  Ｃｈａｎｎｅｌ）にマッピングされる。
【０２５１】
端末のＭＡＣ階層が端末物理階層にＰＲＡＣＨ送信を指示すると、端末物理階層は、まず一つの接続スロット（ａｃｃｅｓｓ  ｓｌｏｔ）と一つのシグネチャー（ｓｉｇｎａｔｕｒｅ）を選択して、ＰＲＡＣＨプリアンブルを上向きで送信する。ランダム接続過程は、競争基盤（Ｃｏｎｔｅｎｔｉｏｎ  ｂａｓｅｄ）のランダム接続過程と非競争基盤（Ｎｏｎ-ｃｏｎｔｅｎｔｉｏｎ  ｂａｓｅｄ）のランダム接続過程とに区分される。
【０２５２】
図２１Ａは、競争基盤（Ｃｏｎｔｅｎｔｉｏｎ  ｂａｓｅｄ）のランダム接続過程の一例を示し、図２１Ｂは、非競争基盤（Ｎｏｎ-ｃｏｎｔｅｎｔｉｏｎ  ｂａｓｅｄ）のランダム接続過程の一例を示す。
【０２５３】
まず、競争基盤のランダム接続過程について、図２１Ａを参照して述べることにする。
【０２５４】
端末は、システム情報を介して基地局からランダム接続に関する情報を受信して格納する。以後、ランダム接続が必要な場合、端末は、ランダム接続プリアンブル（Ｒａｎｄｏｍ  Ａｃｃｅｓｓ  Ｐｒｅａｍｂｌｅ；メッセージ１ともいう）を基地局に送信する（Ｓ２１０１）。
【０２５５】
基地局が前記端末からランダム接続プリアンブルを受信すると、前記基地局は、ランダム接続応答メッセージ（Ｒａｎｄｏｍ  Ａｃｃｅｓｓ  Ｒｅｓｐｏｎｓｅ；メッセージ２ともいう）を端末に送信する（Ｓ２１０２）。具体的に、前記ランダム接続応答メッセージに対するダウンリンクスケジューリング情報は、ＲＡ-ＲＮＴＩ（Ｒａｎｄｏｍ  Ａｃｃｅｓｓ-Ｒａｄｉｏ  Ｎｅｔｗｏｒｋ  Ｔｅｍｐｏｒａｒｙ  Ｉｄｅｎｔｉｆｉｅｒ）でＣＲＣマスキングされて、Ｌ１またはＬ２制御チャネルＰＤＣＣＨ上において送信されることができる。ＲＡ-ＲＮＴＩでマスキングされたダウンリンクスケジューリング信号を受信した端末は、ＰＤＳＣＨ（Ｐｈｙｓｉｃａｌ  Ｄｏｗｎｌｉｎｋ  Ｓｈａｒｅｄ  Ｃｈａｎｎｅｌ）からランダム接続応答メッセージを受信してデコードできる。以後、端末は、前記ランダム接続応答メッセージに自分に指示されたランダム接続応答情報があるかどうかを確認する。
【０２５６】
自分に指示されたランダム接続応答情報が存在するかどうかは、端末が送信したプリアンブルに対するＲＡＩＤ（Ｒａｎｄｏｍ  Ａｃｃｅｓｓ  Ｐｒｅａｍｂｌｅ  ＩＤ）が存在するかどうかによって確認されることができる。
【０２５７】
前記ランダム接続応答情報は、同期化のためのタイミングオフセット情報を表すＴＡ（Ｔｉｍｉｎｇ  Ａｌｉｇｎｍｅｎｔ）、アップリンクに使用される無線資源割り当て情報、端末識別のための仮識別子（例：Ｔｅｍｐｏｒａｒｙ  Ｃ-ＲＮＴＩ）などを含む。
【０２５８】
端末は、ランダム接続応答情報を受信する場合、前記応答情報に含まれた無線資源割り当て情報に応じて、アップリンクＳＣＨ（Ｕｐｌｉｎｋ  Ｓｈａｒｅｄ  Ｃｈａｎｎｅｌ）でアップリンク送信（メッセージ３ともいう）を行う（Ｓ２１０３）。ここで、アップリンク送信は、スケジュールされた送信（Ｓｃｈｅｄｕｌｅｄ  Ｔｒａｎｓｍｉｓｓｉｏｎ）と表現されることもできる。
【０２５９】
基地局は、端末から前記アップリンク送信を受信した後に、競争解決（ｃｏｎｔｅｎｔｉｏｎ  ｒｅｓｏｌｕｔｉｏｎ）のためのメッセージ（メッセージ４ともいう）をダウンリンク共有チャネル（Ｄｏｗｎｌｉｎｋ  Ｓｈａｒｅｄ  Ｃｈａｎｎｅｌ：ＤＬ-ＳＣＨ）を介して端末に送信する（Ｓ２１０４）。
【０２６０】
次に、非競争基盤のランダム接続過程について、図２１Ｂを参照して述べることにする。
【０２６１】
端末がランダム接続プリアンブルを送信する前に、基地局が非競争ランダム接続プリアンブル（Ｎｏｎ-ｃｏｎｔｅｎｔｉｏｎ  Ｒａｎｄｏｍ  Ａｃｃｅｓｓ  Ｐｒｅａｍｂｌｅ）を端末に割り当てる（Ｓ２１１１）。
【０２６２】
非競争ランダム接続プリアンブルは、ハンドオーバ命令またはＰＤＣＣＨのような専用シグナルリング（Ｄｅｄｉｃａｔｅｄ  Ｓｉｇｎａｌｌｉｎｇ）を介して割り当てられることができる。端末は、非競争ランダム接続プリアンブルが割り当てられた場合、基地局に割り当てられた非競争ランダム接続プリアンブルを送信する（Ｓ２１１２）。
【０２６３】
以後、前記基地局は、競争基盤ランダム接続過程でのステップＳ２１０２と同様にランダム接続応答（Ｒａｎｄｏｍ  Ａｃｃｅｓｓ  Ｒｅｓｐｏｎｓｅ；メッセージ２ともいう）を端末に送信できる（Ｓ２１１３）。
【０２６４】
前記説明されたランダム接続過程においてランダム接続応答に対しては、ＨＡＲＱが適用されないが、ランダム接続応答に対するアップリンク送信または競争解決のためのメッセージに対しては、ＨＡＲＱが適用されることができる。したがって、ランダム接続応答に対して端末は、ＡＣＫまたはＮＡＣＫを送信する必要がない。
【０２６５】
アップリンク参照信号
【０２６６】
図２２は、アップリンクサブフレームの構造を示す他の図である。
【０２６７】
図２２を参照すると、サウンディング参照信号（ＳＲＳ：Ｓｏｕｎｄｉｎｇ  Ｒｅｆｅｒｅｎｃｅ  Ｓｉｇｎａｌ）は、ＰＵＳＣＨが送信される帯域以外のアップリンク帯域（ｓｕｂ  ｂａｎｄ）に対するチャネルを推定するか、または全体アップリンク帯域幅（ｗｉｄｅ  ｂａｎｄ）に該当するチャネルの情報を獲得するために周期的にあるいは非周期的に端末が送信できる。周期的にサウンディング参照信号を送信する場合は、上位階層シグナルを介して周期が決定され、非周期的なサウンディング参照信号の送信は、基地局がＰＤＣＣＨアップリンク／ダウンリンクＤＣＩフォーマットの「ＳＲＳ  ｒｅｑｕｅｓｔ」フィールドを利用して指示するか、またはトリガー（ｔｒｉｇｇｅｒｉｎｇ）メッセージを送信できる。図２２に示す例のように、一つのサブフレーム内でサウンディング参照信号が送信されうる領域は、一つのサブフレームにおいて時間軸上において最も最後に位置するＳＣ-ＦＤＭＡシンボルがある区間である。同じサブフレームの最後のＳＣ-ＦＤＭＡに送信される複数の端末のサウンディング参照信号は、周波数の位置に応じて区分が可能である。サウンディング参照信号は、ＰＵＳＣＨとは異なり、ＳＣ-ＦＤＭＡに変換するためのＤＦＴ（Ｄｉｓｃｒｅｔｅ  Ｆｏｕｒｉｅｒ  Ｔｒａｎｓｆｏｒｍ）演算を行わず、ＰＵＳＣＨで使用されたプリコーディング行列を使用しないで送信される。
【０２６８】
なお、一つのサブフレーム内で復調用参照信号（ＤＭＲＳ：Ｄｅｍｏｄｕｌａｔｉｏｎ-Ｒｅｆｅｒｅｎｃｅ  Ｓｉｇｎａｌ）が送信される領域は、時間軸上において各スロットの中に位置するＳＣ-ＦＤＭＡシンボルがある区間であり、同様に、周波数上にはデータ送信帯域を介して送信される。例えば、一般循環前置きが適用されるサブフレームでは、第４番目のＳＣ-ＦＤＭＡシンボルと第１１番目のＳＣ-ＦＤＭＡシンボルにおいて復調用参照信号が送信される。
【０２６９】
復調用参照信号は、ＰＵＳＣＨまたはＰＵＣＣＨの送信と結合されることができる。サウンディング参照信号は、アップリンクスケジューリングのために、端末が基地局に送信する参照信号である。基地局は、受信されたサウンディング参照信号を介してアップリンクチャネルを推定し、推定されたアップリンクチャネルをアップリンクスケジューリングに利用する。サウンディング参照信号は、ＰＵＳＣＨまたはＰＵＣＣＨの送信と結合されない。復調用参照信号とサウンディング参照信号のために、同じ種類の基本シーケンスが使用されることができる。一方、アップリンク多重アンテナ送信において復調用参照信号に適用されたプリコーディングは、ＰＵＳＣＨに適用されたプリコーディングと同じくありうる。
【０２７０】
図２３は、アップリンクに参照信号を送信するための信号処理過程を説明するための図である。
【０２７１】
図２３に示すように、データは、時間領域で信号を生成しＤＦＴプリコーダー（ｐｒｅｃｏｄｅｒ）を介した周波数マッピング後にＩＦＦＴを介して送信されることに対し、参照信号は、ＤＦＴプリコーダーを介する過程が省略される。具体的に、周波数領域で参照シーケンスが直に生成（Ｓ２３１０）された後に、ローカル化マッピング（Ｓ２３２０）、ＩＦＦＴ過程（Ｓ２３３０）及び循環前置き（ＣＰ：Ｃｙｃｌｉｃ  Ｐｒｅｆｉｘ）付着（Ｓ２３４０）過程を順次に経た後に送信される。
【０２７２】
図２４は、復調用参照信号（ＤＭＲＳ：Ｄｅｍｏｄｕｌａｔｉｏｎ-Ｒｅｆｅｒｅｎｃｅ  Ｓｉｇｎａｌ）を送信するためのサブフレームの構造を示す図である。
【０２７３】
図２４の（ａ）は、一般循環前置き（ｎｏｒｍａｌ  ＣＰ）の場合に、復調用参照信号を送信するためのサブフレームの構造を示す図で、図２４の（ｂ）は、拡張循環前置き（ｅｘｔｅｎｄｅｄ  ＣＰ）の場合に、復調用参照信号を送信するためのサブフレームの構造を示す図である。図２４の（ａ）を参照すると、一般循環前置きでは、第４番目と第１１番目のＳＣ-ＦＤＭＡシンボルを介して復調用参照信号が送信され、図２４の（ｂ）を参照すると、拡張循環前置きでは、第３番目と第９番目のＳＣ-ＦＤＭＡシンボルを介して復調用参照信号が送信される。
【０２７４】
ＰＵＳＣＨに対した復調用参照信号（ＤＭＲＳ：Ｄｅｍｏｄｕｌａｔｉｏｎ-Ｒｅｆｅｒｅｎｃｅ  Ｓｉｇｎａｌ）
【０２７５】
ＰＵＳＣＨに対した参照信号は、次の通りに決定される。
【０２７６】
ＰＵＳＣＨに対した参照信号シーケンス
0006328843.tif 000044
は、階層インデックスに対応し、以下の式６のように定義される。
【０２７７】
【数２４】
0006328843.tif 000045
【０２７８】
式中、ｍとｎは、
【数２５】
0006328843.tif 000046
を満たし、
【数２６】
0006328843.tif 000047
を満たす。
【０２７９】
直交シーケンス（ｏｒｔｈｏｇｏｎａｌ  ｓｅｑｕｅｎｃｅ）
【数２７】
0006328843.tif 000048
は、上位階層パラメータ「Ａｃｔｉｖａｔｅ-ＤＭＲＳ-ｗｉｔｈ  ＯＣＣ」がセッティングされないか、または最も最近のアップリンクと関連したＤＣＩを送信するために、仮Ｃ-ＲＮＴＩが使用される場合、ＤＣＩフォーマット０のために
【数２８】
0006328843.tif 000049
に設定される。これに対し、該当ＰＵＳＣＨ送信と関連した送信ブロック（ｔｒａｎｓｐｏｒｔ  ｂｌｏｃｋ）に対する最も最近のアップリンクと関連したＤＣＩに含まれた循環シフトフィールド（ｃｙｃｌｉｃ  ｓｈｉｆｔ  ｆｉｅｌｄ）に応じて以下の表１７のように設定されることができる。
【０２８０】
【数２９】
0006328843.tif 000050
は、階層インデックス
0006328843.tif 000051
に対応する直交シーケンスを表し、特に、
【数３０】
0006328843.tif 000052
は、階層インデックス
0006328843.tif 000053
の第１スロットに適用される値で、
【数３１】
0006328843.tif 000054
は、階層インデックス
0006328843.tif 000055
の第２スロットに適用される値である。
【０２８１】
表１７は、アップリンクと関連したＤＣＩ内の循環シフトフィールドと、
【数３２】
0006328843.tif 000056
の対応関係を表す。
【０２８２】
【表１７】
0006328843.tif 000057
【０２８３】
0006328843.tif 000058
スロット内で循環シフト（ｃｙｃｌｉｃ  ｓｈｉｆｔ)値
0006328843.tif 000059
は、以下の式７のように定義され、
【数３３】
0006328843.tif 000060
は、以下の式８のように定義されることができる。
【０２８４】
【数３４】
0006328843.tif 000061
【０２８５】
【数３５】
0006328843.tif 000062
【０２８６】
【数３６】
0006328843.tif 000063
値は、上位階層パラメータ「ｃｙｃｌｉｃ  Ｓｈｉｆｔ」に指示され、表１８は、パラメータ値と
【数３７】
0006328843.tif 000064
との対応関係を表す。
【０２８７】
【表１８】
0006328843.tif 000065
【０２８８】
【数３８】
0006328843.tif 000066
は、ＰＵＳＣＨ送信に対応する送信ブロック（ｔｒａｎｓｐｏｒｔ  ｂｌｏｃｋ）に対する最も最近のアップリンクと関連したＤＣＩ内にＤＭＲＳフィールドのための循環シフト値によって決定され、
【数３９】
0006328843.tif 000067
値は、表１８の通りである。
【０２８９】
表１８を参照すると、同じ送信ブロックでアップリンクと関連したＤＣＩを含むダウンリンク物理制御チャネル（ＰＤＣＣＨ）が送信されない場合、同じ送信ブロックで最初ＰＵＳＣＨが半永久的（ｓｅｍｉ-ｐｅｒｓｉｓｔｅｎｔｌｙ）にスケジューリングされた場合、または同じ送信ブロックで最初ＰＵＳＣＨがランダムアクセス応答グラント（ｒａｎｄｏｍ  ａｃｃｅｓｓ  ｒｅｓｐｏｎｓｅ  ｇｒａｎｔ）によりスケジューリングされた場合に、
0006328843.tif 000068
は表１８の第１番目の列と同じ値を有することができる。
【０２９０】
【数４０】
0006328843.tif 000069
値は、以下の式９のように定義されることができる。
【０２９１】
【数４１】
0006328843.tif 000070
【０２９２】
【数４２】
0006328843.tif 000071
は、任意乱数（ｐｓｅｕｄｏ-ｒａｎｄｏｍ）シーケンスであり、セル-特定値である。任意乱数シーケンス生成器は、無線フレームの始めにおいて
【数４３】
0006328843.tif 000072
に初期化されることができる。
【０２９３】
参照信号のベクトルは、以下の式１０のようにプリコーディングされることができる。
【０２９４】
【数４４】
0006328843.tif 000073
【０２９５】
式中、
0006328843.tif 000074
は、ＰＵＳＣＨ送信のために使用されるアンテナポートの数である。一つのアンテナポートを利用してＰＵＳＣＨを送信する場合、
【数４５】
0006328843.tif 000075
である。空間マルチプレクス（ｓｐａｔｉａｌ  ｍｕｌｔｉｐｌｅｘｉｎｇ）の場合、
【数４６】
0006328843.tif 000076
でありえ、プリコーディング行列（Ｐｒｅｃｏｄｉｎｇ  Ｍａｔｒｉｘ）
0006328843.tif 000077
は、同一サブフレーム内でＰＵＳＣＨのプリコーディングのためのプリコーディング行列を同一に使用することができる。
【０２９６】
ＰＵＳＣＨにおいてアップリンク参照信号のための物理的マッピング方法は、以下のとおりである。
【０２９７】
ＰＵＳＣＨ送信のために使用される各アンテナポートに対して、
0006328843.tif 000078
シーケンスは、振幅スケーリング因子（ａｍｐｌｉｔｕｄｅ  ｓｃａｌｉｎｇ  ｆａｃｔｏｒ）
【数４７】
0006328843.tif 000079
と掛け算され、
【数４８】
0006328843.tif 000080
から始めてシーケンスでマッピングされる。マッピングプロセスに使用される物理資源ブロックセット及びインデックス
0006328843.tif 000081
とアンテナポート番号
【数４９】
0006328843.tif 000082
の関係は、該当ＰＵＳＣＨ送信の場合と同一である。インデックス
【数５０】
0006328843.tif 000083
が資源要素（ＲＥ）に一般循環前置きの場合
【数５１】
0006328843.tif 000084
、拡張循環前置きの場合
【数５２】
0006328843.tif 000085
において、
【数５３】
0006328843.tif 000086
が大きくなる順にマッピングされ、次は、
0006328843.tif 000087
はスロット番号が大きくなる順にマッピングされる。
【０２９８】
ＴＤＤシステムにおけるアップリンク／ダウンリンクスケジューリング
【０２９９】
ＴＤＤシステムでのダウンリンク／アップリンクサブフレーム構成がアップリンク-ダウンリンク構成（ｃｏｎｆｉｇｕｒａｔｉｏｎ）別に異なるから、ＰＵＳＣＨ及びＰＨＩＣＨ送信時間は、構成によって異なるように設定され、ＰＵＳＣＨ及びＰＨＩＣＨの送信時間は、サブフレームのインデックス（または数字）に応じて互いに異なるように構成されることができる。
【０３００】
ＬＴＥシステムにおいて、ＰＵＳＣＨとこれに先行するＰＤＣＣＨ、そしてＰＵＳＣＨに対応するダウンリンクＨＡＲＱ  ＡＣＫ／ＮＡＣＫが送信されるＰＨＩＣＨのアップ／ダウンリンクタイミング関係は、予め決まっている。
【０３０１】
表１９は、アップリンク-ダウンリンク構成別にＰＤＣＣＨとこれに対応するＰＵＳＣＨの送信タイミングを表す表である。
【０３０２】
【表１９】
0006328843.tif 000088
【０３０３】
表１９を参照すると、アップリンク-ダウンリンク構成１ないし６の場合、第ｎ番目のダウンリンクサブフレームにおいて基地局からＰＤＣＣＨによってＵＬ  ｇｒａｎｔを受信するか、またはＰＨＩＣＨを受信した後に再送信しなければならないとき、端末は、ＰＤＣＣＨ（またはＰＨＩＣＨ）が送信されたダウンリンクサブフレームインデックスに応じて、これに対応する第ｎ＋ｋ番目のアップリンクサブフレームにおいてＰＵＳＣＨを送信する。このとき、ｋ値は、表１９のとおりである。
【０３０４】
アップリンク-ダウンリンク構成０の場合、アップリンクＤＣＩフォーマット内のアップリンクインデックス（ＵＬ  ｉｎｄｅｘ）の値とＰＨＩＣＨが送信されるダウンリンクサブフレーム番号及び上位階層に受信されるか、またはＰＵＳＣＨが送信されるアップリンクサブフレーム番号により決定される
0006328843.tif 000089
値に応じて、ＰＵＳＣＨ送信を表１９に従って送信するか、または第ｎ+７番目のアップリンクサブフレームにおいて送信するか、または表１９によるアップリンクサブフレームと第ｎ+７番目のアップリンクサブフレームに全部送信することもできる。
【０３０５】
一方、端末がダウンリンクサブフレームｉにおいて基地局からＨＡＲＱ  ＡＣＫ／ＮＡＣＫを含むＰＨＩＣＨを受信すると、該当ＰＨＩＣＨは、アップリンクサブフレームｉ-ｋにおいて端末が送信したＰＵＳＣＨに対応する。このとき、ｋ値は、表２０のとおりである。
【０３０６】
表２０は、アップリンク-ダウンリンク構成別にＰＵＳＣＨとこれに対応するＰＨＩＣＨの送信タイミング関係を表す。
【０３０７】
【表２０】
0006328843.tif 000090
【０３０８】
アップリンク-ダウンリンク構成１-６の場合、またはアップリンク-ダウンリンク構成０であり、
【数５４】
0006328843.tif 000091
の場合、端末がサブフレームｉにおいて基地局からＨＡＲＱ-ＡＣＫを送信するＰＨＩＣＨを受信した場合、ＰＨＩＣＨは、サブフレームｉ-ｋにおいて端末が送信したＰＵＳＣＨに対応する。これに対し、アップリンク-ダウンリンク構成０であり、
【数５５】
0006328843.tif 000092
の場合、端末がサブフレームｉにおいて基地局からＨＡＲＱ-ＡＣＫを送信するＰＨＩＣＨを受信した場合、ＰＨＩＣＨは、サブフレームｉ-６において端末が送信したＰＵＳＣＨに対応する。
【０３０９】
端末が基地局にダウンリンクサブフレームｉに対応するＰＵＳＣＨサブフレームを介して送信ブロック（ｔｒａｎｓｐｏｒｔ  ｂｌｏｃｋ）を送信した後、ダウンリンクサブフレームｉにおいて送信ブロックに対応するＰＨＩＣＨを受信してＡＣＫがデコードされる場合、またはダウンリンクサブフレームｉにおいて送信されるＰＤＣＣＨによって送信ブロックが非活性化（ｄｉｓａｂｌｅ）される場合、端末は、送信ブロックに対応するＡＣＫを上位階層に伝達する。そうでない場合、送信ブロックに対するＮＡＣＫが上位階層に伝達される。
【０３１０】
端末の立場において述べると、第ｎ番目のアップリンクサブフレームでの端末のＰＵＳＣＨを介したアップリンク送信に対するＡＣＫ／ＮＡＣＫ応答（またはＰＨＩＣＨ）は、該当アップリンクサブフレームインデックスに応じて、これに対応するｎ＋ｋ番目のダウンリンクサブフレームにおいて基地局から送信される。サブフレームバンドルリング（ｂｕｎｄｌｉｎｇ）の場合、該当ＰＨＩＣＨは、バンドルの最後のサブフレームに対応する。端末は、ｎ＋ｋ番目のダウンリンクサブフレームにおいて自身が送信したＰＵＳＣＨに対したＰＨＩＣＨ応答が基地局から送信されるのを予想して、該当ＰＨＩＣＨを検索／検出／復調しなければならない。このとき、ｋ値は、表２１のとおりである。
【０３１１】
表２１は、アップリンク-ダウンリンク構成別にＰＵＳＣＨとこれに対応するＰＨＩＣＨの送信タイミング関係を表す。
【０３１２】
【表２１】
0006328843.tif 000093
【０３１３】
ＰＨＩＣＨ資源は、
【数５６】
0006328843.tif 000094
のようなインデックス対で識別される。
【数５７】
0006328843.tif 000095
は、ＰＨＩＣＨグループ番号を、
【数５８】
0006328843.tif 000096
は、該当ＰＨＩＣＨグループ内での直交シーケンスインデックスを表す。
【数５９】
0006328843.tif 000097
は、式１１によって求めることができる。
【０３１４】
【数６０】
0006328843.tif 000098
【０３１５】
【数６１】
0006328843.tif 000099
【０３１６】
式中、
【数６２】
0006328843.tif 000100
は、対応するＰＵＳＣＨ送信に関連した送信ブロックのためのアップリンクＤＣＩフォーマットを有する最も最近のＰＤＣＣＨでＤＭＲＳ（ｄｅｍｏｄｕｌａｔｉｏｎ  ｒｅｆｅｒｅｎｃｅ  ｓｉｇｎａｌ）フィールドのための循環シフト（ｃｙｃｌｉｃ  ｓｈｉｆｔ）からマッピングされる。反面、同じ送信ブロックのためのアップリンクＤＣＩフォーマットを有するＰＤＣＣＨが不在である場合に、同じ送信ブロックのための初期ＰＵＳＣＨが半持続的（ｓｅｍｉ-ｐｅｒｓｉｓｔｅｎｔ）にスケジューリングされるか、またはランダムアクセス応答承認信号によってスケジューリングされると、
【数６３】
0006328843.tif 000101
は、０に設定される。
【０３１７】
【数６４】
0006328843.tif 000102
は、ＰＨＩＣＨ変調のために使用される拡散係数（ｓｐｒｅａｄｉｎｇ  ｆａｃｔｏｒ）の大きさを表す。
【０３１８】
【数６５】
0006328843.tif 000103
は、
0006328843.tif 000104
がＰＤＣＣＨと関連したＰＵＳＣＨの第１番目の送信ブロックである場合であるか、または関連したＰＤＣＣＨがないときに受動的に認知された送信ブロックの数が該当ＰＵＳＣＨと関連した最も最近のＰＤＣＣＨで指示された送信ブロックの数と同一でない場合に
【数６６】
0006328843.tif 000105
と同じである。これに対し、
0006328843.tif 000106
がＰＤＣＣＨと関連したＰＵＳＣＨの第２番目の送信ブロックである場合には、
0006328843.tif 000107
は
【数６７】
0006328843.tif 000108
と同じに戻る。ここで、
【数６８】
0006328843.tif 000109
は、対応するＰＵＳＣＨ送信の第１番目のスロットの最も低いＰＲＢインデックスに該当する。
【０３１９】
【数６９】
0006328843.tif 000110
は、上位階層により構成されるＰＨＩＣＨグループの番号を表す。
【０３２０】
【数７０】
0006328843.tif 000111
は、ＴＤＤシステムのアップリンク-ダウンリンク構成０においてサブフレームインデックス４または９においてＰＵＳＣＨが送信される場合、１を有し、そうでない場合、０を有する。
【０３２１】
表２２は、アップリンクＤＣＩフォーマットを有するＰＤＣＣＨにおいてＰＨＩＣＨ資源を決定するために使用されるＤＭＲＳフィールドのための循環シフトと
【数７１】
0006328843.tif 000112
とのマッピング関係を表す表である。
【０３２２】
【表２２】
0006328843.tif 000113
【０３２３】
以下、５Ｇシステム（または、ＦｕｔｕｒｅＩ  ＭＴ-Ａｄｖａｎｃｅｄシステム）において端末の制御プレーン遅延（Ｃ-ｐｌａｎｅ  ｌａｔｅｎｃｙ）を最小化するための方法として、競争基盤のＰＵＳＣＨゾーン（Ｃｏｎｔｅｎｔｉｏｎ  ｂａｓｅｄ  ＰＵＳＣＨ  ｚｏｎｅ、以下、「ＣＰゾーン」という）定義、ＣＰゾーン設定方法、ＣＰゾーン利用方法などと関連した事項について、図面を参照して具体的に述べることにする。
【０３２４】
ＣＰゾーン定義及び設定
【０３２５】
図２５Ａは、ＣＰゾーン設定の一例を示し、図２５Ｂは、ＣＰゾーンを構成する競争ＰＵＳＣＨ資源ブロック（Ｃｏｎｔｅｎｔｉｏｎ  ＰＵＳＣＨ  Ｒｅｓｏｕｒｃｅ  Ｂｌｏｃｋ：ＣＰＲＢ）の一例を示した図である。
【０３２６】
まず、ＣＰゾーンとは、端末のアップリンクデータ（ＵＬ  ｄａｔａ）送信と関連して、基地局から別の資源割り当てスケジューリング無しで端末が直にＵＬ  ｄａｔａを送信できる領域を意味する。
【０３２７】
前記ＣＰゾーンの場合、ｌｏｗ  ｌａｔｅｎｃｙを要求する端末のＵＬ  ｄａｔａ送信に主に使用されることができる。
【０３２８】
図２５Ａを参照すると、１０１０は、ＰＵＣＣＨが送信される資源領域であり、１０２０は、ＣＰゾーンに該当する。
【０３２９】
前記ＣＰゾーンは、ＵＬ  ｄａｔａを送信できるＰＵＳＣＨ領域の特定資源領域に割り当てられることができる。すなわち、前記ＣＰゾーンは、一つのサブフレーム（Ｓｕｂ-Ｆｒａｍｅ：ＳＦ）または一つ以上の連続したＳｕｂ-Ｆｒａｍｅに割り当てられることができ、特定Ｓｕｂ-Ｆｒａｍｅには、前記ＣＰゾーンが割り当てられない場合もある。
【０３３０】
図２５Ｂは、ＣＰＲＢを表すものであり、ＣＰゾーンは、一つ以上のＣＰＲＢから構成されることができる。
【０３３１】
ＣＰＲＢは、一つの端末が占有できるＣＰゾーン内の資源領域を表すものであり、一つのＣＰＲＢ１０３０に一つの端末がマッピングされるが、これに限定されず、端末の能力、端末が送信するＵＬ  ｄａｔａ量などを考慮して、一つの端末に多数のＣＰＲＢがマッピングされることもでき、複数の端末が一つのＣＰＲＢを共有することもできる。
【０３３２】
図２５Ｂに示すように、一つのＣＰゾーンには、Ｎ（Ｎは、自然数）個のＣＰＲＢが定義されることができる。
【０３３３】
一例として、ＣＰゾーンを利用する端末が３個があり（端末１、端末２、端末３）、ＣＰゾーンを構成するＣＰＲＢが４個（ＣＰＲＢ＃１、ＣＰＲＢ＃２、ＣＰＲＢ＃３、ＣＰＲＢ＃４）がある場合、端末１にはＣＰＲＢ＃１、端末２にはＣＰＲＢ＃２、端末３にはＣＰＲＢ＃３がそれぞれ割り当てられることができる。
【０３３４】
ここで、各々の端末に割り当てられるＣＰＲＢは、基地局により設定されるか、基地局からＣＰゾーンのＣＰＲＢ関連情報を端末が受信した場合には、各端末が望むＣＰＲＢを基地局に要請することによって割り当てられることもできる。
【０３３５】
また、基地局においてＣＰＲＢを各々の端末に割り当てるにおいて、セルで収容できる端末数（またはユーザ数）が制約的なスモールセル（ｓｍａｌｌ  ｃｅｌｌ）の場合、前記基地局は、セルに進入した端末とＣＰＲＢを１対１にマッピングできる。
【０３３６】
例えば、ｓｍａｌｌ  ｃｅｌｌにおいて収容できる最大端末の数がＮ個である場合、前記ｓｍａｌｌ  ｃｅｌｌの基地局は、Ｎ個の端末のためのＣＰゾーンを予め割り当て、Ｎ個を超過する端末に対してはセル進入を許容しないことによって、セル内の端末とＣＰＲＢとが１対１にマッピングされるようにすることができる。
【０３３７】
仮に、端末とＣＰＲＢの１対１マッピング方法を端末のセル進入後にＲＡＣＨプロシージャのために使用する場合には、端末がセルに進入する前に端末と基地局との間に暗示的に（ｉｍｐｌｉｃｉｔに）ＣＰＲＢ割り当て方法が互いに約束される。すなわち、マクロセル（ｍａｃｒｏ  ｃｅｌｌ）と接続性がある端末がｄｕａｌ  ｃｏｎｎｅｃｔｉｖｉｔｙを介してｓｍａｌｌ  ｃｅｌｌとの接続を追加する場合、前記ｓｍａｌｌ  ｃｅｌｌと前記ｍａｃｒｏ  ｃｅｌｌとの間のバックホールインタフェース（ｂａｃｋｈａｕｌ  ｉｎｔｅｒｆａｃｅ）を介して端末に予めＣＰＲＢを割り当てることができる。
【０３３８】
ここで、ｄｕａｌ  ｃｏｎｎｅｃｔｉｖｉｔｙとは、ａｎｃｈｏｒ-ｂｏｏｓｔｅｒ、ｃａｒｒｉｅｒ  ａｇｇｒｅｇａｔｉｏｎまたはｓｉｍｕｌｔａｎｅｏｕｓ  ｍｕｌｔｉ-ＲＡＴ  ｃｏｍｍｕｎｉｃａｔｉｏｎなどのような技術のことをいう。
【０３３９】
すなわち、ＣＰゾーンが設定されたセルに位置した端末は、ｌｏｗ  ｌａｔｅｎｃｙを要求するＵＬ  ｄａｔａがある場合、前記ＵＬ  ｄａｔａ送信のための基地局のスケジューリング無しで（ＵＬ  ｇｒａｎｔ無しで）端末は、設定されたＣＰゾーンを介してＵＬ  ｄａｔａを基地局に直に送信できる。
【０３４０】
ＣＰゾーンは、ｌｏｗ  ｌａｔｅｎｃｙを要求する端末のＵＬ  ｄａｔａ送信の場合であれば、幅広く使用されることが好ましいが、ＣＰゾーンは、特定プロシージャ内で送信されるＵＬ  ｄａｔａ（一例として、ランダム接続過程のＲＲＣ要請メッセージ及び／またはＮＡＳ要請メッセージ、ＢＳＲプロシージャ内のＢＳＲ送信等）に対してのみ制限的に使用されることもできる。
【０３４１】
また、ＣＰゾーンは、図２６に示すように、プロシージャ別に異なるように設定されることもできる。
【０３４２】
ＣＰゾーンは、目的に応じて一つ以上のゾーンと定義されることができる。例えば、ＲＡＣＨプロシージャのために設定されるＣＰゾーン領域とＢＳＲプロシージャのために設定されるＣＰゾーン領域とは区別されるように設定されることができる。すなわち、他の目的として定義される各ＣＰゾーンは、他のＳｕｂ-Ｆｒａｍｅにそれぞれ設定されるか、または同一のＳｕｂ-Ｆｒａｍｅ内の他の資源領域に各々設定されることができる。
【０３４３】
図２６において、ＲＡＣＨプロシージャのためのＣＰゾーンとＢＳＲなど、他のプロシージャのためのＣＰゾーンが異なるように設定されたことが分かる。
【０３４４】
ＣＰゾーン関連情報送信方法
【０３４５】
図２７は、ＣＰゾーンと関連した情報送信方法の一例を示した図である。
【０３４６】
特定セルにＣＰゾーンが設定されている場合、基地局（または特定セル）は、（特定セル内）端末に前記特定セルに設定されたＣＰゾーン関連制御情報を送信する（Ｓ２７１０）。
【０３４７】
ここで、特定セルはフェムトセル、ピコセル、マイクロセルなどのようなスモールセル（Ｓｍａｌｌ  Ｃｅｌｌ）またはマクロセルを意味できる。
【０３４８】
前記ＣＰゾーン関連制御情報は、前記特定セルにＣＰゾーンが設定されたかどうかを表すＣＰゾーン設定お知らせ情報を含む。
【０３４９】
また、前記ＣＰゾーン関連制御情報は、前記特定セルにＣＰゾーンが設定されている場合、前記ＣＰゾーン構成など、前記ＣＰゾーン設定と関連した情報であるＣＰゾーン設定情報をさらに含む。
【０３５０】
前記ＣＰゾーン設定情報は、ＣＰゾーンが設定されたアップリンク資源（ＵＬ  ｒｅｓｏｕｒｃｅ）情報、ＣＰゾーン内のＣＰＲＢに送信されうるデータ送信と関連した情報を含むことができる。
【０３５１】
前記ＣＰゾーンが設定されたアップリンク資源情報は、Ｒｅｓｏｕｒｃｅ  ｕｔｉｌｉｚａｔｉｏｎを考慮して、ＣＰゾーンが設定されないＵＬ  Ｓｕｂ-Ｆｒａｍｅの情報を含むこともできる。
【０３５２】
上述のように、一つのＣＰゾーンは、一つ以上の端末が占有できるＮ（自然数）個のＣＰＲＢから構成されることができる。
【０３５３】
前記ＣＰゾーンが設定されたアップリンク資源情報は、特定時点に任意の一つの端末がＣＰゾーンの資源を占有しようと試みることができるＣＰゾーンの数Ｍを表す値を含むことができる。
【０３５４】
ここで、Ｎ＊Ｍの値は、特定時点に任意の一つの端末が選択（または占有）できるＣＰＲＢの総数を表す。
【０３５５】
例えば、１個のＣＰゾーンに４個のＣＰＲＢを有する同じ目的のＣＰゾーンが２個である場合（２個のＣＰゾーンが一つのＣＰグループ形成）、端末は、８（４＊２）個の候補（ｃａｎｄｉｄａｔｅ）ＣＰＲＢを有することができる。
【０３５６】
前記設定されたＣＰＲＢに送信されることができるデータ送信と関連した情報には、端末ごとの最大資源ブロック大きさ（Ｍａｘｉｍｕｍ  ｒｅｓｏｕｒｃｅ  ｂｌｏｃｋ  ｓｉｚｅ）、ＭＣＳ（Ｍｏｄｕｌａｔｉｏｎ  ａｎｄ  Ｃｏｄｉｎｇ  Ｓｃｈｅｍｅ）レベル、初期送信電力基準信号（ｉｎｉｔｉａｌ  ｔｒａｎｓｍｉｓｓｉｏｎ  ｐｏｗｅｒ  ｒｅｆｅｒｅｎｃｅ）などがありうる。
【０３５７】
前記ＣＰゾーン関連制御情報は、ブロードキャストメッセージ（Ｂｒｏａｄｃａｓｔ  Ｍｅｓｓａｇｅ）で送信されるか、または特定端末のためにユニキャストメッセージ（ｕｎｉｃａｓｔ  ｍｅｓｓａｇｅ）で送信されることができる。
【０３５８】
具体的に、前記ＣＰゾーン関連制御情報は、以下の４通りの方式により送信されることができるが、これに限定されるものではなく、多様な方式により送信されうることはもちろんである。
【０３５９】
第１に、ＣＰゾーン関連制御情報は、ＭＩＢ（Ｍａｓｔｅｒ  Ｉｎｆｏｒｍａｔｉｏｎ  Ｂｌｏｃｋ）を介して端末に送信されることができる。Ｅｓｓｅｎｔｉａｌ  ｐｈｙｓｉｃａｌ  ｌａｙｅｒ  ｉｎｆｏｒｍａｔｉｏｎを送信するＭＩＢに前記ＣＰゾーン関連制御情報が含まれることができる。
【０３６０】
第２に、ＣＰゾーン関連制御情報は、従来のＳＩＢ-ｘを介して端末に送信されることができる。
【０３６１】
ＳＩＢ-ｘを介して送信される場合は、初期網接続のためにＣＰゾーンが設定される場合であって、前記ＣＰゾーン関連制御情報は、ＳＩＢ-２に含まれて送信されることができる。
【０３６２】
一例として、ＲＡＣＨプロシージャのためにＣＰゾーンが設定される場合、ＳＩＢ-２にＣＰゾーンに対する情報を追加して端末がセルに接続する前にｃｏｎｔｅｎｔｉｏｎ  ｂａｓｅｄ  ＲＲＣ  ｃｏｎｎｅｃｔｉｏｎ  ｒｅｑｕｅｓｔメッセージ送信（例：２-ｓｔｅｐ  ＲＡ）を介してセルに接続できることを予め認知するようにする。
【０３６３】
第３に、ＣＰゾーン関連制御情報は、新しいＳＩＢ-ｙを介して端末に送信されることができる。
【０３６４】
すなわち、網接続以後のプロシージャのためにＣＰゾーンが設定される場合、新しいＳＩＢ定義を介して送信されることができる。
【０３６５】
ここで、基地局は、新しいＳＩＢ情報を受信しなければならないセルであることを知らせるｉｎｄｉｃａｔｉｏｎをＭＩＢ、ＳＩＢ-１またはＳＩＢ-２に含めて端末に送信できる。
【０３６６】
第４に、ＣＰゾーン関連制御情報は、新しいｃｏｎｔｒｏｌ  ｍｅｓｓａｇｅを介してｕｎｉｃａｓｔ方式で特定端末に送信されることができる。
【０３６７】
端末がセルに接続した場合、ＣＰゾーンを利用する必要がある端末のみに前記ＣＰゾーン関連制御情報をユニキャストメッセージを介して送信することによって、前記ＣＰゾーン関連制御情報を特定端末だけが受信するようにすることができる。
【０３６８】
この場合、端末は、セルに接続（または進入）する場合、ＣＰゾーン利用を知らせる情報をセル接続時に基地局に送信するメッセージなどに含めて基地局に送信することによって、基地局が前記端末にＣＰゾーン関連制御情報をユニキャストメッセージを介して送信するようにすることができる。
【０３６９】
前記ＣＰゾーン設定お知らせ情報及び前記ＣＰゾーン設定情報は、上述のように、前記ＣＰゾーン関連制御情報に含まれて、多様な形式（ＳＩＢ、ＭＩＢ、Ｕｎｉｃａｓｔ  Ｍｅｓｓａｇｅ等）で端末に送信されることもでき、前記ＣＰゾーンお知らせ情報と前記ＣＰゾーン設定情報がそれぞれ異なるメッセージなどを介して別に送信されることもできる。
【０３７０】
ここで、前記ＣＰゾーン設定お知らせ情報と前記ＣＰゾーン設定情報が別に送信される場合にも、上述のＳＩＢ、ＭＩＢ、Ｕｎｉｃａｓｔ  Ｍｅｓｓａｇｅなど、多様な形式により送信されうることはもちろんである。
【０３７１】
ＣＰゾーン基盤のＢＳＲプロシージャ
【０３７２】
ＢＳＲプロシージャにおいてＣＰゾーンを使用する方法について、具体的に述べることにする。
【０３７３】
図２８は、ＢＳＲプロシージャにおいてＣＰゾーンを使用する方法の一例を示した図である。
【０３７４】
ＢＳＲプロシージャは、ＵＬ資源割り当て過程で、ＳＲ（Ｓｃｈｅｄｕｌｉｎｇ  Ｒｅｑｕｅｓｔ）プロシージャで表現されることができる。
【０３７５】
図２８は、上述のＣＰゾーン（ｃｏｎｔｅｎｔｉｏｎ  ｂａｓｅｄ  ＰＵＳＣＨ  ｚｏｎｅ）をＢＳＲ（メッセージ）送信のためのＵＬ  ｒｅｓｏｕｒｃｅとして使用する方法を示す。
【０３７６】
図２８に示すように、ＢＳＲは、ＳＲが送信されるサブフレームで同時に送信される。すなわち、端末は、基地局に１ＴＴＩ（Ｔｒａｎｓｍｉｓｓｉｏｎ  Ｔｉｍｉｎｇ  Ｉｎｔｅｒｖａｌ）でＳＲとＢＳＲを共に送信する（Ｓ２８１０）。
【０３７７】
ここで、ＳＲ送信は、ＯＮ／ＯＦＦ  Ｋｅｙｉｎｇ方式によりＰＵＣＣＨを介して送信され、端末別ＰＵＣＣＨ資源は、予め割り当てられていると仮定する。
【０３７８】
または、図１８ａの５-ｓｔｅｐ  ＳＲ方式と図１８ｂの３-ｓｔｅｐ  ＳＲ方式を同時に使用するシステムのために、特定情報を含めたＳＲが使用されることができる。
【０３７９】
前記特定情報は、一例として、「０」である場合、非競争基盤ＳＲ（ｎｏｎ-ｃｏｎｔｅｎｔｉｏｎ  ｂａｓｅｄ  ＳＲ）を表すことができ、「１」である場合、競争基盤ＳＲ（ｃｏｎｔｅｎｔｉｏｎ  ｂａｓｅｄ  ＳＲ）を表すことができる。
【０３８０】
具体的に、端末は、ＰＵＣＣＨを介してＳＲ及びＣＰゾーンを介してＢＳＲを１  ＴＴＩで、すなわち、同じサブフレームにおいて共に基地局に送信する（Ｓ２８２０）。
【０３８１】
以後、前記端末は、前記基地局から実際データ送信のためのＵＬ  ｇｒａｎｔを受信する。
【０３８２】
以後、前記端末は、前記受信されたＵＬ  ｇｒａｎｔを利用して前記基地局に実際データを送信する（Ｓ２８３０）。
【０３８３】
ここで、ＣＰゾーンを利用してＵＬ資源割り当て過程を行うためには、まず、基地局が端末に上述のＣＰゾーン関連制御情報を送信できる。
【０３８４】
前記ＣＰゾーン関連制御情報は、システム関連情報であるから、ＳＩＢを介して送信されることが好ましくありうるが、これに限定されずに、多様な方式により送信されることができる。
【０３８５】
上述のように、ＣＰゾーンを利用してＵＬ資源割り当て過程を行う場合、端末が基地局にＵＬ  ｒｅｓｏｕｒｃｅを要請し、基地局からＵＬ  ｒｅｓｏｕｒｃｅが割り当てられる時間を減らすことができるから、一般的な基地局スケジューリング基盤のＵＬ  ｒｅｓｏｕｒｃｅ割り当て過程に比べて、全体ｐｒｏｃｅｄｕｒｅ  ｌａｔｅｎｃｙを減らすことができるという効果がある。
【０３８６】
図２９Ａないし図２９Ｃは、ＢＳＲプロシージャにおいてＣＰゾーンを利用する場合、多様な方式のＣＰゾーン設定の一例を示した図である。
【０３８７】
ＣＰゾーンを介してＢＳＲを送信する場合、端末は、自分に割り当てられたＰＵＣＣＨ資源を介したＳＲ送信と共に、ＢＳＲ  ｍｅｓｓａｇｅを送信できる。
【０３８８】
これにより、端末は、ＳＲとＢＳＲ  ｍｅｓｓａｇｅを同一時間または連続した時間資源を利用して送信できるようになる。
【０３８９】
図２９Ａは、ＳＲ及びＢＳＲが同一サブフレーム内で送信されるＣＰゾーンのＩｎｔｒａ  ｓｕｂｆｒａｍｅ設定方式の一例を示す。
【０３９０】
すなわち、図２９Ａに示すように、ＳＲ及びＢＳＲは、同一ｓｕｂｆｒａｍｅ内で他の資源（時間資源または周波数資源）に分けられて割り当て（ＴＤＭ／ＦＤＭ）られるのを確認することができる。
【０３９１】
図２９Ｂは、ＳＲ及びＢＳＲが隣接サブフレーム内で送信されるＣＰゾーンのＩｎｔｅｒ  ｓｕｂｆｒａｍｅ設定方式の一例を示す。
【０３９２】
すなわち、図２９Ｂに示すように、ＳＲ及びＢＳＲは、隣接したｓｕｂｆｒａｍｅの資源を介して他のＴＴＩに分けられた割り当てられることもできるのを確認することができる。
【０３９３】
ＢＳＲは、ＳＲ送信の次のサブフレームまたはＳＲ送信後に第Ｎ番目のサブフレームで送信されることができる。
【０３９４】
図２９Ｃは、図２９Ａ及び図２９Ｂの方式が混合されて、ＣＰゾーンが設定される方式の一例を示す。
【０３９５】
すなわち、図２９ＣのＩｎｔｒａ  ｓｕｂ  ｆｒａｍｅ方式とＩｎｔｅｒ  ｓｕｂ  ｆｒａｍｅ方式の混合方式は、セル内の資源活用を最大化するために、特定ｓｕｂｆｒａｍｅでＳＲ領域またはＣＰゾーン資源領域を設定しない方式を意味する。
【０３９６】
図２９Ｃを参照すると、一つのｓｕｂｆｒａｍｅにＳＲだけが割り当てられ、次のｓｕｂｆｒａｍｅには、ＳＲ及びＣＰゾーン資源領域が共に割り当てられているのを確認することができる。
【０３９７】
ここで、ＳＲ及びＣＰゾーン資源領域は、互いに異なる周波数資源を使用して割り当てられていることが分かる。
【０３９８】
図２９Ａないし図２９Ｃ方式の他にも、ＳＲとＣＰゾーンの資源領域設定方法は、セル運用技法によって多様な方式で設定されることができる。
【０３９９】
以下、ＳＲ  ＰＵＣＣＨ  ｉｎｄｅｘに応じるＢＳＲ  ＣＰＲＢのマッピング方法について述べることにする。
【０４００】
図３０は、ＢＳＲ  ＣＰＲＢマッピング方法の一例を示した図である。
【０４０１】
図３０は、ＳＲとＣＰＲＢが１対１にマッピングされるように設定する方法の一例を示す。
【０４０２】
すなわち、一つのサブフレームＳＦにＮ個のＳＲが割り当てられた場合、Ｎ個のＣＰＲＢを有するＣＰゾーンを設定する方法を示す。
【０４０３】
ＳＲとＣＰＲＢとが１対１にマッピングされるように設定する方法は、下記のように２通りの方法がある。
【０４０４】
（１）ＳＲに対したＰＵＣＣＨ  ｐｈｙｓｉｃａｌ  ｉｎｄｅｘと同一にＣＰＲＢ  ｉｎｄｅｘを選択する方法
【０４０５】
（２）ＳＲに対したＰＵＣＣＨ  ｌｏｇｉｃａｌ  ｉｎｄｅｘと同一にＣＰＲＢ  ｉｎｄｅｘを選択する方法
【０４０６】
（２）の方法において、ＳＲに対したＰＵＣＣＨ  ｌｏｇｉｃａｌ  ｉｎｄｅｘは、該当ｓｕｂ-ｆｒａｍｅにおいて端末のＳＲのために割り当てられたＰＵＣＣＨ  ｒｅｓｏｕｒｃｅ  ｉｎｄｅｘを０からｌｏｇｉｃａｌに新しくマッピングしたｉｎｄｅｘを意味する。
【０４０７】
これは、ＳＲ構成情報要素（ｃｏｎｆｉｇｕｒａｔｉｏｎ  ｉｎｆｏｒｍａｔｉｏｎ  ｅｌｅｍｅｎｔ）で新しく定義されて送信されることができる。
【０４０８】
図３０Ａは、ＣＰゾーンのＩｎｔｅｒ  ｓｕｂｆｒａｍｅ設定方法においてＳＲ及びＣＰＲＢが１：１にマッピングされる方法を示し、図３０Ｂは、ＣＰゾーンのＩｎｆｒａ  ｓｕｂｆｒａｍｅ設定方法においてＳＲ及びＣＰＲＢが１：１にマッピングされる方法を示す。
【０４０９】
図３０Ａを参照すると、端末１がサブフレームｎでＰＵＣＣＨインデックス３を介して基地局にＳＲを送信する場合、次のサブフレーム、すなわち、サブフレームｎ＋１においてＰＵＣＣＨインデックス３と同じＣＰＲＢインデックス３（＃３）を使用して、ＢＳＲを基地局に送信する。
【０４１０】
また、端末２は、サブフレームｎ＋２においてＰＵＣＣＨインデックス３を介して基地局にＳＲを送信する場合、次のサブフレーム、すなわち、サブフレームｎ＋３においてＰＵＣＣＨインデックス３と同じＣＰＲＢインデックス３（＃３）を使用して、ＢＳＲを基地局に送信する。
【０４１１】
図３０Ｂを参照すると、端末１がサブフレームｎにおいてＰＵＣＣＨインデックス０を介して基地局にＳＲを送信する場合、同一のサブフレーム（ｎ）においてＰＵＣＣＨインデックス０と同じＣＰＲＢインデックス０（＃０）を使用して、ＢＳＲを基地局に送信する。
【０４１２】
また、端末２は、サブフレームｎにおいてＰＵＣＣＨインデックス３を介して基地局にＳＲを送信する場合、同一のサブフレーム（ｎ）においてＰＵＣＣＨインデックス３と同じＣＰＲＢインデックス３（＃３）を使用して、ＢＳＲを基地局に送信する。
【０４１３】
ＳＲとＢＳＲ  ＣＰＲＢのさらに他のマッピング方法について述べることにする。
【０４１４】
これは、ＣＰＲＢをＳＲの資源数より小さな数に設定する方法である。すなわち、一つのＳＦにＮ個のＳＲが割り当てられた場合、１からｎ-１個のＣＰＲＢを有するＣＰゾーン設定方法を表す。
【０４１５】
この方法の場合、ＣＰＲＢ数（ｘ）がＳＲ（ｎ）より小さいから、ＢＳＲ送信ｃｏｌｌｉｓｉｏｎが発生できる。
【０４１６】
したがって、ＢＳＲ送信に対するｃｏｌｌｉｓｉｏｎ発生を減らすために、以下のような方法を使用して、端末がＢＳＲのためのＣＰＲＢを暗示的に選択するようにすることができる。
【０４１７】
（１）端末がランダムにＣＰＲＢを選択する方法
【０４１８】
（２）ＣＰＲＢ  ｉｎｄｅｘ（＃）＝ｍｏｄｕｌｏ（ＵＥ  ＩＤ  ％  Ｘ）を介して選択する方法
【０４１９】
（３）ＣＰＲＢ  ｉｎｄｅｘ（＃）＝ｍｏｄｕｌｏ（ＳＲに対するＰＵＣＣＨ  ｐｈｙｓｉｃａｌ  ｉｎｄｅｘ  ％  Ｘ）を介して選択する方法
【０４２０】
ここで、ＰＵＣＣＨ  ｐｈｙｓｉｃａｌ  ｉｎｄｅｘは、ＳＲ  Ｃｏｎｆｉｇｕｒａｔｉｏｎ  Ｉｎｆｏｒｍａｔｉｏｎ  ｅｌｅｍｅｎｔのうち、ＰＵＣＣＨ  ｒｅｓｏｕｒｃｅ  ｉｎｄｅｘに該当する値を意味できる。
【０４２１】
（４）ＣＰＲＢ  ｉｎｄｅｘ（＃）＝ｍｏｄｕｌｏ（ＳＲに対するＰＵＣＣＨ  ｌｏｇｉｃａｌ  ｉｎｄｅｘ  ％  Ｘ）を介して選択する方法
【０４２２】
ここで、ＰＵＣＣＨ  ｌｏｇｉｃａｌ  ｉｎｄｅｘは、該当ｓｕｂ-ｆｒａｍｅにおいて端末のＳＲのために割り当てられたＰＵＣＣＨ  ｒｅｓｏｕｒｃｅ  ｉｎｄｅｘを０からｌｏｇｉｃａｌに新しくマッピングしたｉｎｄｅｘを意味でき、該当ＰＵＣＣＨ  ｌｏｇｉｃａｌ  ｉｎｄｅｘは、端末のために、ＳＲ  ｃｏｎｆｉｇｕｒａｔｉｏｎ  ｉｎｆｏｒｍａｔｉｏｎ  ｅｌｅｍｅｎｔから追加的に送信されることができる。
【０４２３】
（２）の方法において、ｎの約数でない値がＸに設定される場合、特定ＣＰＲＢは、端末からより多くの選択を受け、ｃｏｌｌｉｓｉｏｎが発生する可能性がより高くなりうる。
【０４２４】
したがって、このような理由でＸは、ｎの約数と定義されることが好ましくありうるが、これに限定されるものではない。
【０４２５】
一例として、ｎ＝６である場合、Ｘ＝１，２，３，６のうちのいずれか一つに設定されることが好ましくありうる。
【０４２６】
前記（２）ないし（４）の方法において、Ｘは、ＢＳＲを送信する端末が占有できるＣＰＲＢの総数を表す。また、Ｘ値は、システム情報などを介して基地局から受信される値である。
【０４２７】
任意のｓｕｂ-ｆｒａｍｅ  ＰＵＣＣＨに割り当てられたＳＲがｎ個であると仮定するとき、これに相応するＢＳＲ送信のためのＣＰＲＢ（Ｃｏｎｔｅｎｔｉｏｎ  ｂａｓｅｄ  ＰＵＳＣＨ  Ｒｅｓｏｕｒｃｅ  Ｂｌｏｃｋ）がｎ個以上である場合、端末は、ＣＰＲＢにＢＳＲを送信する時に他の端末とのｃｏｌｌｉｓｉｏｎが発生しない。
【０４２８】
しかしながら、上述のように、Ｎ個のＳＲに対して、これに相応する（またはマッピングする）ＣＰＲＢがｎ-１個以下に設定される場合、一つ以上の端末が同じＣＰＲＢを介して同時にＢＳＲを基地局に送信できる可能性が存在するようになる。
【０４２９】
図３１は、同じＣＰＲＢ占有によってＢＳＲ送信時に発生する衝突現象の一例を示した図である。
【０４３０】
図３１の場合、端末が選択するＣＰＲＢインデックス（ＣＰＲＢ（＃））は、ｍｏｄｕｌｏ（選択されたＳＲ  ＰＵＣＣＨ  ｉｎｄｅｘ  ％  Ｘ）のように計算されることができ、Ｘ＝５である場合を表す。
【０４３１】
Ｘは、ＢＳＲを送信する端末が占有できるＣＰＲＢの総数を表し、Ｘ値は、システム情報などを介して基地局から受信される値である。
【０４３２】
図３１に示すように、端末１は、ＰＵＣＣＨインデックス１に該当するＰＵＣＣＨ資源を介してＳＲを送信し、ＣＰＲＢ  ＃１に該当するＣＰＲＢを介してＢＳＲを基地局に送信する。
【０４３３】
また、端末２は、ＰＵＣＣＨインデックス２に該当するＰＵＣＣＨ資源を介してＳＲを送信し、ＣＰＲＢ  ＃１に該当するＣＰＲＢを介してＢＳＲを基地局に送信する。
【０４３４】
すなわち、端末１及び端末２が同じＣＰＲＢを介してＢＳＲを基地局に送信することによって、前記基地局において端末１及び端末２が送信するＢＳＲを区別できなくなる資源衝突現象が発生するようになる。
【０４３５】
以下、二つ以上の端末が同じＣＰＲＢ資源を利用して同時にＢＳＲを送信する場合、ＢＳＲの衝突（ｃｏｌｌｉｓｉｏｎ）を認識する方法及びこれを解決するための方法について述べることにする。
【０４３６】
すなわち、二つ以上の端末が同じＣＰＲＢ資源を利用してＢＳＲを送信することによってｃｏｌｌｉｓｉｏｎが発生する場合、基地局がＢＳＲ送信のｃｏｌｌｉｓｉｏｎ発生を認知し、該当端末にＢＳＲを再度送信するようにするものの、該当ＵＬ  ｇｒａｎｔは、ＢＳＲの再送信を要請するための資源割り当てであることを知らせるためのＢＳＲ  ＵＬ  ｇｒａｎｔを送信する。
【０４３７】
すなわち、基地局が端末のＢＳＲをＣＰＲＢを介して成功的に受信した場合には、いかなるｉｎｄｉｃａｔｉｏｎも無しでａｃｔｕａｌ  ｄａｔａに対するＵＬ  ｇｒａｎｔを端末に送信する。
【０４３８】
ただし、二つ以上の端末からＰＵＣＣＨを介したＳＲは受信したが、ＢＳＲの受信が失敗した場合、基地局は、ＢＳＲのためのＵＬ  ｇｒａｎｔを端末に送信しながら該当ＵＬ  ｇｒａｎｔがＢＳＲ送信のためのものであることを知らせるＢＳＲ  ＵＬ  ｇｒａｎｔ  ｉｎｄｉｃａｔｉｏｎを共に送信する。
【０４３９】
以下、本明細書で提案する端末間の同じＣＰＲＢ占有によって発生できる資源衝突を緩和するための方法について、具体的に述べることにする。
【０４４０】
すなわち、上述のＣＰゾーンを利用してＵＬデータを送信する場合、端末間の同じＣＰＲＢ選択により発生できるＵＬデータ送信の衝突及び前記ＵＬデータのＨＡＲＱ  ＡＣＫ／ＮＡＣＫ送受信の衝突を緩和する方法について、図３２ないし図３４を参照して具体的に述べることにする。
【０４４１】
まず、ＬＴＥ（-Ａ）システムにおいて使用されるＭＵ（Ｍｕｌｔｉ  Ｕｓｅｒ）-ＭＩＭＯでのＵＬデータ送信及びエラー訂正応答（ＨＡＲＱ  ＡＣＫ／ＮＡＣＫ）送受信方法について、簡略に述べることにする。
【０４４２】
現在ＬＴＥ（-Ａ）システムの場合、基地局スケジューリングに基づいてＵＬデータを送信できるから、基地局は、特定端末が互いにどんな資源を利用してＵＬデータを送信することかが分かる。
【０４４３】
すなわち、前記基地局は、自身が知らせた（または割り当てた）ＰＤＣＣＨのＵＬ  ｇｒａｎｔにマッピングされたＰＵＳＣＨ資源を介して送信されるデータは、該当ＵＬ  ｇｒａｎｔを受信した端末が送信するＵＬデータであることが分かる。
【０４４４】
ＭＵ-ＭＩＭＯを利用して端末が基地局にＵＬデータを送信する場合、二つ以上の端末は、同じ時間及び／または周波数資源を利用して互いに異なるデータを基地局に送信できる。
【０４４５】
ここで、前記基地局は、端末が同じ資源を介して送信する互いに異なるＵＬデータをよく受信するために、各端末別にＤＭＲＳ（Ｄｅｍｏｄｕｌａｔｉｏｎ  Ｒｅｆｅｒｅｎｃｅ  Ｓｉｇｎａｌ）を異なるように割り当てることによって、各端末が送信するＵＬデータに対するチャネル情報を別に受信して、各端末のＵＬデータを成功的にデコードする。
【０４４６】
また、前記基地局は、各端末から成功的に受信されたＵＬデータに対するＨＡＲＱ  ＡＣＫ／ＮＡＣＫを自身がスケジューリングしたＰＵＳＣＨ資源にマッピングされたＰＨＩＣＨ資源を介して各端末に送信するようになる。
【０４４７】
前記基地局は、同じ最も低い（ｌｏｗｅｓｔ）ＰＲＢ  ｉｎｄｅｘを有する二つ以上の端末に対して互いに異なるＤＭＲＳに対した循環シフト（Ｃｙｃｌｉｃ  Ｓｈｉｆｔ：ＣＳ）を割り当てることによって、該当端末に互いに異なるＰＨＩＣＨ資源を利用して、ＡＣＫ／ＮＡＣＫを送信できるようになる。
【０４４８】
仮に、二つ以上の端末間の無線チャネル状態（例えば、Ｈ0，Ｈ1，…，Ｈn）がｏｒｔｈｏｇｏｎａｌしない場合、各端末が同じ資源を介して送信するＵＬデータは、前記基地局で正しく受信できない場合もある。
【０４４９】
しかしながら、二つ以上の端末間の無線チャネル状態（例えば、Ｈ0，Ｈ1，…，Ｈn）がｏｒｔｈｏｇｏｎａｌな場合、二つ以上の端末が同じ資源を利用してＵＬデータを基地局に送信しても、前記基地局は、二つ以上の端末から送信されるＵＬデータを成功的に受信するようになる。
【０４５０】
しかしながら、競争基盤のＰＵＳＣＨゾーン（ＣＰゾーン）を利用してＵＬデータを送信する場合、すなわち、基地局からＵＬ  ｇｒａｎｔ無しでｍｕｌｔｉ  ｕｓｅｒ（多数の端末）がアップリンクデータを送信する場合、基地局が同じＣＰＲＢ資源を介して送信される端末のｍｕｌｔｉ  ＵＬデータを成功的にデコードするための情報（例：各ＵＬデータに対するＤＭＲＳ）が提供される方法は、現在定義されていない。
【０４５１】
また、基地局が端末から同じＣＰＲＢ資源を介して送信される各端末の互いに異なるＵＬデータを成功的に受信したとしても、各端末のＵＬデータに対するエラー訂正応答（ＨＡＲＱ  ＡＣＫ／ＮＡＣＫ）の資源情報を各端末に提供できる方法が定義されていないから、各端末は、ＵＬデータ送信エラーに対する確認が現在不可能である。
【０４５２】
したがって、以下、本明細書で提案するＣＰゾーンの同じＣＰＲＢ資源を利用して、成功的にＵＬデータを送受信する方法及びＨＡＲＱ  ＡＣＫ／ＮＡＣＫの送受信方法について具体的に述べることにする。
【０４５３】
本明細書は、ＵＬ  ｇｒａｎｔ無しで送信されるＵＬデータ（ＣＰゾーンを利用して送信するＵＬデータ）の成功的な送受信のために、特定方法に従って、循環シフトＣＳ値を設定し、これをＣＰＲＢ／ＤＭＲＳ設定及びエラー訂正応答（ＨＡＲＱ  ＡＣＫ／ＮＡＣＫ）のための資源（例：ＰＨＩＣＨ）設定に使用する方法を提供する。
【０４５４】
図３２は、本明細書で提案するＣＰＲＢのＤＭＲＳ循環シフトを設定するための方法の一例を示した図である。
【０４５５】
図３２は、基地局からＵＬ  ｇｒａｎｔを受信しないでＣＰゾーンを利用して直にＵＬデータを送信する場合、前記ＵＬ  ｇｒａｎｔを介して送信されるＤＭＲＳ  ＣＳ値を受信できないから、ＣＰＲＢ指示情報に基づいてＤＭＲＳ  ＣＳを設定する方法を示す。
【０４５６】
すなわち、図３２は、ＣＰゾーンを利用してＵＬデータを送信することによって、ＤＭＲＳ  ＣＳ値を受信できない端末が一定規則に従って選択されるＣＰＲＢに対し使用するＤＭＲＳ  ＣＳ値をＣＰＲＢ指示情報（例：ＣＰＲＢ  ｉｎｄｉｃａｔｏｒ）に応じてマッピングすることによって、同じＣＰＲＢ資源を選択する端末間に発生できる資源衝突を避けることができる方法を提供する。
【０４５７】
ここで、資源衝突は、同じ資源を利用して送信される互いに異なるデータに対する資源衝突及びこれに対するエラー訂正応答（ＰＨＩＣＨ）のため資源衝突を全部含む概念である。
【０４５８】
ここで、ＣＰＲＢ指示情報は、ＰＵＳＣＨまたはＰＵＣＣＨを介して送信されるシグナルまたはシーケンスを意味でき、ＣＰＲＢと同一（または連続した）ｓｕｂ-ｆｒａｍｅを介して送信される特定端末及び／またはデータを区別するための認識子として使用されうる値を意味できる。
【０４５９】
すなわち、前記ＣＰＲＢ指示情報は、（１）ＲＡＣＨプロシージャのＲａｎｄｏｍｌｙ  ｓｅｌｅｃｔｅｄ  ｐｒｅａｍｂｌｅ  ｓｅｑｕｅｎｃｅ、（２）ハンドオーバ（ＨＯ）時の、ｐｒｅ-ａｌｌｏｃａｔｅｄ  ｐｒｅａｍｂｌｅ  ｓｅｑｕｅｎｃｅ、（３）ＳＲ送信時のＰＵＣＣＨ  ＳＲに対する特定資源ｉｎｄｅｘ（ｐｈｙｓｉｃａｌ  ｉｎｄｅｘまたはｌｏｇｉｃａｌ  ｉｎｄｅｘ）値、（４）ＣＰＲＢのために新しく定義された資源を利用した特定シーケンスまたはｉｎｄｅｘまたはｃｏｄｅ値でありうる。
【０４６０】
また、前記ＣＰＲＢ指示情報は、ＣＰＲＢ  ｉｎｄｉｃａｔｏｒなどで表現されることができる。
【０４６１】
図３２を参照して、さらに具体的に述べることにする。
【０４６２】
図３２に示すように、端末１と端末２は、ＣＰＲＢ指示情報と共にＣＰＲＢを介してＵＬデータを基地局に送信する（Ｓ３２１０）。
【０４６３】
ここで、前記端末１と前記端末２とは、互いに異なるＣＰＲＢ指示情報を使用し、同じＣＰＲＢを選択する。
【０４６４】
ここで、各端末別にＣＰＲＢ指示情報に基づいて一定規則に従って互いに異なるＤＭＲＳ  ＣＳ値が暗示的に（ｉｍｐｌｉｃｉｔｌｙ）割り当てられる。
【０４６５】
すなわち、各端末と基地局は、前記ＣＰＲＢ指示情報基盤の一定規則に従って互いに異なるＤＭＲＳ  ＣＳ値を暗示的に計算できるようになる。
【０４６６】
これにより、基地局は、同じＣＰＲＢを介して送信される前記端末１及び前記端末２のＵＬデータに対する区別が可能であり、各端末のＵＬデータに対して互いに異なるＰＨＩＣＨ資源を割り当てるようになる。
【０４６７】
前記一定規則に従って、互いに異なるＤＭＲＳ  ＣＳを割り当てる方法については、後述する図３３及び図３４を参照して具体的に述べることにする。
【０４６８】
したがって、前記基地局は、前記端末１及び前記端末２に互いに異なるＤＭＲＳ  ＣＳを割り当てて、各端末別に互いに異なるＰＨＩＣＨ資源を割り当てることによって、前記割り当てられるＰＨＩＣＨ資源を介して各端末のＵＬデータ送信に対するＨＡＲＱ  ＡＣＫ／ＮＡＣＫを各端末に送信する（Ｓ３２２０）。
【０４６９】
図３３は、本明細書で提案するＤＭＲＳ循環シフト値を設定する方法の一例を示した図である。
【０４７０】
図３３は、ＣＰゾーンを利用して、ＵＬデータを送信する場合、同じＣＰＲＢ資源を介してＵＬデータの送信衝突防止及び前記ＵＬデータとマッピングされるＨＡＲＱ  ＡＣＫ／ＮＡＣＫを送信するためのＤＭＲＳ  ＣＳ値のマッピング方法で、端末と基地局とは、これを介して暗示的にＤＭＲＳ  ＣＳ値を計算できるようになる。
【０４７１】
すなわち、特定端末に対して割り当てられるＣＳ値は、以下の式１２により計算される。
【０４７２】
【数７２】
0006328843.tif 000114
【０４７３】
式中、Ｎは、ＣＰゾーン内のＣＰＲＢの総数を表し、ＣＰＲＢ  ｉｎｄｅｘは、ＣＰＲＢ指示情報（ＣＰＲＢ  ｉｎｄｉｃａｔｏｒ）をＮで割り算した余り（ＣＰＲＢ  ｉｎｄｉｃａｔｏｒ  ｖａｌｕｅ  ％  Ｎ）値で、０≦ＣＰＲＢ  ｉｎｄｅｘ＜Ｎに該当する整数値を有する。
【０４７４】
ＬＴＥ（-Ａ）システムの場合、上述のようにＤＭＲＳにマッピングされるＣＳは、０≦ＣＳ≦７である整数値で総８個を有することができる。
【０４７５】
すなわち、前記式１２にて、互いに異なる端末が選択する同じＣＰＲＢに対して０から＜（ＣＰＲＢ  ｉｎｄｉｃａｔｏｒ  ｖａｌｕｅの最大値＋１）／Ｎ＞-１だけの互いに異なる循環シフト（ＣＳ）値が設定されることができる。
【０４７６】
例えば、ＣＰＲＢ  ｉｎｄｉｃａｔｏｒ  ｖａｌｕｅの最大値が９で、Ｎが４である場合、前記式１２に従って０から２までの互いに異なる循環シフト値が設定される。
【０４７７】
ここで、２＝＜（９＋１）／４＞-１により算出される値であり、＜＞は、切り上げを表す記号で、 ＜２．５＞は、３と計算される。
【０４７８】
図３３に示すように、ＣＰＲＢ指示情報値が０，１，２，３，４，５，６，７，８，９，１０，１１，１２，１３，１４，１５まで値を有し、ＣＰゾーン内のＣＰＲＢの総数Ｎ＝４の場合、ＣＰＲＢ  ｉｎｄｅｘは、０，１，２，３，０，１，２，３，０，１，２，３，０，１，２，３に設定（ＣＰＲＢ  ｉｎｄｉｃａｔｏｒをＮで割り算した値に設定）される。
【０４７９】
したがって、前記式１２に従って設定されるＣＳは、０，０，０，０，１，１，１，１，２，２，２，２，３，３，３，３の値を有することが分かる。
【０４８０】
ここで、前記ＣＰＲＢ  ｉｎｄｉｃａｔｏｒ  ｖａｌｕｅ値は、端末別に互いに異なる値が割り当てられることを仮定する。
【０４８１】
上述のように、端末が同じＣＰＲＢ  ｉｎｄｅｘを有するとしても、（ＣＰＲＢ  ｉｎｄｉｃａｔｏｒ  ｖａｌｕｅ  ０値を有する端末とＣＰＲＢ  ｉｎｄｉｃａｔｏｒ  ｖａｌｕｅ  ４値を有する端末は、ＣＰＲＢ  ｉｎｄｅｘが０で同一）式１２に従って互いに異なる循環シフト値が各端末に割り当てられるから、同じＣＰＲＢを介したＵＬデータ送信による衝突が発生するのを避けることができ、これにより端末が送信するＵＬデータに対するＨＡＲＱ  ＡＣＫ／ＮＡＣＫを区分して、各端末に送信できるようになる。
【０４８２】
すなわち、端末が全部異なるＣＰＲＢ  ｉｎｄｉｃａｔｏｒ  ｖａｌｕｅを選択するか、または基地局から全部異なるＣＰＲＢ  ｉｎｄｉｃａｔｏｒ  ｖａｌｕｅを割り当てて特定ＣＰＲＢを選択し、前記式１２にてＣＰＲＢに対したＤＭＲＳ  ＣＳを設定する場合、Ｎ個のＣＰＲＢを介して総８Ｎ個（ＣＳ値の数が最大８である場合）のデータをｏｒｔｈｏｇｏｎａｌに送信できるようになる。
【０４８３】
ここで、ＣＳ値の数（ＮＣＳ）に応じてｏｒｔｈｏｇｏｎａｌに送信できる最大（いわゆる理想的に）ＵＬデータ数がＮＣＳ＊Ｎと決められることができる。
【０４８４】
仮に、ＣＳ値の数が最大８である場合、ＣＰＲＢ  ｉｎｄｉｃａｔｏｒ  ｖａｌｕｅの範囲が８Ｎより大きな値を有する場合、図３３のように、二つ以上の端末に互いに異なるＣＰＲＢ  ｉｎｄｉｃａｔｏｒ  ｖａｌｕｅが設定されても、同じＣＰＲＢに応じて同じ循環シフト値が設定されることができるから、二つ以上の端末間にＵＬデータの衝突及びエラー訂正のための応答メッセージ送受信の衝突が発生できる。したがって、ＣＰＲＢ  ｉｎｄｉｃａｔｏｒ  ｖａｌｕｅの範囲は、８Ｎより大きな値を有さないように設定することが好ましい。
【０４８５】
図３４は、本明細書で提案するＤＭＲＳ循環シフト値を設定する方法のさらに他の一例を示した図である。
【０４８６】
図３４の場合、ＣＳ値が単純にＣＰＲＢ  ｉｎｄｉｃａｔｏｒ  ｖａｌｕｅに基づいて設定される方式で、ＣＰＲＢ  ｉｎｄｅｘが図３３の場合とは異なり、ＣＰＲＢ  ｉｎｄｉｃａｔｏｒ  ｖａｌｕｅに基づいて設定されない時に使用する場合に好ましくありうる。
【０４８７】
すなわち、下記式１３にて特定端末に対して割り当てられるＤＭＲＳ  ＣＳ値が計算されることができる。
【０４８８】
【数７３】
0006328843.tif 000115
【０４８９】
式中、ＮＣＳは、ＣＳの最大値＋１、すなわち、ＣＳ値の総数を表す値である。
【０４９０】
一例として、ＬＴＥ（-Ａ）システムの場合、ＣＳは、０から７までの値を有するので、ＮＣＳは、８になる。
【０４９１】
図３４に示すように、ＣＰＲＢ指示情報値が０，１，２，３，４，５，６，７，８，９，１０，１１，１２，１３，１４，１５まで有し、ＮＣＳ値が８である場合、ＣＰＲＢに対したＤＭＲＳ  ＣＳ値は、０，１，２，３，４，５，６，７，０，１，２，３，４，５，６，７にそれぞれ設定される。
【０４９２】
図３４の方法によるＣＰＲＢに対したＤＭＲＳ  ＣＳ設定方法の場合、端末の数に応じて使用されるＣＳの数が増加することによって、システムでの無線資源に対する使用量が増えることができる。
【０４９３】
さらに他の実施の形態として、端末ＩＤ（ＵＥ  ＩＤ）を利用してＣＰＲＢに対したＤＭＲＳ  ＣＳ値を設定することもできる。
【０４９４】
すなわち、ＣＰＲＢ  ｉｎｄｉｃａｔｏｒ  ｖａｌｕｅ及びＵＥ  ＩＤを利用して、ＣＰＲＢに対したＤＭＲＳ  ＣＳを設定することによって、同じＣＰＲＢ選択による資源衝突（ＵＬデータ送信の衝突及びＨＡＲＱ  ＡＣＫ／ＮＡＣＫ送受信の衝突）を防止できる。
【０４９５】
本発明が適用されることができる装置一般
【０４９６】
図３５は、本明細書で提案する方法が適用されることができる無線通信装置のブロック構成図を例示する。
【０４９７】
図３５を参照すると、無線通信システムは、基地局３５１０と、基地局３５１０領域内に位置した多数の端末３５２０とを備える。
【０４９８】
基地局３５１０は、プロセッサ（ｐｒｏｃｅｓｓｏｒ）３５１１、メモリ（ｍｅｍｏｒｙ）３５１２及びＲＦ部（ｒａｄｉｏ  ｆｒｅｑｕｅｎｃｙ  ｕｎｉｔ）３５１３を備える。プロセッサ３５１１は、上述の図１ないし図３４で提案された機能、過程及び／または方法を具現する。無線インタフェースプロトコルの階層は、プロセッサ３５１１により具現化されることができる。メモリ３５１２は、プロセッサ３５１１に接続されて、プロセッサ３５１１を駆動するための多様な情報を格納する。ＲＦ部３５１３は、プロセッサ３５１１に接続されて、無線信号を送信及び／または受信する。
【０４９９】
端末３５２０は、プロセッサ３５２１、メモリ３５２２及びＲＦ部３５２３を備える。プロセッサ３５２１は、上述の図１ないし図３４で提案された機能、過程及び／または方法を具現する。無線インタフェースプロトコルの階層は、プロセッサ３５２１により具現化されることができる。メモリ３５２２は、プロセッサ３５２１に接続されて、プロセッサ３５２１を駆動するための多様な情報を格納する。ＲＦ部３５２３は、プロセッサ３５２１に接続されて、無線信号を送信及び／または受信する。
【０５００】
メモリ３５１２，３５２２は、プロセッサ３５１１、３５２１の内部または外部にあることができ、周知の多様な手段によりプロセッサ３５１１、３５２１に接続されることができる。
【０５０１】
また、基地局３５１０及び／または端末３５２０は、一個のアンテナ（ｓｉｎｇｌｅ  ａｎｔｅｎｎａ）または多重アンテナ（ｍｕｌｔｉｐｌｅ  ａｎｔｅｎｎａ）を有することができる。
【０５０２】
以上説明された実施の形態は、本発明の構成要素と特徴が所定形態で結合されたものである。各構成要素または特徴は、別の明示上言及がない限り、選択的なものと考慮されなければならない。各構成要素または特徴は、他の構成要素または特徴と結合されない形態で実施されることができる。また、一部構成要素及び／または特徴を結合して、本発明の実施の形態を構成することも可能である。本発明の実施の形態において説明される動作の順序は変更されることができる。ある実施の形態の一部構成または特徴は、他の実施の形態に含まれることができ、または他の実施の形態の対応する構成または特徴と交替されることができる。特許請求の範囲において明示的な引用関係のない請求項を結合して実施の形態を構成するか、または出願後の補正により新しい請求項として含めることができることは明らかである。
【０５０３】
本発明に係る実施の形態は、多様な手段、例えば、ハードウェア、ファームウェア（ｆｉｒｍｗａｒｅ）、ソフトウェアまたはそれらの結合などにより具現化されることができる。ハードウェアによる具現の場合、本発明の一実施の形態は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロ・プロセッサなどにより具現化されることができる。
【０５０４】
ファームウェアオイラソフトウェアによる具現の場合、本発明の一実施の形態は、以上説明された機能または動作を行うモジュール、手順、関数などの形態により具現化されることができる。ソフトウェアコードは、メモリに格納されてプロセッサにより駆動されることができる。前記メモリは、前記プロセッサの内部または外部に位置し、既に公知された多様な手段により前記プロセッサとデータをやり取りすることができる。
【０５０５】
本発明は、本発明の必須的特徴から逸脱しない範囲内で他の特定の形態により具体化されうることは当業者にとって自明である。したがって、上述の詳細な説明は、すべての面において制約的に解析されてはならず、例示的なものと考慮されなければならない。本発明の範囲は、添付された請求項の合理的解析により決定されなければならず、本発明の等価的範囲内でのすべての変更は、本発明の範囲に含まれる。
【産業上の利用可能性】
【０５０６】
本発明の無線通信システムにおけるアップリンクデータ送信のためのスケジューリングを要請するための方案は、３ＧＰＰ  ＬＴＥ／ＬＴＥ-Ａシステムに適用される例を中心に説明したが、３ＧＰＰ  ＬＴＥ／ＬＴＥ-Ａシステムの他にも多様な無線通信システムに適用することが可能である。
【図１】
0006328843.tif 000117
【図２】
0006328843.tif 000118
【図３】
0006328843.tif 000119
【図４】
0006328843.tif 000120
【図５】
0006328843.tif 000121
【図６】
0006328843.tif 000122
【図７】
0006328843.tif 000123
【図８】
0006328843.tif 000124
【図９】
0006328843.tif 000125
【図１０】
0006328843.tif 000126
【図１１】
0006328843.tif 000127
【図１２】
0006328843.tif 000128
【図１３】
0006328843.tif 000129
【図１４】
0006328843.tif 000130
【図１５】
0006328843.tif 000131
【図１６】
0006328843.tif 000132
【図１７】
0006328843.tif 000133
【図１８】
0006328843.tif 000134
【図１９】
0006328843.tif 000135
【図２０】
0006328843.tif 000136
【図２１】
0006328843.tif 000137
【図２２】
0006328843.tif 000138
【図２３】
0006328843.tif 000139
【図２４】
0006328843.tif 000140
【図２５】
0006328843.tif 000141
【図２６】
0006328843.tif 000142
【図２７】
0006328843.tif 000143
【図２８】
0006328843.tif 000144
【図２９】
0006328843.tif 000145
【図３０】
0006328843.tif 000146
【図３１】
0006328843.tif 000147
【図３２】
0006328843.tif 000148
【図３３】
0006328843.tif 000149
【図３４】
0006328843.tif 000150
【図３５】
0006328843.tif 000151